(57)【特許請求の範囲】
【請求項１】
（Ａ）式ＩＩＩおよびＩＶ：
【化１】
0005558721.tif 000075
から選択される少なくとも１つのジメチコーンコポリオールマクロマーを含むモノマー組成物から重合させたポリマーであって、
式ＩＩＩにおいて、ＲおよびＲ’は独立して、水素および環状酸無水物残基を表すが、但し、ＲおよびＲ’の両方が、同時に水素を表すことはなく、Ｒ１およびＲ２は、メチル基を表し、Ｅは、二価エチレン基を表し、Ｐは、独立して、二価プロピレン基を表し、ａ、ｂおよびｃは独立して、０〜１００であり、但し、ａ、ｂおよびｃが同時に０であることはなく；ｎは０〜２００であり、Ｅは、Ｅが結合している酸素原子とともにエチレンオキシド残基（ＥＯまたはＯＥ）を表し、Ｐは、Ｐが結合している酸素原子とともにプロピレンオキシド残基（ＰＯまたはＯＰ）を表し、ここで、ＥＯ残基およびＰＯ残基は、ランダム、非ランダムおよびブロック状の状態で配置していてもよく；
式ＩＶにおいて、Ｒ’は、環状酸無水物残基であり、Ｒ１およびＲ２、Ｅ、Ｐ、ａ、ｂおよびｃは上に定義されるとおりであり、Ｒ３は、Ｃ１〜Ｃ３０アルキル、Ｃ１〜Ｃ２０ハロ置換アルキル、Ｃ３〜Ｃ８シクロアルキル、Ｃ６〜Ｃ１４アリールおよびＣ２〜Ｃ２０アルケニルから選択される基を表し、Ｒ４は、Ｃ１〜Ｃ３０アルキル、Ｃ６〜Ｃ１４アリールおよびＣ２〜Ｃ２０アルケニルから選択される基を表し、ｘは、０〜２００であり、ｙは、１〜２００であり、ｚは、ｙ以下であり；
式ＩＩＩおよびＩＶの該環状酸無水物残基は、式：
【化２】
0005558721.tif 000076
で表されるポリマー；
（Ｂ）少なくとも１つの溶媒または希釈剤；
を含む組成物。
【請求項２】
（Ｃ）界面活性剤、レオロジー改変剤、粘度調整剤、皮膚軟化剤、保湿剤、潤滑剤、乳化剤、コンディショナー、構造化剤、固定剤、乳白剤、広がり補助剤、酸化防止剤、日焼け止め剤、制汗剤、医薬活性物質、ビタミン、防腐剤、抗菌薬、抗真菌薬、植物抽出物、フケ防止剤、研磨剤、キレート化剤、ｐＨ調整剤、中和剤、香料、顔料、着色剤、真珠光沢付与剤、噴射剤、酸化剤、静電防止剤およびこれらの組み合わせから選択される１つ以上の成分をさらにを含む、請求項１に記載の組成物。
【請求項３】
前記モノマー組成物が、
（ａ）少なくとも１つの非イオン性ビニルモノマー；
（ｂ）少なくとも１つの酸性ビニルモノマー；
（ｃ）少なくとも１つのカチオン性ビニルモノマー；
（ｄ）少なくとも１つの会合性ビニルモノマー；
（ｅ）少なくとも１つの半疎水性ビニルモノマー；
（ｆ）少なくとも１つの架橋モノマー；およびこれらの混合物
から選択される少なくとも１つのモノマーをさらに含む、請求項１または２に記載の組成物。
【請求項４】
前記非イオン性ビニルモノマーが、式：
【化３】
0005558721.tif 000077
で表される少なくとも１つのモノマーから選択され、
式中、Ｘは、Ｈまたはメチルであり；Ｚは、−Ｃ（Ｏ）ＯＲ８、−Ｃ（Ｏ）ＮＨ２、−Ｃ（Ｏ）ＮＨＲ８、−Ｃ（Ｏ）Ｎ（Ｒ８）２、−Ｃ６Ｈ４Ｒ８、−Ｃ６Ｈ４ＯＲ８、−Ｃ６Ｈ４Ｃｌ、−Ｃ６Ｈ１１、−Ｃ６Ｈ７（Ｒ８）（Ｒ８）（Ｒ８）、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−Ｓｉ（Ｒ７）３、−Ｃ（Ｏ）Ｏ（ＣＨ２）ｘＳｉ（Ｒ７）３、−Ｃ（Ｏ）ＮＨ（ＣＨ２）ｘＳｉ（Ｒ７）３または−（ＣＨ２）ｘＳｉ（Ｒ７）３であり；ｘは、１〜６の範囲の整数であり；Ｒ７は独立して、直鎖および分枝鎖のＣ１〜Ｃ１８アルキルであり；Ｒ８は独立して、直鎖および分枝鎖のＣ１〜Ｃ３０アルキル、ヒドロキシ置換されたＣ２〜Ｃ３０アルキルおよびハロゲン置換されたＣ１〜Ｃ３０アルキルを表す；
請求項３に記載の組成物。
【請求項５】
前記酸性ビニルモノマーが、カルボン酸基およびその塩、スルホン酸基およびその塩、ならびにホスホン酸基およびその塩から選択される少なくとも１つの酸性基を含有する、請求項３に記載の組成物。
【請求項６】
前記酸性ビニルモノマーが、アクリル酸、メタクリル酸、イタコン酸、シトラコン酸、マレイン酸、フマル酸、クロトン酸、アコニット酸、マレイン酸またはフマル酸またはイタコン酸またはアコニット酸のＣ１〜Ｃ１８アルキルモノエステル、ジカルボン酸の無水物、ビニルスルホン酸、２−スルホエチルメタクリレート、スチレンスルホン酸、２−アクリルアミド−２−メチルプロパンスルホン酸、アリルオキシベンゼンスルホン酸、ビニルホスホン酸、アリルホスホン酸、３−アクリルアミドプロピルホスホン酸；およびその塩；およびその混合物から選択される、請求項５に記載の組成物。
【請求項７】
前記カチオン性ビニルモノマーが、モノ−（Ｃ１〜Ｃ４）アルキルアミノ（Ｃ１〜Ｃ８）アルキル（メタ）アクリレート、ジ−（Ｃ１〜Ｃ４）アルキルアミノ（Ｃ１〜Ｃ８）アルキル（メタ）アクリレート、モノ−（Ｃ１〜Ｃ４）アルキルアミノ（Ｃ１〜Ｃ８）アルキル（メタ）アクリルアミド、ジ−（Ｃ１〜Ｃ４）アルキルアミノ（Ｃ１〜Ｃ８）アルキル（メタ）アクリルアミド、窒素含有複素環式（メタ）アクリルアミド、窒素含有複素環式（メタ）アクリレート；およびその塩；およびその混合物から選択される、請求項３に記載の組成物。
【請求項８】
前記カチオン性ビニルモノマーが、２−（Ｎ，Ｎ−ジメチルアミノ）エチル（メタ）アクリレート、３−（Ｎ，Ｎ−ジメチルアミノ）プロピル（メタ）アクリレート、４−（Ｎ，Ｎ−ジメチルアミノ）ブチル（メタ）アクリレート、（Ｎ，Ｎ−ジメチルアミノ）−ｔ−ブチル（メタ）アクリレート、２−ｔｅｒｔ−ブチルアミノ）エチルメタクリレート、２−（Ｎ，Ｎ−ジエチルアミノ）エチル（メタ）アクリレート、３−（Ｎ，Ｎ−ジエチルアミノ）プロピル（メタ）アクリレート、２−Ｎ，Ｎ−ジメチルアミノ）ネオペンチルアクリレート、４−Ｎ，Ｎ−ジエチルアミノ）ブチル（メタ）アクリレート、２−（Ｎ，Ｎ−ジプロピルアミノ）エチル（メタ）アクリレート、３−Ｎ，Ｎ−ジプロピルアミノ）プロピル（メタ）アクリレート、４−Ｎ，Ｎ−ジプロピルアミノ）ブチル（メタ）アクリレート、３−（Ｎ，Ｎ−ジメチルアミノ）プロピル（メタ）アクリレート、２−（４−モルホリニル）エチルメタクリレート、２−（４−モルホリニル）エチルアクリレート、Ｎ’−（２−Ｎ，Ｎ−ジメチルアミノ）エチルメタクリルアミド、２−Ｎ，Ｎ−ジメチルアミノ）プロピルメタクリルアミド、Ｎ’−３−Ｎ，Ｎ−ジメチルアミノ）プロピル（メタ）アクリルアミド、Ｎ−（２−ピリジル）アクリルアミド、Ｎ−２−イミダゾイル）（メタ）アクリルアミド、Ｎ−（４−モルホリニル）（メタ）アクリルアミド、Ｎ−４−モルホリニル）アクリルアミド、２−ビニルピリジン、４−ビニルピリジン、Ｎ−ビニル−２−メチルイミダゾール、Ｎ−ビニルイミダゾール、Ｎ−ビニル−４−メチルイミダゾールおよびＮ−ビニルオキサゾリドン；およびその塩；およびその混合物から選択される、請求項３に記載の組成物。
【請求項９】
前記カチオン性ビニルモノマーが、３−トリメチルアンモニウムプロピルメタクリルアミドクロリド、３−トリメチルアンモニウムプロピルアクリルアミドクロリド、Ｃ１〜Ｃ３０アルキルサルフェートで四級化したＮ，Ｎ−ジメチルアミノエチルメタクリレート、塩化メチルで四級化したＮ，Ｎ−ジメチルアミノエチルメタクリレート、四級化ビニルイミダゾール、メタクリロイルエチルベタインおよびメタクリロイルＮ−オキシドから選択される、請求項３に記載の組成物。
【請求項１０】
前記会合性ビニルモノマーが、式：
【化４】
0005558721.tif 000078
によって表される少なくとも１つのモノマーから選択され、
式中、各Ｒ９は独立して、Ｈ、Ｃ１〜Ｃ３０アルキル、−Ｃ（Ｏ）ＯＨまたは−Ｃ（Ｏ）ＯＲ１０であり；Ｒ１０は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは、二価アリールであり；Ｅは、Ｈまたはメチルであり；ｚは、０または１であり；ｋは、０〜３０の範囲の整数であり、ｍは、０または１であるが、但し、ｋが０である場合、ｍが０であり、およびｋが１〜３０の範囲である場合、ｍは１であり；（Ｒ１１−Ｏ）ｎは、オキシアルキレン単位のポリオキシアルキレン部分を表し、Ｒ１１は、Ｃ２Ｈ４、Ｃ３Ｈ６、Ｃ４Ｈ８またはこれらの混合物であり、ｎは、５〜２５０の範囲の整数であり；Ｙは、−Ｒ１１Ｏ−、−Ｒ１１ＮＨ−、−Ｃ（Ｏ）−、−Ｃ（Ｏ）ＮＨ−、−Ｒ１１ＮＨＣ（Ｏ）ＮＨ−または−Ｃ（Ｏ）ＮＨＣ（Ｏ）−であり；Ｒ１２は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換されたフェニル、およびアリール置換されたＣ２〜Ｃ４０アルキルから選択される置換アルキルまたは置換されていないアルキルである；
請求項３に記載の組成物。
【請求項１１】
Ｒ１１およびＲ１２が、ヒドロキシル、アルコキシルおよびハロゲンから選択される１つ以上の置換基を含む、請求項１０に記載の組成物。
【請求項１２】
前記会合性ビニルモノマーが、セチルポリエトキシル化メタクリレート、セテアリルポリエトキシル化メタクリレート、ステアリルポリエトキシル化（メタ）アクリレート、アラキジルポリエトキシル化（メタ）アクリレート、ベヘニルポリエトキシル化メタクリレート、ラウリルポリエトキシル化メタクリレート、セロチルポリエトキシル化（メタ）アクリレート、モンタニルポリエトキシル化（メタ）アクリレート、メリシルポリエトキシル化（メタ）アクリレート、ラクセリルポリエトキシル化（メタ）アクリレート、トリスチリルフェノールポリエトキシル化メタクリレート、水素化ヒマシ油ポリエトキシル化メタクリレート、キャノーラポリエトキシル化（メタ）アクリレートおよびコレステロールポリエトキシル化メタクリレートから選択され、該モノマーのポリエトキシル化部分が、５個〜１００個のエチレンオキシド繰り返し単位を含有する、請求項３に記載の組成物。
【請求項１３】
前記半疎水性ビニルモノマーが、式：
【化５】
0005558721.tif 000079
で表される少なくとも１つのモノマーから選択され、
式中、Ｒ９は独立して、Ｈ、Ｃ１〜Ｃ３０アルキル、−Ｃ（Ｏ）ＯＨまたは−Ｃ（Ｏ）ＯＲ１０であり；Ｒ１０は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは、二価アリールであり；Ｅは、Ｈまたはメチルであり；ｚは、０または１であり；ｋは、０〜３０の範囲の整数であり、ｍは、０または１であるが、但し、ｋが０である場合、ｍが０であり、およびｋが１〜３０の範囲である場合、ｍは１であり；（Ｒ１１−Ｏ）ｎは、オキシアルキレン単位のポリオキシアルキレン部分を表し、Ｒ１１は、Ｃ２Ｈ４、Ｃ３Ｈ６、Ｃ４Ｈ８またはこれらの混合物であり、ｎは、５〜２５０の範囲の整数であり；Ｄは、Ｃ８〜Ｃ３０の不飽和アルキルまたはカルボキシ置換されたＣ８〜Ｃ３０の不飽和アルキルであり；Ｒ１３は、ＨまたはＣ１〜Ｃ４アルキルである；
請求項３に記載の組成物。
【請求項１４】
Ｒ１１は、ヒドロキシル、アルコキシルおよびハロゲンから選択される１つ以上の置換基を含む、請求項１３に記載の組成物。
【請求項１５】
前記半疎水性ビニルモノマーが、式：
【化６】
0005558721.tif 000080
で表される少なくとも１つのモノマーから選択され、
式中、ａは、２、３または４の整数であり；ｂは、１〜１０の範囲の整数であり；ｃは、５〜５０の範囲の整数であり；ｄは、１〜１０の範囲の整数であり；ｅは、５〜５０の範囲の整数である；
請求項１３または１４に記載の組成物。
【請求項１６】
前記モノマー組成物が、合計モノマー重量に基づいて、架橋モノマーを０〜５重量％含む、請求項１に記載の組成物。
【請求項１７】
前記モノマー組成物が、合計モノマー重量に基づいて、連鎖移動剤を少なくとも０．０１重量％含む、請求項１に記載の組成物。
【請求項１８】
前記組成物が、構造化剤、保湿剤、皮膚軟化剤、固定剤、界面活性剤、レオロジー改変剤、中和剤、コンディショナーおよびこれらの組み合わせから選択される成分を含む、請求項１に記載の組成物。
【請求項１９】
前記組成物が、補助溶媒、噴射剤およびこれらの組み合わせから選択される成分をさらに含む、請求項１８に記載の組成物。
【請求項２０】
前記組成物が、クリーム、ポマード、ゲル、ペースト、軟膏、スプレー、ローション、スプリッツまたはムースの形態である、請求項１９に記載の組成物。
【請求項２１】
（Ａ）
（ｉ）式ＩＩＩおよびＩＶ：
【化７】
0005558721.tif 000081
から選択される少なくとも１つのジメチコーンコポリオールマクロマーであって、
式ＩＩＩにおいて、ＲおよびＲ’は独立して、水素および環状酸無水物残基を表すが、但し、ＲおよびＲ’の両方が、同時に水素を表すことはなく、Ｒ１およびＲ２は、メチル基を表し、Ｅは、二価エチレン基を表し、Ｐは独立して、二価プロピレン基を表し、ａ、ｂおよびｃは独立して、０〜１００であり、但し、ａ、ｂおよびｃが同時に０であることはなく；ｎは、０〜２００であり、Ｅは、Ｅが結合している酸素原子とともにエチレンオキシド残基（ＥＯまたはＯＥ）を表し、Ｐは、Ｐが結合している酸素原子とともにプロピレンオキシド残基（ＰＯまたはＯＰ）を表し、ここで、ＥＯ残基およびＰＯ残基は、ランダム、非ランダムおよびブロック状の状態で配置していてもよく；
式ＩＶにおいて、Ｒ’は、環状酸無水物残基であり、Ｒ１およびＲ２、Ｅ、Ｐ、ａ、ｂおよびｃは上に定義されるとおりであり、Ｒ３は、Ｃ１〜Ｃ３０アルキル、Ｃ１〜Ｃ２０ハロ置換アルキル、Ｃ３〜Ｃ８シクロアルキル、Ｃ６〜Ｃ１４アリールおよびＣ２〜Ｃ２０アルケニルから選択される基を表し、Ｒ４は、Ｃ１〜Ｃ３０アルキル、Ｃ６〜Ｃ１４アリールおよびＣ２〜Ｃ２０アルケニルから選択される基を表し、ｘは、０〜２００であり、ｙは、１〜２００であり、ｚは、ｙ以下であり；
式ＩＩＩおよびＩＶの該環状酸無水物残基は式：
【化８】
0005558721.tif 000082
によって表される、
ジメチコーンコポリオールマクロマー；
（ｉｉ）少なくとも１つの酸性ビニルモノマー；
（ｉｉｉ）少なくとも１つの非イオン性ビニルモノマー；
（ｉｖ）少なくとも１つの会合性ビニルモノマー；
を含むモノマー組成物から重合させたポリマー：
（Ｂ）少なくとも１つの溶媒または希釈剤；
（Ｃ）構造化剤、レオロジー改変剤、コンディショナー、界面活性剤、皮膚軟化剤、保湿剤、中和剤、ｐＨ調整剤、キレート化剤、補助固定剤、防腐剤、香料、真珠光沢付与剤およびこれらの組み合わせから選択される少なくとも１つの成分；
を含むヘアケア組成物。
【請求項２２】
少なくとも１つの架橋モノマーをさらに含む、請求項２１に記載のヘアケア組成物。
【請求項２３】
前記構造化剤が、少なくとも１つのワックス、少なくとも１つの脂肪アルコールおよびそのエステル、少なくとも１つの脂肪酸およびそのエステル、ペトロラタムならびにこれらの組み合わせから選択される、請求項２１または２２に記載のヘアケア組成物。
【請求項２４】
前記組成物が、クリーム、ゲル、ポマード、ペースト、ムース、スプレーまたはスプリッツの形態である、請求項２１に記載のヘアケア組成物。
【請求項２５】
前記酸性ビニルモノマーが、アクリル酸、メタクリル酸、イタコン酸、シトラコン酸、マレイン酸、フマル酸、クロトン酸、アコニット酸、マレイン酸またはフマル酸またはイタコン酸またはアコニット酸のＣ１〜Ｃ１８アルキルモノエステル、ジカルボン酸の無水物、ビニルスルホン酸、２−スルホエチルメタクリレート、スチレンスルホン酸、２−アクリルアミド−２−メチルプロパンスルホン酸、アリルオキシベンゼンスルホン酸、ビニルホスホン酸、アリルホスホン酸、３−アクリルアミドプロピルホスホン酸；およびその塩；およびその混合物から選択される、請求項２１に記載のヘアケア組成物。
【請求項２６】
前記非イオン性ビニルモノマーが、Ｃ１〜Ｃ３０アルキル（メタ）アクリレート、シクロヘキシル（メタ）アクリレート、３，３，５−トリメチルシクロヘキシル（メタ）アクリレート、Ｃ１〜Ｃ３０アルキル（メタ）アクリルアミド、スチレン、ビニルトルエンブチルスチレン、イソプロピルスチレン、ｐ−クロロスチレン、酢酸ビニル、ブタン酸ビニル、ビニルカプロレート、ピバル酸ビニル、ネオデカン酸ビニル、メタクリロニトリル、アクリロニトリル、トリメチルビニルシラン、ジメチルエチルビニルシラン、アリルジメチルフェニルシラン、アリルトリメチルシラン、３−アクリルアミドプロピルトリメチルシラン、３−トリメチルシリルプロピルメタクリレート、２−ヒドロキシエチルメタクリレート（ＨＥＭＡ）、２−ヒドロキシエチルアクリレート（２−ＨＥＡ）、３−ヒドロキシプロピルアクリレート、グリセロールモノ（メタ）アクリレート；トリス（ヒドロキシメチル）エタンモノ（メタ）アクリレート、ペンタエリスリトールモノ（メタ）アクリレート、Ｎ−ヒドロキシメチル（メタ）アクリルアミド、２−ヒドロキシエチル（メタ）アクリルアミド、３−ヒドロキシプロピル（メタ）アクリルアミド、（メタ）アクリルアミド、ｔ−オクチル（メタ）アクリルアミド、Ｎ−（２，３−ジヒドロキシプロピル）アクリルアミド、ｔ−ブチル（メタ）アクリルアミド、Ｎ−ビニルカプロラクタム、Ｎ−ビニルピロリドン、メタクリルアミドエチル−Ｎ−エチレン尿素、メトキシエチル（メタ）アクリレート、２−（２−エトキシエトキシ）エチル（メタ）アクリレート；およびその混合物から選択される、請求項２１に記載のヘアケア組成物。
【請求項２７】
前記会合性ビニルモノマーが、式：
【化９】
0005558721.tif 000083
で表される少なくとも１つのモノマーから選択され、
式中、各Ｒ９は独立して、Ｈ、Ｃ１〜Ｃ３０アルキル、−Ｃ（Ｏ）ＯＨまたは−Ｃ（Ｏ）ＯＲ１０であり；Ｒ１０は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは、二価アリールであり；Ｅは、Ｈまたはメチルであり；ｚは、０または１であり；ｋは、０〜３０の範囲の整数であり、ｍは、０または１であるが、但し、ｋが０である場合、ｍが０であり、およびｋが１〜３０の範囲である場合、ｍは１であり；（Ｒ１１−Ｏ）ｎは、オキシアルキレン単位のポリオキシアルキレン部分を表し、Ｒ１１は、Ｃ２Ｈ４、Ｃ３Ｈ６、Ｃ４Ｈ８またはこれらの混合物であり、ｎは、５〜２５０の範囲の整数であり；Ｙは、−Ｒ１１Ｏ−、−Ｒ１１ＮＨ−、−Ｃ（Ｏ）−、−Ｃ（Ｏ）ＮＨ−、−Ｒ１１ＮＨＣ（Ｏ）ＮＨ−または−Ｃ（Ｏ）ＮＨＣ（Ｏ）−であり；Ｒ１２は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換されたフェニル、およびアリール置換されたＣ２〜Ｃ４０アルキルから選択される置換アルキルまたは置換されていないアルキルである；
請求項２１に記載のヘアケア組成物。
【請求項２８】
Ｒ１１およびＲ１２は、ヒドロキシル、アルコキシルおよびハロゲンから選択される１つ以上の置換基を含む、請求項２７に記載の組成物。
【請求項２９】
前記会合性ビニルモノマーが、セチルポリエトキシル化メタクリレート、セテアリルポリエトキシル化メタクリレート、ステアリルポリエトキシル化（メタ）アクリレート、アラキジルポリエトキシル化（メタ）アクリレート、ベヘニルポリエトキシル化メタクリレート、ラウリルポリエトキシル化メタクリレート、セロチルポリエトキシル化（メタ）アクリレート、モンタニルポリエトキシル化（メタ）アクリレート、メリシルポリエトキシル化（メタ）アクリレート、ラクセリルポリエトキシル化（メタ）アクリレート、トリスチリルフェノールポリエトキシル化メタクリレート、水素化ヒマシ油ポリエトキシル化メタクリレート、キャノーラポリエトキシル化（メタ）アクリレートおよびコレステロールポリエトキシル化メタクリレートから選択され、該モノマーのポリエトキシル化部分は、５個〜１００個のエチレンオキシド繰り返し単位を含有する、請求項２７または２８に記載の組成物。
【発明の詳細な説明】
【技術分野】
【０００１】
（発明の分野）
本発明は、エチレン性不飽和部分を含有する重合可能なジメチコーンコポリオールマクロマー、およびこのマクロマーから得られるポリマーに関する。エチレン重合可能なマクロマーは、末端または側鎖にヒドロキシル基を含有するジメチコーンコポリオールおよび無水イタコン酸の反応から得られる。この得られたマクロマーは、ホモポリマー化可能であるか、またはエチレン性不飽和モノマーと共重合可能であり、このようにして調製したポリマーは、種々の産業、ホームケアおよびパーソナルケアへの適用に有用である。
【背景技術】
【０００２】
（背景）
ポリジメチルシロキサンとして知られるある種のケイ素含有ポリマーは、コーティング業界およびパーソナルケア業界で広く使用されている。コーティング配合物では、ポリジメチルシロキサンおよびその誘導体は、表面性能を全体的に改変し、撥水性および撥油性、耐汚染性、バリア性、界面活性特性および潤滑性を与えるために、広く使用されるようになってきている。パーソナルケア配合物では、ポリジメチルシロキサンおよびその誘導体（特にジメチコーンコポリオール）の使用は、所与の組成物に界面活性特性および優れた感覚的な特性を与えるために広く許容されている。
【０００３】
ジメチコーンコポリオールを組成物に組み込んで、上述の配合物の物理的特性を向上させる試みは、限定された範囲でのみ成功している。これらのポリジメチルシロキサン誘導体は、極性ポリマーおよび／またはコーティング組成物およびパーソナルケア組成物に典型的に含有される他の成分に不相溶性であることが多かった。多くの場合、長期間保存する際に鍵となる成分の相分離が起こらないように、コーティング業界およびパーソナルケア業界で典型的に使用されるポリジメチルシロキサン誘導体およびアニオン性ポリマーおよびカチオン性ポリマーを相溶性にするのに、補助添加剤を使用しなければならない。
【０００４】
従って、配合物のシリコーン成分およびポリマー成分を相溶性にするために、ポリジメチルシロキサン誘導体を標的ポリマー骨格に共有結合によって組み込むために努力がはらわれた。特許文献１は、ジメチコーンコポリオール存在下、遊離ラジカル機構によってエチレン性不飽和モノマーを重合することによって得られる、シリコーン含有ポリマーを開示している。この開示内容は、重合反応中に、上述のモノマーをジメチコーンコポリオールに接合していると推測している。しかし、この開示内容から、どの程度まで（存在する場合）、ジメチコーンコポリオールがポリマー骨格に共有結合しているのか、またはジメチコーンコポリオールおよび遊離ラジカル重合したモノマーのインターポリマーが生成しているのかは、明らかではない。ポリヒドロキシカルビノール化合物の場合、連鎖移動が起こると遊離ラジカル重合にとって大きな問題になることが多く、上述の化合物と他のエチレン性不飽和モノマーとの有効な共重合を妨げることがある。
【０００５】
別のアプローチでは、末端に不飽和部分を含有するシリコーン含有マクロマーは、ヘキサメチルシクロトリシロキサンモノマー（Ｄ３）のアニオン重合によって、分子量を制御したリビングポリマーを生成することによって合成される。アニオン重合反応の停止は、リビングポリマーのアニオンと、ハロゲン含有停止剤（例えば、重合可能なビニル基を含有するクロロシラン化合物）とが直接反応することによって達成される。マクロマーを含有し、ビニル末端シロキサンが得られ、このシロキサンを、他の共重合可能な不飽和モノマーと重合させ、特許文献２および特許文献３に開示されるようなシリコーン含有コポリマーを得ることができる。しかし、これらのマクロマーの合成は非常に困難であり、比較的高分子量のマクロマーが得られるため、反応生成物から未反応の不純物を分離することは難しい。
【０００６】
特許文献４には、アクリル酸をヒドロキシル末端ジメチコーンコポリオールでエステル化することによって合成されるビニル末端ジメチコーンコポリオールマクロマーが予言的に開示されている。反応マスを１４０〜１８０℃に加熱し、この開示内容では、この意図的に得たビニル含有シリコーンエステルを、さらに重合することなく共重合する。周知のように、カルボン酸とアルコールとのエステル化反応は、オリゴマー基質またはポリマー基質では反応速度が遅く、収率も中程度である。さらに、アクリル酸化学分野では、この非常に反応性のモノマーが、熱によって誘発されるイオン機構によって室温で自然に二量化することは周知であり、この反応では、カルボン酸基から水素が脱離してカルボン酸アニオンを生成し、Ｍｉｃｈａｅｌ型付加によってアクリル酸が付加して二量体が得られる。この現象は、温度が上昇するとかなり促進される。’４７２特許に報告されている反応温度では、出発物質のアクリル酸は素早く二量化し、全量ではないが、この反応剤のほとんどが消費されてしまい、複雑な生成物の混合物を与える。特許文献４に開示されている反応温度では、カルボン酸とアルコールとのエステル化反応がゆっくり起こり、アクリル酸が迅速にオリゴマー化するため、目的の生成物を得ることは困難であると思われる。いくつかの生成物が生成する場合でも、その生成は困難であり、時間がかかり、反応マスから所望の生成物を分離するにはコストがかかる。
【０００７】
ジメチコーンコポリオールをビニル末端基で官能基化する従来のエステル化手順は、酸塩化物（例えば塩化アクリロイル）とジメチコーンコポリオールとを反応させ、塩基を使用して遊離ＨＣｌを除去するものである。塩化アクリロイルを使用すると、特許文献４に開示されているような、アクリル酸を使用した場合に起こる自然発生的なオリゴマー化の問題を排除できる。しかし、エステル化反応の副生成物として、塩が生成する。マクロマーから塩を除去するのはそれほど困難ではないが、その後にマクロマーを重合する際に悪影響を与えることがある。
【０００８】
上述のマクロマーを合成する際に直面する問題に加え、上述のアクリル酸型マクロマーの重合活性は、末端ビニル基中の炭素−炭素不飽和部分がそれほど立体的に障害がないという性質により、ポリマー骨格に共重合させるコモノマーの重合活性とよく似ている。コポリマーの構造を変え、コポリマーの物理的性質および化学的性質を変えるためのアプローチとして、モノマーの反応性を変えることがよく行われている。
【特許文献１】米国特許第６，４０３，０７４号明細書
【特許文献２】米国特許第４，６９３，９３５号明細書
【特許文献３】米国特許第４，７２８，５７１号明細書
【特許文献４】米国特許第５，１６２，４７２号明細書
【発明の開示】
【課題を解決するための手段】
【０００９】
従って、合成および精製が容易で、共重合中に柔軟な重合活性を示し、所望の性質を有するコポリマーを生成する、新規シリコーン含有マクロマーが必要とされている。本願発明者らは、元来の、容易に重合可能なイタコン酸部分含有化合物を調製するための反応によって、予想できないシリコーンマクロマーを開示した。
【００１０】
本発明は、容易に合成され、共重合して所望の性質を有する生成物を得ることができる、予想できない重合活性を有するジメチコーンコポリオールマクロマーを提供する。本発明のコポリオールマクロマーは、ジメチコーンコポリオールおよび無水イタコン酸の反応から合成される。ジメチコーンコポリオールは、末端または側鎖にポリエーテル基を含有し、末端に活性ヒドロキシル基を含有する。ヒドロキシシリコーン化合物（例えばジメチコーンコポリオール）と環状酸無水物との反応が知られている。米国特許第３，５６０，５４４号および同第５，２９６，６２５号に開示されているように、コポリオールの活性ヒドロキシル基と酸無水物との反応により、酸無水物のコポリオールハーフエステルが得られる。これらの特許は、ジメチコーンコポリオールと種々の環状酸無水物（オレフィン性不飽和無水マレイン酸を含む）との反応を開示しているが、環外のオレフィン性不飽和部分を含有する酸無水物の使用は、記載もされていないし、示唆もされていない。さらに、’５４４特許は、誘導体化されたシリコーンポリマーを、界面活性剤、湿潤剤、洗剤、乳化剤または繊維潤滑剤として使用しており、’６２５特許には、処理された基材に柔軟性および潤滑性を付与し、得られたエステルが布地およびパーソナルケアへの適用に有用であることが開示されている。これらの開示内容には、ヒドロキシシリコーンと、任意の種類の不飽和物を含有する酸無水物との反応生成物を、ポリマーおよびコポリマーの合成において重合可能なマクロマーとして使用可能であるという教示も示唆もない。
【００１１】
予想できないことに、無水イタコン酸（環外の不飽和物を含有する）とジメチコーンコポリオールとの反応から得られたハーフエステルは、無水イタコン酸から無水シトラコン酸に迅速に異性化し、次いで無水シトラコン酸とシリコーンコポリオールとが反応して、シトラコン酸モノエステルの種々の異性体混合物が得られるということがわかった。さらに驚くべきことに、このようにして得られたマクロマーのシトラコン酸部分のオレフィン性二重結合は、三置換によって立体的に混み合っており、三置換オレフィンは有用な速度で簡単に遊離ラジカル重合しないため、本願発明者らは、シトラコン酸ジメチコーンコポリオールエステルが、遊離ラジカル重合可能なオレフィン性不飽和部を含有する種々のモノマーと容易に共重合することを発見した。エチレン性不飽和シリコーンコポリマーエステルの調製において、この事実は、新しく、予想できないものである。無水イタコン酸は、アルコールと反応して、予想されるイタコン酸エステルを生成することが知られている。
【発明を実施するための最良の形態】
【００１２】
本発明のジメチコーンコポリオールマクロマーは、無水イタコン酸が異性化し、異性化生成物とヒドロキシ含有ジメチコーンコポリオールとがエステル化することによって得られる。無水イタコン酸は、以下の構造に示されるように、環外に不飽和部を含有する。
【００１３】
【化１０】
0005558721.tif 000002
この環外の不飽和部は、環炭素原子とアルキリデンとの間の炭素−炭素二重結合として示され、例えばメチレン基である。
【００１４】
ジメチコーンコポリオール（ＤＭＣ−ＯＨ）および無水イタコン酸を含む反応媒体では、無水イタコン酸は、ほぼ瞬時に無水シトラコン酸に異性化し、コポリオールと反応してシトラコン酸ジメチコーンコポリオールエステル（およびその位置異性体および立体異性体）が得られる。イタコン酸エステルの少量の位置異性体も生成する。例示的な一般反応スキームを以下に示す。
【００１５】
【化１１】
0005558721.tif 000003
イタコン酸エステルの少量生成物（生成した全エステルの１０重量％未満）は、無水シトラコン酸と無水イタコン酸との平衡によって生成する。
【００１６】
ＤＭＣ−ＯＨによって表されるジメチコーンコポリオールは、酸無水物反応性の１個以上のヒドロキシル基が、ジメチコーン骨格の末端またはジメチコーン骨格の１個以上の側鎖の一部分に存在することを述べておくべきである。代表的なジメチコーンコポリオールは、式Ｉおよび式ＩＩで示される。
【００１７】
エステル化反応は、触媒存在下または触媒非存在下で行なうことができる。触媒を使用せずにエステル化反応を行なう場合、反応混合物を約７５℃〜約９０℃の反応温度まで加熱する。化学量論量のジメチコーンコポリオール（ＯＨ数に基づく）および酸無水物を用いるか、またはいずれかの反応剤を過剰に用いて、反応を行なうことができる。本発明の一実施形態では、反応混合物中のジメチコーンコポリオールに対する酸無水物の量は、ジメチコーンコポリオールのＯＨ数に基づいて０．１当量〜１当量である。別の実施形態では、ジメチコーンコポリオールに対する酸無水物の量は、コポリオールのＯＨ数に基づいて０．２５当量〜０．７５当量であり、さらに別の実施形態では、ジメチコーンコポリオールに対する酸無水物の量は、０．５当量〜０．７５当量である。反応は１〜３時間行なうことができる。反応は、窒素ブランケットのような窒素雰囲気下で行なうことができ、適切な溶媒中で行なうことができる。
【００１８】
エステル化触媒存在下で反応を行なう場合、反応速度は顕著に速くなる。標準的なエステル化触媒は、反応混合物中の酸無水物およびジメチコーンコポリオールの重量を基準として、０．０５％〜０．５０％の濃度である。適切なエステル化触媒としては、限定されないが、硫酸、スズ元素、亜鉛元素、チタン元素、有機チタン酸化合物、有機スズ化合物、有機亜鉛化合物、酸化亜鉛、酸化マグネシウム、酸化カルシウム、酸化スズ、およびアルカリ金属酢酸塩（例えば、酢酸ナトリウムおよび酢酸カリウム）が挙げられる。反応温度は、周囲の室温〜約９０℃の範囲であってよい。典型的な周囲の室温は、約２０℃〜約２６℃である。あらゆる他の反応条件は、触媒を使用しない反応について上述のものと同じである。
【００１９】
本発明の別の実施形態では、無水イタコン酸の代わりに、二重結合上にメチル置換基を有する無水シトラコン酸をエステル化反応で使用することができる。
【００２０】
本発明の一実施形態では、エステル化反応に適したジメチコーンコポリオールは、末端ヒドロキシ基を含有し、式Ｉによって表すことができる。
【００２１】
【化１２】
0005558721.tif 000004
式中、Ｒ１およびＲ２は独立して、Ｃ１〜Ｃ３０アルキル、Ｃ１〜Ｃ２０ハロ置換アルキル（例えば、−ＣＣｌ３、−ＣＢｒ３、ＣＦ３）、Ｃ３〜Ｃ８シクロアルキル、Ｃ６〜Ｃ１４アリール、Ｃ２〜Ｃ２０アルケニルから選択されるラジカルを表し；Ｅは二価エチレンラジカル（−ＣＨ２ＣＨ２−）を表し；Ｐは独立して、二価プロピレンラジカル（−ＣＨ２ＣＨ（ＣＨ３）−）または（−ＣＨ２ＣＨ２ＣＨ２−）を表し；ａ、ｂおよびｃは独立して、０〜１００であり；ｎは０〜２００である。Ｅは、Ｅが結合している酸素原子とともにエチレンオキシド残基（ＥＯまたはＯＥ）を表し、Ｐは、Ｐが結合している酸素原子とともにプロピレンオキシド残基（ＰＯまたはＯＰ）を表す。ＥＯ／ＰＯ残基は、ランダム、非ランダムおよびブロック状の順序（ｏｒｄｅｒ）で配置していてもよい。この章および本明細書全体で使用される場合、ハロゲンおよびハロとの用語は、限定されないが、ブロモ、クロロおよびフルオロを含む。
【００２２】
例示的なＲ１基およびＲ２基としては、限定されないが、メチル、エチル、プロピル、ブチル、ペンチル、ヘキシル、シクロペンチル、シクロヘキシル、フェニル、ビニルおよびアリルが挙げられる。上述の基および上述の包括的なＲ１基およびＲ２基は、必要に応じて、Ｃ１〜Ｃ５アルキル、ハロゲンおよびハロ（Ｃ１〜Ｃ５）アルキル（例えば、−ＣＣｌ３、−ＣＢｒ３、ＣＦ３）で置換されている。
【００２３】
本発明の一実施形態では、エステル化反応に適したジメチコーンコポリオールは、ヒドロキシ基を側鎖に含有し、式ＩＩによって表すことができる。
【００２４】
【化１３】
0005558721.tif 000005
式中、Ｒ３は、Ｃ１〜Ｃ３０アルキル、ハロ（Ｃ１〜Ｃ２０）置換アルキル（例えば、−ＣＣｌ３、−ＣＢｒ３、ＣＦ３）、Ｃ３〜Ｃ８シクロアルキル、Ｃ６〜Ｃ１４アリールおよびＣ２〜Ｃ２０アルケニルから選択されるラジカルを表し；Ｒ４は、独立して、Ｃ１〜Ｃ３０アルキル、Ｃ６〜Ｃ１４アリールおよびＣ２〜Ｃ２０アルケニルから選択されるラジカルを表し；ＥＯ（ＯＥ）およびＰＯ（ＯＰ）は、上に定義されるようなエチレンオキシド残基およびプロピレンオキシド残基を表し；ａ、ｂおよびｃは独立して０〜１００であり；ｘは０〜２００であり、ｙは１〜２００である。ＥＯ／ＰＯ残基は、ランダム、非ランダムおよびブロック状の順序で配置していてもよい。
【００２５】
例示的なＲ３基としては、限定されないが、メチル、エチル、プロピル、ブチル、ペンチル、ヘキシル、シクロペンチル、シクロヘキシル、フェニル、ビニルおよびアリルが挙げられる。上述の基および上述の包括的なＲ３基は、必要に応じて、Ｃ１〜Ｃ５アルキル、ハロゲンおよびハロ（Ｃ１〜Ｃ２０）アルキル（例えば、−ＣＣｌ３、−ＣＢｒ３、ＣＦ３）で置換されている。
【００２６】
例示的なＲ４基としては、限定されないが、メチル、フェニルおよびビニルが挙げられる。上述の基および上述の包括的なＲ４基は、必要に応じて、Ｃ１〜Ｃ５アルキル、ハロゲンおよびハロ（Ｃ１〜Ｃ２０）アルキル（例えば、−ＣＣｌ３、−ＣＢｒ３、ＣＦ３）で置換されている。
【００２７】
エステル化に適した例示的なジメチコーンコポリオール反応物質は、米国特許第５，１３６，０６３号および同第５，１８０，８４３号に開示されており、この開示内容は、本明細書に参考として組み込まれる。さらに、ジメチコーンコポリオールは、Ｓｉｌｓｏｆｔ（登録商標）およびＳｌｉｗｅｔ（登録商標）という商品名でＧｅｎｅｒａｌ  Ｅｌｅｃｔｒｉｃ  Ｃｏｍｐａｎｙ（ＧＥ−ＯＳｉ）から市販されている。特定の商品名としては、限定されないが、Ｓｉｌｓｏｆｔ  ３０５、４３０、４７５、８１０、８９５、Ｓｉｌｗｅｔ  Ｌ  ７６０４（ＧＥ−ＯＳＯ）およびＤＣ  ５１０３（Ｄｏｗ  Ｃｏｒｎｉｎｇ  Ｃｏｒｐｏｒａｔｉｏｎ）が挙げられる。
【００２８】
式Ｉのジメチコーンコポリオールのエステル化を示す、例示的な反応スキームを以下に示す：
【００２９】
【化１４】
0005558721.tif 000006
式中、ＲおよびＲ’は独立して、水素および式：
【００３０】
【化１５】
0005558721.tif 000007
で表される環状酸無水物残基（ハーフエステル）およびそのあらゆる異性体を表し；但し、ＲおよびＲ’の両方が同時に水素を表すことはなく；Ｒ１、Ｒ２、ＥＯ、ＯＥ、ＰＯ、ＯＰ、ａ、ｂ、ｃおよびｎは上に定義されるとおりである。式ＩＩＩで表される反応生成物は、位置異性体および立体異性体（異性体）を含む、ジメチコーンコポリオールのシトラコン酸塩およびイタコン酸塩の混合物を含有する。
【００３１】
式ＩＩのジメチコーンコポリオールのエステル化を示す、例示的な反応スキームを以下に示す：
【００３２】
【化１６】
0005558721.tif 000008
式中、Ｒ’は上に定義されるような環状酸無水物残基であり、Ｒ１、Ｒ２、Ｒ３、Ｒ４、ＥＯ、（ＯＥ）、ＰＯ、（ＯＰ）、ａ、ｂ、ｃ、ｘおよびｙは上に定義されるとおりであり、ｚは、ｙ以下である。式ＩＶで表される反応生成物は、異性体を含む、ジメチコーンコポリオールのシトラコン酸塩（主要成分）およびイタコン酸塩（少量成分）の混合物を含有する。
【００３３】
驚くべきことに、式ＩＩＩおよびＩＶのジメチコーンコポリオールシトラコン酸塩（Ｒ基およびＲ’基がオレフィン性不飽和部分を含有する）が容易に重合することを発見した。ジメチコーンコポリオールおよび無水マレイン酸から生成したハーフエステルが、種々の共重合可能なモノマーと重合可能であることも発見した。
【００３４】
本発明の一実施形態では、重合可能なジメチコーンコポリオールマクロマーは、以下の構造を有する：
【００３５】
【化１７】
0005558721.tif 000009
式中、Ｒ１、Ｒ２、Ｒ３、Ｒ４、ＥＯ（ＯＥ）、ＰＯ（ＯＰ）、ａ、ｂ、ｃ、ｎ、ｘ、ｙおよびｚは上に定義されるとおりであり；Ｒ５およびＲ６は独立して、水素およびメチルから選択されるが、但し、Ｒ５およびＲ６は同時にメチルを表すことはなく；Ｒ’は、水素であるか、または以下の構造によって表される基を表す：
【００３６】
【化１８】
0005558721.tif 000010
式中、Ｒ５およびＲ６は上に定義されるとおりである。一実施形態では、上式のＲ５およびＲ６のうち少なくとも１つはメチルである。
【００３７】
本発明の一実施形態では、式ＩＩＩ、ＩＩＩａ、ＩＶおよびＩＶａで記載されるジメチコーンコポリオールマクロマーは、遊離ラジカル重合可能である。コポリオールマクロマーはホモ重合可能であり、星状、櫛状、ブラシ状および／または花状のポリマーを合成するためのビルディングブロックとして使用されるか、または共重合可能であり、遊離ラジカル重合可能なエチレン性不飽和モノマーと反応し、アーム状、枝状、熊手状、櫛状のグラフトコポリマーのような十分に定義された構造を設計するためのビルディングブロックとして利用することができる。エチレン性不飽和とは、モノマーが少なくとも１つの重合可能な炭素−炭素二重結合を含有することを意味する。本発明のマクロマーは、特定のポリマー骨格にジメチコーンコポリオールに特有の性質を付与するために、ポリマー合成に使用することができる。このようなポリマーは、柔軟性、潤滑性、固定性、耐湿性、撥水性、光沢、表面改質および界面活性剤特性などをもたらすような、パーソナルケア、布地処方物および産業処方物を含む種々の適用に有用である。
【００３８】
一実施形態では、本発明のポリマーは、以下のものを含むモノマー混合物から重合させることができる（モノマー合計重量を基準とする）：（ａ）上述の式ＩＩＩ、ＩＩＩａ、ＩＶおよびＩＶａから選択される少なくとも１つのジメチコーンコポリオールマクロマー約０．１〜１００重量％；（ｂ）非イオン性モノマー０〜９９．９重量％；（ｃ）少なくとも１つの酸性ビニルモノマー０〜９９．９重量％；（ｄ）少なくとも１つのカチオン性ビニルモノマー０〜９９．９重量％；（ｅ）少なくとも１つの会合性ビニルモノマー０〜９９．９重量％；（ｆ）少なくとも１つの半疎水性ビニルモノマー０〜９９．９重量％；および（ｇ）架橋モノマー０〜５重量％。重合可能なモノマー混合物で使用する各モノマーの量および選択は、ポリマー生成物の所望の性質による。ジメチコーンコポリオールマクロマーと共重合可能な適するモノマーを以下に記載する。重合可能なモノマー混合物を構成する種々のモノマー成分について、本発明の選択された実施形態の場合で種々の重複した重量範囲が記されているが、モノマー混合物中の各モノマー成分の特定の量は、その開示された範囲から、重合可能なモノマー混合物中の全モノマー成分の合計量が１００重量％になるように、各モノマーの所望の量が調整されるように選択されることが容易に明らかである。
【００３９】
上述のポリマーは、必要に応じて、ポリマー分野で周知の１つ以上の連鎖移動剤を含むモノマー混合物から調製することができる。
【００４０】
用語「ハロゲン置換」、「ヒドロキシ置換」、「カルボキシ置換」、「ポリオキシアルキレン置換」、「アルキル置換」および「アリール置換」は、本明細書で使用される場合、アルキル基またはアリール基などを参照して、アルキル基、アリール基などの少なくとも１つの水素原子が、それぞれ少なくとも１つのハロゲン原子、ヒドロキシル基、カルボキシル基、ポリオキシアルキレン基、アルキル基またはアリール基と交換されることを意味する。本明細書で使用される場合、用語「（メタ）アクリル」酸、「（メタ）アクリレート」および「（メタ）アクリルアミド」は、アクリル酸、アクリル酸アルキルおよびアクリルアミドの対応するメチル誘導体を含むことを意味する。例えば、「（メタ）アクリル」酸は、アクリル酸および／またはメタクリル酸を指し、「（メタ）アクリレート」は、アクリル酸アルキルおよび／またはメタクリル酸アルキルを指し、「（メタ）アクリルアミド」は、アクリルアミドおよび／またはメタクリルアミド誘導体を指す。
【００４１】
（非イオン性ビニルモノマー）
本発明で使用するのに適した非イオン性ビニルモノマーは、当該技術分野で周知の共重合可能な非イオン性エチレン性不飽和モノマーである。一実施形態では、非イオン性モノマーは、式：
【００４２】
【化１９】
0005558721.tif 000011
のいずれかを有する化合物であり、式中、式（Ｖ）および（ＶＩ）それぞれにおいて、ＸはＨまたはメチルであり；Ｚは−Ｃ（Ｏ）ＯＲ８、−Ｃ（Ｏ）ＮＨ２、−Ｃ（Ｏ）ＮＨＲ８、−Ｃ（Ｏ）Ｎ（Ｒ８）２、−Ｃ６Ｈ４Ｒ８、−Ｃ６Ｈ４ＯＲ８、−Ｃ６Ｈ４Ｃｌ、−Ｃ６Ｈ１１、−Ｃ６Ｈ７（Ｒ８）（Ｒ８）（Ｒ８）（例えば、三置換シクロヘキシル）、−ＣＮ、−ＮＨＣ（Ｏ）ＣＨ３、−ＮＨＣ（Ｏ）Ｈ、Ｎ−（２−ピロリドニル（ｐｙｒｒｏｌｉｄｏｎｙｌ））、Ｎ−カプロラクタミル（ｃａｐｒｏｌａｃｔａｍｙｌ）、−Ｃ（Ｏ）ＮＨＣ（ＣＨ３）３、−Ｃ（Ｏ）ＮＨＣＨ２ＣＨ２−Ｎ−エチレン尿素、−Ｓｉ（Ｒ７）３、−Ｃ（Ｏ）Ｏ（ＣＨ２）ｘＳｉ（Ｒ７）３、−Ｃ（Ｏ）ＮＨ（ＣＨ２）ｘＳｉ（Ｒ７）３または−（ＣＨ２）ｘＳｉ（Ｒ７）３であり；ｘは約１〜約６の範囲の整数であり；Ｒ７は独立して、直鎖および分枝鎖のＣ１〜Ｃ１８アルキルであり；Ｒ８はそれぞれ独立して、直鎖および分枝鎖のＣ１〜Ｃ３０アルキル、ヒドロキシ置換されたＣ２〜Ｃ３０アルキルおよびハロゲン置換されたＣ１〜Ｃ３０アルキルである。
【００４３】
適切な非イオン性モノマーの非限定例としては、Ｃ１〜Ｃ３０アルキル（メタ）アクリレート；シクロヘキシル（メタ）アクリレート；３，３，５−トリメチルシクロヘキシル（メタ）アクリレート（ＴＭＣＨＭＡ）；Ｃ１〜Ｃ３０アルキル（メタ）アクリルアミド；スチレン；置換スチレン、例えば、ビニルトルエン（例えば、２−メチルスチレン）、ブチルスチレン、イソプロピルスチレン、ｐ−クロロスチレンなど；ビニルエステル、例えば、酢酸ビニル、ブタン酸ビニル、ビニルカプロレート、ピバル酸ビニル、ネオデカン酸ビニルなど；不飽和ニトリル、例えば、メタクリロニトリル、アクリロニトリルなど；不飽和シラン、例えば、トリメチルビニルシラン、ジメチルエチルビニルシラン、アリルジメチルフェニルシラン、アリルトリメチルシラン、３−アクリルアミドプロピルトリメチルシラン、３−トリメチルシリルプロピルメタクリレートなどが挙げられる。適切な水溶性非イオン性モノマーの非限定例は、Ｃ１〜Ｃ６ヒドロキシアルキル（メタ）アクリレート、例えば、２−ヒドロキシエチルメタクリレート（ＨＥＭＡ）、２−ヒドロキシエチルアクリレート（２−ＨＥＡ）、３−ヒドロキシプロピルアクリレート；グリセロールモノ（メタ）アクリレート；トリス（ヒドロキシメチル）エタンモノ（メタ）アクリレート；ペンタエリスリトールモノ（メタ）アクリレート；Ｎ−ヒドロキシメチル（メタ）アクリルアミド；２−ヒドロキシエチル（メタ）アクリルアミド；３−ヒドロキシプロピル（メタ）アクリルアミド；（メタ）アクリルアミド；ｔ−オクチル（メタ）アクリルアミド；Ｎ−（２，３−ジヒドロキシプロピル）アクリルアミド；ｔ−ブチル（メタ）アクリルアミド；Ｎ−ビニルカプロラクタム；Ｎ−ビニルピロリドン；メタクリルアミドエチル−Ｎ−エチレン尿素（例えば、ＣＨ２＝Ｃ（ＣＨ３）Ｃ（Ｏ）ＮＨＣＨ２ＣＨ２−Ｎ−エチレン尿素）、Ｃ１〜Ｃ４アルコキシ置換（メタ）アクリレートおよび（メタ）アクリルアミド、例えば、メトキシエチル（メタ）アクリレート、２−（２−エトキシエトキシ）エチル（メタ）アクリレートなど；およびこれらの組み合わせが挙げられる。
【００４４】
他の有用な非イオン性ビニルモノマーとしては、アリルアルコール、グリセロールモノアリルエーテル、３−メチル−３−ブテン−１−オールおよびビニルアルコール前駆体および等価体（例えば酢酸ビニル）が挙げられる。
【００４５】
（酸性ビニルモノマー）
本発明で使用するのに適した酸性ビニルモノマーは、酸性の重合可能なエチレン性不飽和モノマーであり、好ましくは、少なくとも１つのカルボン酸、スルホン酸基またはホスホン酸基を含有し、酸性またはアニオン性の官能部位を提供するものである。これらの酸性基は、一塩基酸または二塩基酸、ジカルボン酸の無水物、二塩基酸のモノエステルおよびその塩から誘導することができる。
【００４６】
酸性ビニルカルボン酸を含有する適切なモノマーとしては、限定されないが、アクリル酸、メタクリル酸、イタコン酸、シトラコン酸、マレイン酸、フマル酸、クロトン酸、アコニット酸など、およびマレイン酸、フマル酸、イタコン酸またはアコニット酸のＣ１〜Ｃ１８アルキルモノエステル、例えば、マレイン酸水素メチル、マレイン酸モノイソプロピル、フマル酸水素ブチルなどが挙げられる。ジカルボン酸の無水物、例えば、無水マレイン酸、無水イタコン酸、無水シトラコン酸なども酸性ビニルモノマーとして使用することができる。このような酸無水物は、一般的に、水に長時間接触させるか、高ｐＨ状態では加水分解して対応する二塩基酸を生じる。
【００４７】
スルホン酸基を含有する適切なモノマーとしては、限定されないが、ビニルスルホン酸、２−スルホエチルメタクリレート、スチレンスルホン酸、２−アクリルアミド−２−メチルプロパンスルホン酸（ＡＭＰＳ）、アリルオキシベンゼンスルホン酸などが挙げられる。スチレンスルホン酸ナトリウム塩（ＳＳＳＡ）およびＡＭＰＳが特に好ましい。
【００４８】
適切なホスホン酸基含有モノマーの非限定例としては、ビニルホスホン酸、アリルホスホン酸、３−アクリルアミドプロピルホスホン酸などが挙げられる。
【００４９】
適切な塩としては、これらに限定されないが、アルカリ金属塩、例えば、ナトリウム塩、カリウム塩およびリチウム塩；アルカリ土類金属塩、例えば、カルシウム塩およびマグネシウム塩；アンモニウム塩；およびアルキル置換されたアンモニウム塩、例えば、２−アミノ−２−メチル−１−プロパノール（ＡＭＰ）、エタノールアミン、ジエタノールアミン、トリエタノールアミン、トリエチルアミンなどの塩が挙げられる。
【００５０】
上述のモノマーまたはその塩の２つ以上の混合物を酸性ビニルモノマー成分として使用することができる。
【００５１】
（カチオン性ビニルモノマー）
共重合に適したカチオン性ビニルモノマーは、塩基性の重合可能なエチレン性不飽和モノマーであり、好ましくは、少なくとも１つのアミノ官能基を含有するモノマーである。これらの塩基性アミノ基は、モノアミノアルキル基、ジアミノアルキル基またはポリアミノアルキル基または窒素含有ヘテロ芳香族基から誘導することができる。上述のアミノ基は、一級アミン、二級アミンまたは三級アミンを含むことができる。上述のモノマーは、所望な場合、アミノ形態または塩形態で使用することができる。
【００５２】
適切なカチオン性モノマーの非限定例は、モノ−（Ｃ１〜Ｃ４）アルキルアミノ（Ｃ１〜Ｃ８）アルキル（メタ）アクリレート、ジ−（Ｃ１〜Ｃ４）アルキルアミノ（Ｃ１〜Ｃ８）アルキル（メタ）アクリレート、モノ−（Ｃ１〜Ｃ４）アルキルアミノ（Ｃ１〜Ｃ８）アルキル（メタ）アクリルアミド、ジ−（Ｃ１〜Ｃ４）アルキルアミノ（Ｃ１〜Ｃ８）アルキル（メタ）アクリルアミド、窒素含有複素環式（メタ）アクリルアミド、窒素含有複素環式（メタ）アクリレートおよびその混合物から選択することができる。
【００５３】
適切なカチオン性モノマーの特定の例としては、限定されないが、２−（Ｎ，Ｎ−ジメチルアミノ）エチル（メタ）アクリレート（ＤＭＡＥＭＡ）、３−（Ｎ，Ｎ−ジメチルアミノ）プロピル（メタ）アクリレート、４−（Ｎ，Ｎ−ジメチルアミノ）ブチル（メタ）アクリレート、（Ｎ，Ｎ−ジメチルアミノ）−ｔ−ブチル（メタ）アクリレート、２−（ｔｅｒｔ−ブチルアミノ）エチル（メタ）アクリレート（ＴＢＡＥＭＡ）、２−（Ｎ，Ｎ−ジエチルアミノ）エチル（メタ）アクリレート（ＤＥＡＥＭＡ）、３−（Ｎ，Ｎ−ジエチルアミノ）プロピル（メタ）アクリレート、２−（Ｎ，Ｎ−ジメチルアミノ）ネオペンチルアクリレート（ＤＭＡＮＰＡ）、４−（Ｎ，Ｎ−ジエチルアミノ）ブチル（メタ）アクリレート、２−（Ｎ，Ｎ−ジプロピルアミノ）エチル（メタ）アクリレート、３−（Ｎ，Ｎ−ジプロピルアミノ）プロピル（メタ）アクリレート、４−（Ｎ，Ｎ−ジプロピルアミノ）ブチル（メタ）アクリレート、３−（Ｎ，Ｎ−ジメチルアミノ）プロピル（メタ）アクリレート、２−（４−モルホリニル）エチル（メタ）アクリレート、２−（４−モルホリニル）エチルアクリレート、Ｎ’−（２−Ｎ，Ｎ−ジメチルアミノ）エチル（メタ）アクリルアミド、２−（Ｎ，Ｎ−ジメチルアミノ）プロピル（メタ）アクリルアミド（ＤＭＡＰＭＡｍ）、Ｎ’−（３−Ｎ，Ｎ−ジメチルアミノ）プロピル（メタ）アクリルアミド、Ｎ−（２−ピリジル）アクリルアミド、Ｎ−（２−イミダゾイル）（メタ）アクリルアミド、Ｎ−（４−モルホリニル）（メタ）アクリルアミド、Ｎ−（４−モルホリニル）アクリルアミド、２−ビニルピリジン、４−ビニルピリジン、Ｎ−ビニル−２−メチルイミダゾール、Ｎ−ビニルイミダゾール、Ｎ−ビニル−４−メチルイミダゾールおよびＮ−ビニルオキサゾリドンおよびその混合物が挙げられる。
【００５４】
カチオン性モノマーの適切な塩形態としては、限定されないが、鉱物酸の塩、例えば、塩酸塩、硫酸塩、Ｃ１〜Ｃ３０アルキル硫酸塩およびリン酸塩；および有機酸塩、例えば、酢酸塩、マレイン酸塩およびフマル酸塩などが挙げられる。
【００５５】
カチオン性モノマーの塩形態の非限定例としては、限定されないが、３−トリメチルアンモニウムプロピルメタクリルアミドクロリド、３−トリメチルアンモニウムプロピルアクリルアミドクロリド、Ｃ１〜Ｃ３０アルキルサルフェートを用いて四級化したＮ，Ｎ−ジメチルアミノエチルメタクリレート、塩化メチルを用いて四級化したＮ，Ｎ−ジメチルアミノエチルメタクリレート、四級化ビニルイミダゾール、メタクリロイルエチルベタインおよびメタクリロイルＮ−オキシドが挙げられる。
【００５６】
（会合性ビニルモノマー）
ポリマー合成に適した会合性ビニルモノマー（疎水性モノマー）は、混合物の他のモノマーと付加重合するためのエチレン性不飽和末端基部分（ｉ）と、選択的な親水性をポリマー生成物に付与するためのポリオキシアルキレン中央部（ｉｉ）と、選択的な疎水性をポリマーに付与するための疎水性末端基部分（ｉｉｉ）とを有する化合物である。
【００５７】
エチレン性不飽和末端基を供給する部分（ｉ）は、好ましくは、エチレン性不飽和モノカルボン酸またはジカルボン酸またはその酸無水物、さらに好ましくはＣ３またはＣ４のモノカルボン酸またはジカルボン酸またはその酸無水物から誘導される。あるいは、会合性モノマーの部分（ｉ）は、アリルエーテルまたはビニルエーテル；非イオン性ビニル置換ウレタンモノマーから誘導される（例えば米国再発行特許３３，１５６号または米国特許第５，２９４，６９２号に開示されているもの）か、またはビニル置換ウレア反応生成物から誘導され（例えば、米国特許第５，０１１，９７８号に開示されているもの）、それぞれの関連する開示内容は、本明細書に参考として組み込まれる。
【００５８】
中央部（ｉｉ）は、好ましくは、約５〜約２５０、さらに好ましくは約１０〜約１２０、最も好ましくは約１５〜約６０の繰り返しＣ２〜Ｃ７アルキレンオキシド単位を有するポリオキシアルキレン部分である。好ましい中央部（ｉｉ）としては、約５〜約１５０、さらに好ましくは約１０〜約１００、最も好ましくは約１５〜約６０のエチレンオキシド単位、プロピレンオキシド単位またはブチレンオキシド単位を有し、エチレンオキシド単位、プロピレンオキシド単位またはブチレンオキシド単位がランダム、非ランダムおよびブロック状の順序で配列したポリオキシエチレン部分、ポリオキシプロピレン部分およびポリオキシブチレン部分が挙げられる。
【００５９】
会合性モノマーの疎水性末端基部分（ｉｉｉ）は、好ましくは、以下の炭化水素の分類のうち１つに所属する炭化水素部分である：Ｃ８〜Ｃ４０直鎖アルキル、アリール置換Ｃ２〜Ｃ４０アルキル、Ｃ２〜Ｃ４０アルキル置換フェニル、Ｃ８〜Ｃ４０分枝鎖アルキル、Ｃ８〜Ｃ４０炭素環式アルキル；およびＣ８〜Ｃ８０複合エステル。複合エステルは、ポリオールと、ヒドロキシル基およびカルボキシル基の両方を含有する長鎖ヒドロキシ酸とのエステル化によって合成される。長鎖ヒドロキシ酸のカルボキシル基は、ポリオールの少なくとも１つのヒドロキシル基と反応する。次いで、長鎖ヒドロキシ酸のヒドロキシル基は、別の長鎖ヒドロキシ酸のカルボキシル基および／または別の長鎖カルボン酸のカルボキシル基と反応する。長鎖とは、ヒドロキシ酸およびカルボン酸が約１０〜３０個の炭素原子を含有することを意味する。炭素鎖は、飽和であっても不飽和であってもよい。適切なポリオールの例示的な非限定例は、グリセロール、ソルビトール、ペンタエリスリトール、トリメチロールプロパンである。ヒドロキシ酸の例示的な非限定例は、１２−ヒドロキシステアリン酸（１２−ｈｙｄｒｏｘｙ  ｓｔｅｒｉｃ  ａｃｉｄ）である。長鎖カルボン酸の例示的な非限定例は、植物油から誘導される脂肪酸および本明細書に記載される脂肪酸である。
【００６０】
会合性モノマーの疎水性末端基部分（ｉｉｉ）の適切な非限定例は、約８〜約４０個の炭素原子を有する直鎖または分枝鎖のアルキル基、例えば、カプリル（Ｃ８）、イソオクチル（分枝鎖Ｃ８）、デシル（Ｃ１０）、ラウリル（Ｃ１２）、ミリスチル（Ｃ１４）、セチル（Ｃ１６）、セテアリル（Ｃ１６〜Ｃ１８）、ステアリル（Ｃ１８）、イソステアリル（分枝鎖Ｃ１８）、アラキジル（Ｃ２０）、ベヘニル（Ｃ２２）、リグノセリル（Ｃ２４）、セロチル（Ｃ２８）、モンタニル（Ｃ２８）、メリシル（Ｃ３０）、ラクセリル（Ｃ３２）などがある。
【００６１】
天然源から誘導される約８〜約４０個の炭素原子を有する直鎖および分枝鎖のアルキル基の例としては、これらに限定されないが、水素化ピーナッツ油、大豆油およびキャノーラ油（どちらも主成分はＣ１８）、水素化タロー（Ｃ１６〜Ｃ１８）；および水素化Ｃ１０〜Ｃ３０テルペノール、例えば、水素化ゲラニオール（分枝鎖Ｃ１０）、水素化ファルネソール（分枝鎖Ｃ１５）、水素化フィトール（分枝鎖Ｃ２０）などから誘導されるアルキル基が挙げられる。
【００６２】
適切なＣ２〜Ｃ４０アルキル置換フェニル基の非限定例としては、オクチルフェニル、ノリルフェニル、デシルフェニル、ドデシルフェニル、ヘキサデシルフェニル、オクタデシルフェニル、イソオクチルフェニル、ｓｅｃ−ブチルフェニルなどが挙げられる。
【００６３】
適切なＣ８〜Ｃ４０炭素環式アルキル基としては、これらに限定されないが、動物由来ステロール、例えば、コレステロール、ラノステロール、７−デヒドロコレステロールなどから誘導される基；植物由来ステロール、例えば、植物ステロール、スチグマステロール、カンペステロールなどから誘導される基；および酵母由来のステロール、例えば、エルゴステロール、菌類ステリンなどから誘導される基が挙げられる。本発明で有用な他の炭素環式アルキルとしては、これらに限定されないが、シクロオクチル、シクロドデシル、アダマンチル、デカヒドロナフチル、および天然の炭素環式物質、例えば、ピネン、水素化レチノール、カンファー、イソボルニルアルコールなどから誘導される基が挙げられる。
【００６４】
例示的なアリール置換Ｃ２〜Ｃ４０アルキル基としては、これに限定されないが、スチリル（例えば、２−フェニルエチル）、ジスチリル（例えば、２，４−ジフェニルブチル）、トリスチリル（例えば、２，４，６−トリフェニルヘキシル）、４−フェニルブチル、２−メチル−２−フェニルエチル、トリスチリルフェノリルなどが挙げられる。
【００６５】
適切なＣ８〜Ｃ８０複合エステルの非限定例としては、水素化ヒマシ油（主成分は、１２−ヒドロキシステアリン酸トリグリセリド）；１，２−ジアシルグリセロール、例えば、１，２−ジステアリルグリセロール、１，２−ジパルミチルグリセロール、１，２−ジミリスチルグリセロールなど；糖類のジエステル、トリエステルまたはポリエステル、例えば、３，４，６−トリステアリルグルコース、２，３−ジラウリルフルクトースなど；およびソルビタンエステル、例えば、Ｒｕｆｆｎｅｒらの米国特許第４，６００，７６１号（この関連する開示内容は本明細書に参考として組み込まれる）に開示されているものが挙げられる。
【００６６】
有用な会合性モノマーは、当該技術分野で既知の任意の方法によって調製することができる。例えば、米国特許第４，４２１，９０２号（Ｃｈａｎｇら）；同第４，３８４，０９６号（Ｓｏｎｎａｂｅｎｄ）；同第４，５１４，５５２号（Ｓｈａｙら）；同第４，６００，７６１号（Ｒｕｆｆｎｅｒら）；同第４，６１６，０７４号（Ｒｕｆｆｎｅｒ）；同第５，２９４，６９２号（Ｂａｒｒｏｎら）；同第５，２９２，８４３号（Ｊｅｎｋｉｎｓら）；同第５，７７０，７６０号（Ｒｏｂｉｎｓｏｎ）；および同第５，４１２，１４２号（Ｗｉｌｋｅｒｓｏｎ，ＩＩＩら）を参照（これらの関連する開示内容は本明細書に参考として組み込まれる）。
【００６７】
会合性ビニルモノマーの例としては、式（ＶＩＩ）：  
【００６８】
【化２０】
0005558721.tif 000012
によって表されるものが挙げられ、式中、Ｒ９はそれぞれ独立して、Ｈ、Ｃ１〜Ｃ３０アルキル、−Ｃ（Ｏ）ＯＨまたは−Ｃ（Ｏ）ＯＲ１０であり；Ｒ１０はＣ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリールであり；ＥはＨまたはメチルであり；ｚは０または１であり；ｋは０〜約３０の範囲の整数であり、ｍは０または１であるが、但し、ｋが０であり、ｍが０である場合、およびｋが１〜約３０の範囲である場合、ｍは１であり；（Ｒ１１−Ｏ）ｎは、Ｃ２〜Ｃ４オキシアルキレン単位のポリオキシアルキレン（ホモポリマーまたはランダムコポリマーである）を表し、Ｒ１１は、Ｃ２Ｈ４、Ｃ３Ｈ６、Ｃ４Ｈ８またはこれらの混合物であり、ｎは約５〜約２５０、好ましくは約５〜約１００、さらに好ましくは約１０〜約８０、最も好ましくは約１５〜約６０の範囲の整数であり；Ｙは、−Ｒ１１Ｏ−、−Ｒ１１ＮＨ−、−Ｃ（Ｏ）−、−Ｃ（Ｏ）ＮＨ−、−Ｒ１１ＮＨＣ（Ｏ）ＮＨ−または−Ｃ（Ｏ）ＮＨＣ（Ｏ）−であり；Ｒ１２は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換されたフェニル、アリール置換されたＣ２〜Ｃ４０アルキルおよびＣ８〜Ｃ８０複合エステルからなる群から選択される置換アルキルまたは置換されていないアルキルであり；Ｒ１１アルキレン基およびＲ１２アルキル基は、必要に応じて、ヒドロキシル基、Ｃ１〜Ｃ５アルコキシル基およびハロゲン基から選択される１つ以上の置換基を含む。
【００６９】
式（ＶＩＩ）の会合性ビニルモノマーの特定の例としては、セチルポリエトキシル化メタクリレート（ＣＥＭ）、セテアリルポリエトキシル化メタクリレート（ＣＳＥＭ）、ステアリルポリエトキシル化（メタ）アクリレート、アラキジルポリエトキシル化（メタ）アクリレート、ベヘニルポリエトキシル化メタクリレート（ＢＥＭ）、ラウリルポリエトキシル化メタクリレート（ＬＥＭ）、セロチルポリエトキシル化（メタ）アクリレート、モンタニルポリエトキシル化（メタ）アクリレート、メリシルポリエトキシル化（メタ）アクリレート、ラクセリルポリエトキシル化（メタ）アクリレート、トリスチリルフェノールポリエトキシル化メタクリレート（ＴＥＭ）、水素化ヒマシ油ポリエトキシル化メタクリレート（ＨＣＯＥＭ）、キャノーラポリエトキシル化（メタ）アクリレートおよびコレステロールポリエトキシル化メタクリレート（ＣＨＥＭ）が挙げられ、上述のモノマーのポリエトキシル化部分が、約５〜約１００個、好ましくは約１０〜８０個、さらに好ましくは約１５〜約６０個のエチレンオキシド繰り返し単位を含有する。
【００７０】
（半疎水性ビニルモノマー）
本明細書で使用される場合、半疎水性ビニルモノマーとの用語は、（ｉ）反応混合物の他のモノマーと付加重合するためのエチレン性不飽和末端基部分と、（ｉｉ）ポリマーの疎水性基またはこのポリマーを含有する組成物中の他の物質の疎水性基の間の相互作用を弱めるためのポリオキシアルキレン部分とを有する化合物を指す。半疎水性ビニルモノマーは、上述の会合性ビニルモノマーとよく似た構造であるが、非疎水性の末端基を実質的に有しておらず、これにより、ポリマーに会合性が付与されない。
【００７１】
１つの局面では、付加重合のためのビニル末端基または他のエチレン性不飽和末端基を供給する不飽和末端基部分（ｉ）は、エチレン性不飽和モノカルボン酸またはジカルボン酸またはその酸無水物、例えば、Ｃ３またはＣ４のモノカルボン酸またはジカルボン酸またはその酸無水物から誘導される。あるいは、別の局面では、末端基部分（ｉ）は、アリルエーテル、ビニルエーテルまたは非イオン性ビニル置換ウレタンから誘導されてもよい。
【００７２】
重合可能な不飽和末端基部分（ｉ）は、少なくとも１つの遊離カルボキシ官能基を有するＣ８〜Ｃ３０不飽和脂肪酸基から誘導することもできる。このＣ８〜Ｃ３０基は、不飽和末端基部分（ｉ）の一部分であり、会合性モノマーの疎水性基の側鎖とは異なっており、会合性モノマーの不飽和末端基とは、疎水性「スペーサー」部分によって明確に区別される。
【００７３】
ポリオキシアルキレン部分（ｉｉ）は、特に、会合性モノマーの親水性部分と実質的に類似の長鎖ポリオキシアルキレン部分を含む。好ましいポリオキシアルキレン部分（ｉｉ）としては、約５〜約２５０、好ましくは約１０〜約１００のオキシアルキレン単位を含むポリオキシエチレン単位、ポリオキシプロピレン単位およびポリオキシブチレン単位が挙げられる。半疎水性ビニルモノマーが２種以上のオキシアルキレン単位を含む場合、この単位は、ランダム、非ランダムおよびブロック状の順序で配置していてもよい。
【００７４】
一実施形態では、例示的な半疎水性ビニルモノマーとしては、式（ＶＩＩＩ）または（ＩＸ）：
【００７５】
【化２１】
0005558721.tif 000013
のうち１つによって表される少なくとも１つの化合物が挙げられ、式ＶＩＩＩおよび式ＩＸそれぞれにおいて、Ｒ９、Ｒ１１、Ａ、ｋ、ｍおよびｎは上に記載されるとおりであり；Ｄは、Ｃ８〜Ｃ３０の不飽和アルキルまたはカルボキシ置換されたＣ８〜Ｃ３０の不飽和アルキルであり；Ｒ１３はＨまたはＣ１〜Ｃ４アルキルである。
【００７６】
一実施形態では、半疎水性ビニルモノマーとしては、以下の式：  
【００７７】
【化２２】
0005558721.tif 000014
を有するモノマーが挙げられ、式中、ａは、２、３または４の整数であり；ｂは、一局面では１〜約１０の範囲の整数であり、別の局面では２〜約８の範囲の整数であり、さらなる局面では約３〜約７の範囲の整数であり；ｃは、一局面では約５〜約５０の範囲の整数であり、別の局面では８〜約４０の範囲の整数であり、さらなる局面では約１０〜約３０の範囲の整数であり；ｄは、一局面では１〜約１０の範囲の整数であり、別の局面では約２〜約８の範囲の整数であり、さらなる局面では約３〜約７の範囲の整数であり；ｅは、一局面では約５〜約５０の範囲の整数であり、別の局面では約８〜約４０の範囲の整数である。
【００７８】
半疎水性ビニルモノマーの例示的な例としては、Ｃｌａｒｉａｎｔ  Ｃｏｒｐｏｒａｔｉｏｎによって販売されているＥＭＵＬＳＯＧＥＮ（登録商標）Ｒ１０９、Ｒ２０８、Ｒ３０７、ＲＡＬ１０９、ＲＡＬ２０８およびＲＡＬ３０７；Ｂｉｍａｘ，Ｉｎｃ．によって販売されているＢＸ−Ｍ−Ｅ５Ｐ５；およびＵｎｉｑｅｍａによって販売されているＭＡＸＥＭＵＬ（登録商標）５０１０および５０１１の商品名で市販されている重合可能な乳化剤およびこれらの組み合わせが挙げられる。特に好ましいＳＶＳモノマーとしては、ＥＭＵＬＳＯＧＥＮ（登録商標）Ｒ２０８、Ｒ３０７およびＲＡＬ３０７が挙げられる。
【００７９】
製造業者によれば、ＥＭＵＬＳＯＧＥＮ（登録商標）Ｒ１０９は、実験式ＣＨ２＝ＣＨ−Ｏ（ＣＨ２）４Ｏ（Ｃ３Ｈ６Ｏ）４（Ｃ２Ｈ４Ｏ）１０Ｈを有するランダムにエトキシル化／プロポキシル化した１，４−ブタンジオールビニルエーテルであり；ＥＭＵＬＳＯＧＥＮ（登録商標）Ｒ２０８は、実験式：ＣＨ２＝ＣＨ−Ｏ（ＣＨ２）４Ｏ（Ｃ３Ｈ６Ｏ）４（Ｃ２Ｈ４Ｏ０）２０Ｈを有するランダムにエトキシル化／プロポキシル化した１，４−ブタンジオールビニルエーテルであり；ＥＭＵＬＳＯＧＥＮ（登録商標）Ｒ３０７は、実験式：ＣＨ２＝ＣＨ−Ｏ（ＣＨ２）４Ｏ（Ｃ３Ｈ６Ｏ）４（Ｃ２Ｈ４Ｏ）３０Ｈを有するランダムにエトキシル化／プロポキシル化した１，４−ブタンジオールビニルエーテルであり；ＥＭＵＬＳＯＧＥＮ（登録商標）ＲＡＬ１０９は、実験式ＣＨ２＝ＣＨＣＨ２Ｏ（Ｃ３Ｈ６Ｏ）４（Ｃ２Ｈ４Ｏ）１０Ｈを有するランダムにエトキシル化／プロポキシル化したアリルエーテルであり；ＥＭＵＬＳＯＧＥＮ（登録商標）ＲＡＬ２０８は、実験式ＣＨ２＝ＣＨＣＨ２Ｏ（Ｃ３Ｈ６Ｏ）４（Ｃ２Ｈ４Ｏ）２０Ｈを有するランダムにエトキシル化／プロポキシル化したアリルエーテルであり；ＥＭＵＬＳＯＧＥＮ（登録商標）ＲＡＬ３０７は、実験式ＣＨ２＝ＣＨＣＨ２Ｏ（Ｃ３Ｈ６Ｏ）４（Ｃ２Ｈ４Ｏ）３０Ｈを有するランダムにエトキシル化／プロポキシル化したアリルエーテルであり；ＭＡＸＥＭＵＬ（登録商標）５０１０は、カルボキシ官能化されたＣ１２〜Ｃ１５アルケニル疎水性物質であり、約２４個のエチレンオキシド単位でエトキシル化されたものであり；ＭＡＸＥＭＵＬ（登録商標）５０１１は、カルボキシ官能化されたＣ１２〜Ｃ１５アルケニル疎水性物質であり、約３４個のエチレンオキシド単位でエトキシル化されたものであり；ＢＸ−ＡＡ−Ｅ５Ｐ５は、実験式ＣＨ２＝ＣＨＣＨ２Ｏ（Ｃ３Ｈ６Ｏ）５（Ｃ２Ｈ４Ｏ）５Ｈを有するランダムにエトキシル化／プロポキシル化したアリルエーテルである。
【００８０】
（架橋モノマー）
本発明のポリマーは、分枝させ、分子量を制御するために、１つ以上の架橋モノマーを含むモノマー混合物から調製することができる。適切なポリ不飽和架橋剤は当該技術分野で周知である。重合前、重合中または重合後に架橋するようなコポリマーを生成可能な反応基を有するモノ不飽和化合物を使用することもできる。他の有用な架橋モノマーとしては、複数の反応基（例えば、エポキシド基、イソシアネート基、および加水分解可能なシラン基）を含有する多官能モノマーが挙げられる。種々のポリ不飽和化合物を利用して、部分的または実質的に架橋した三次元ネットワークを作ることができる。
【００８１】
適切なポリ不飽和架橋モノマー成分の例としては、これらに限定されないが、ポリ不飽和芳香族モノマー、例えば、ジビニルベンゼン、ジビニルナフチレンおよびトリビニルベンゼン；ポリ不飽和非環状モノマー、例えば、１，２，４−トリビニルシクロヘキサン；フタル酸の二官能エステル、例えば、フタル酸ジアリル；ポリ不飽和脂肪族モノマー、例えば、ジエン、トリエンおよびテトラエン（イソプレン、ブタジエン、１，５−ヘキサジエン、１，５，９−デカトリエン、１，９−デカジエン、１，５−ヘプタジエンを含む）などが挙げられる。
【００８２】
他の適切なポリ不飽和架橋モノマーとしては、ポリアルケニルエーテル、例えば、トリアリルペンタエリスリトール、ジアリルペンタエリスリトール、ジアリルショ糖、オクタアリルショ糖およびトリメチロールプロパンジアリルエーテル；ポリアルコールまたはポリ酸のポリ不飽和エステル、例えば、１，６−ヘキサンジオールジ（メタ）アクリレート、テトラメチレントリ（メタ）アクリレート、アクリル酸アリル、イタコン酸ジアリル、フマル酸ジアリル、マレイン酸ジアリル、トリメチロールプロパントリ（メタ）アクリレート、トリメチロールプロパンジ（メタ）アクリレートおよびポリエチレングリコールジ（メタ）アクリレート；アルキレンビスアクリルアミド、例えば、メチレンビスアクリルアミド、プロピレンビスアクリルアミドなど；メチレンビスアクリルアミドのヒドロキシ誘導体およびカルボキシ誘導体、例えば、Ｎ，Ｎ’−ビスメチロールメチレンビスアクリルアミド；ポリエチレングリコールジ（メタ）アクリレート、例えば、エチレングリコールジ（メタ）アクリレート、ジエチレングリコールジ（メタ）アクリレートおよびトリエチレングリコールジ（メタ）アクリレート；ポリ不飽和シラン、例えば、ジメチルジビニルシラン、メチルトリビニルシラン、アリルジメチルビニルシラン、ジアリルジメチルシランおよびテトラビニルシラン；ポリ不飽和スタンナン、例えば、テトラアリルスズおよびジアリルジメチルスズなどが挙げられる。
【００８３】
反応基を有する有用なモノ不飽和化合物としては、Ｎ−メチロールアクリルアミド；Ｎ−アルコキシ（メタ）アクリルアミド（アルコキシ基はＣ１〜Ｃ１８アルコキシである）；および加水分解可能な不飽和シラン、例えば、トリエトキシビニルシラン、トリス−イソプロポキシビニルシランおよび３−トリエトキシシリルプロピルメタクリレートなどが挙げられる。
【００８４】
複数の反応基を有する有用な多官能架橋モノマーとしては、限定されないが、加水分解可能なシラン、例えば、エチルトリエトキシシランおよびエチルトリメトキシシラン；エポキシ置換された加水分解可能なシラン、例えば、２−（３，４−エポキシシクロヘキシル）エチルトリエトキシシランおよび３−グリシドオキシプロピルトリメチルオキシシラン；ポリイソシアネート、例えば、１，４−ジイソシアネートブタン、１，６−ジイソシアネートヘキサン、１，４−フェニレンイソシアネートおよび４，４’−オキシビス（フェニルイソシアネート）；不飽和エポキシド、例えば、メタクリル酸グリシジルおよびアリルグリシジルエーテル；ポリエポキシド、例えば、ジグリシジルエーテル、１，２，５，６−ジエポキシヘキサンおよびエチレングリコールジグリシジルエーテルなどが挙げられる。
【００８５】
特に有用なのは、エトキシル化ポリオール（例えば、ヒドロキシル官能基１ｍｏｌｅあたり約２〜約１００ｍｏｌｅのエチレンオキシドでエトキシル化され、例えば、ビニルエーテル、アリルエーテル、アクリル酸エステル、メタクリル酸エステルなどの末端に重合可能な不飽和基を有するジオール、トリオールおよびビスフェノール）から誘導されたポリ不飽和架橋剤である。このような架橋剤の例としては、ビスフェノールＡエトキシル化ジ（メタ）アクリレート；ビスフェノールＦエトキシル化ジ（メタ）アクリレート、エトキシル化トリメチロールプロパントリ（メタ）アクリレートなどが挙げられる。本発明のポリマーで有用な他のエトキシル化架橋剤としては、米国特許第６，１４０，４３５号（Ｚａｎｏｔｔｉ−Ｒｕｓｓｏ、この関連する開示内容は本明細書に参考として組み込まれる）で開示されるエトキシル化ポリオールから誘導された架橋剤が挙げられる。
【００８６】
架橋モノマーの非限定例は、少なくとも２個のアクリル酸エステル基およびメタクリル酸エステル基を有する、ポリオールのアクリル酸エステルおよびメタクリル酸エステルであり、例えば、トリメチロールプロパントリアクリレート（ＴＭＰＴＡ）、トリメチロールプロパンエトキシル化（１５）トリアクリレート（ＴＭＰＥＯ１５ＴＡ）、トリメチロールプロパンジメタクリレート、トリエチレングリコールジメタクリレート（ＴＥＧＤＭＡ）、エトキシル化（３０）ビスフェノールＡジメタクリレート（ＥＯＢＤＭＡ）などである。
【００８７】
（連鎖移動剤）
本発明で使用するのに適した連鎖移動剤（ＣＴＡ）は、これらに限定されないが、種々のチオ含有化合物およびジスルフィド含有化合物から選択され、例えば、Ｃ１〜Ｃ１８アルキルネルカプタン、メルカプトカルボン酸、メルカプトカルボン酸エステル、チオエステル、Ｃ１〜Ｃ１８アルキルジスルフィド、アリールジスルフィド、多官能チオールなど；亜リン酸化合物および次亜リン酸化合物；ハロアルキル化合物、例えば、四塩化炭素、ブロモトリクロロメタンなど；および不飽和連鎖移動剤、例えば、α−メチルスチレンから選択される。
【００８８】
多官能チオールとしては、三官能チオール、例えば、トリメチロールプロパン−トリス−（３−メルカプトプロピオネート）、四官能チオール、例えば、ペンタエリスリトール−テトラ−（３−メルカプトプロピオネート）、ペンタエリスリトール−テトラ−（チオグリコレート）およびペンタエリスリトール−テトラ−（チオールアセテート）；六官能チオール、例えば、ジペンタエリスリトール−ヘキサ−（チオグリコレート）；などが挙げられる。
【００８９】
あるいは、連鎖移動剤は、ビニルモノマーの遊離ラジカル重合中に付加ポリマーの分子量を下げる、任意の触媒的な連鎖移動剤であってもよい。触媒的な連鎖移動剤の例としては、例えば、コバルト錯体（例えば、コバルト（ＩＩ）キレート）が挙げられる。触媒的な連鎖移動剤は、チオール系ＣＴＡよりも比較的低濃度で利用されることが多い。
【００９０】
本発明の一実施形態では、連鎖移動剤としては、オクチルメルカプタン、ｎ−ドデシルメルカプタン、ｔ−ドデシルメルカプタン、ヘキサデシルメルカプタン、オクタデシルメルカプタン（ＯＤＭ）、イソオクチル  ３−メルカプトプロピオネート（ＩＭＰ）、ブチル  ３−メルカプトプロピオネート、３−メルカプトプロピオン酸、ブチルチオグリコレート、イソオクチルチオグリコレート、ドデシルチオグリコレートなどが挙げられる。連鎖移動剤は、好ましくは、モノマー混合物の合計重量に基づいて、重合可能なモノマー混合物の約１０重量％までの量で、モノマー反応混合物に添加することができる。一実施形態では、連鎖移動剤は、モノマー合計重量に基づいて、少なくとも約０．０１重量％の量で存在する。
【００９１】
本発明のジメチコーンコポリオールマクロマーは、単独で重合させることもできるし、少なくとも１つの共重合可能なモノマー（ｂ）〜（ｇ）と組み合わせて重合させることもできる。任意の連鎖移動剤存在下で、重合を行なうことができる。種々の周知の遊離ラジカル重合技術（例えば、バルク重合、光重合、マイクロ波重合、溶液重合、懸濁重合、乳化重合、逆乳化重合、マイクロ乳化重合など）によって、不飽和モノマーを重合させることができる。
【００９２】
本発明のポリマーのイオン含有量は、ポリマー骨格内でジメチコーンコポリオールマクロマーと共重合するモノマーの選択に影響を与えることがある。例えば、アニオン性モノマー、カチオン性モノマーおよび／または両性モノマー（およびこれらのモノマーの塩）をポリマー骨格内で共重合させ、ポリマーにイオン性を付与してもよい。アニオン性、カチオン性および両性とは、それぞれのモノマー（またはポリマー骨格に組み込まれた場合、モノマー繰り返し単位）が、少なくとも１つのイオン化可能な部分を含有し、この部分が、酸または塩基で中和すると塩を形成することを意味する。
【００９３】
本発明のポリマーにイオン化可能な部分を与えるアニオン性モノマーの例は、酸性ビニルモノマーについて上述のカルボン酸基およびスルホン酸基を含有する。これらのモノマー／繰り返し単位の例示的な塩としては、限定されないが、アルカリ金属およびアルカリ土類金属（例えば、Ｌｉ、Ｎａ、Ｋ、Ｃａ）の塩およびそのアンモニウム塩が挙げられる。
【００９４】
本発明のポリマーにイオン化可能な部分を与えることができるカチオン性モノマーの例は、カチオン性ビニルモノマーについて上述のジアルキルアミノアルキル部分を含有する。これらのモノマー／繰り返し単位の例示的な塩としては、限定されないが、（Ｃ１〜Ｃ１８）ジアルキルサルフェート塩（例えば、ジメチルサルフェート、ジエチルサルフェート）；ハロゲン化水素塩（例えば、塩酸水素塩、フッ化水素塩、臭化水素塩およびヨウ化水素塩）；およびこれらの組み合わせが挙げられる。
【００９５】
両性とは、ポリマー骨格が、上述のアニオン性のイオン化可能な部分とカチオン性のイオン化可能な部分とを両方含有することを意味する。
【００９６】
代表的なアニオン性ビニルモノマーおよびカチオン性ビニルモノマーは、塩形態（イオン化形態）で重合させることもでき、またはアニオン性モノマーまたはカチオン性モノマー（イオン化していないモノマー）としてポリマー骨格内で重合させ、次いで、それぞれ塩基または酸で中和することによってイオン化させることができる。
【００９７】
一実施形態では、アニオン性繰り返し単位を含有するポリマーは、１つ以上のカルボン酸含有モノマー；１つ以上のスルホン酸含有モノマー；１つ以上のカルボン酸含有モノマーの１つ以上の塩、１つ以上のスルホン酸含有モノマーの１つ以上の塩；およびこれらの組み合わせから選択されるアニオン性ビニルモノマーを含むモノマー組成物と、所望なジメチコーンコポリオールマクロマーとを重合させることによって合成することができる。１つの例示的な実施形態では、重合可能なモノマー組成物の５〜９５重量％（重合対象のモノマー組成物を構成するモノマー合計重量に基づく）は、カルボン酸基含有モノマー、カルボン酸含有モノマーの塩、スルホン酸含有モノマー、スルホン酸含有モノマーの塩、およびこれらの組み合わせから選択されるアニオン性ビニルモノマーを含む。別の例示的な実施形態では、モノマー混合物の１０〜９０重量％は、カルボン酸基含有モノマー、カルボン酸含有モノマーの塩、スルホン酸含有モノマー、スルホン酸含有モノマーの塩、およびこれらの組み合わせから選択されるアニオン性ビニルモノマーを含む。さらに別の例示的な実施形態では、重合可能なモノマー組成物の１０〜８０重量％は、カルボン酸基含有モノマー、カルボン酸含有モノマーの塩、スルホン酸含有モノマー、スルホン酸含有モノマーの塩、およびこれらの組み合わせから選択されるアニオン性ビニルモノマーを含む。
【００９８】
本発明の一局面では、カルボン酸官能基およびスルホン酸含有基を含有する重合可能なアニオン性ビニルモノマーの例としては、限定されないが、アクリル酸、メタクリル酸、マレイン酸、フマル酸、イタコン酸、クロトン酸、オレイン酸、経皮酸、スチレンスルホン酸および２−アクリルアミド−２−メチルプロパンスルホン酸（ＡＭＰＳ（登録商標）モノマー）、およびその金属イオン（例えば、Ｌｉ、Ｎａ、Ｋ、Ｃａ）およびアンモニウム塩が挙げられる。
【００９９】
別の局面では、カチオン性繰り返し単位を含有するポリマーは、１つ以上のジアルキルアミノアルキル含有モノマーおよびその塩、四級化ビニルイミダゾール、メタクリロイルエチルベタインおよびメタクリロイルＮ−オキシドから選択されるカチオン性ビニルモノマーを含むモノマー組成物をジメチコーンコポリオールマクロマー存在下で重合させることによって合成することができる。より特定的には、モノマーは、１つ以上のジ−（Ｃ１〜Ｃ６）アミノ（Ｃ１〜Ｃ５）アルキルアクリレートおよびメタクリレート（およびそのハロゲン化水素塩）およびこれらの組み合わせから選択することができる。窒素原子に接続するアルキル基は、同じであっても異なっていてもよい（例えば、互いに独立している）。１つの例示的な実施形態では、重合可能なモノマー組成物の５〜９５重量％（モノマー組成物を構成するモノマー合計重量に基づく）は、１つ以上のジ−（Ｃ１〜Ｃ６）アミノ（Ｃ１〜Ｃ５）アルキルアクリレートおよびメタクリレートおよび（Ｃ１〜Ｃ１８）ジアルキルサルフェートおよびそのハロゲン化水素塩から選択されるカチオン性ビニルモノマーを含む。別の例示的な実施形態では、カチオン性ビニルモノマーは、モノマー混合物の１０〜９０重量％含まれ、さらに例示的な実施形態では、カチオン性ビニルモノマーは、モノマー混合物全量の１０〜８０重量％含まれる。
【０１００】
本発明のさらなる実施形態では、両性ポリマー（例えば、ポリマー骨格が、アニオン性モノマーおよびカチオン性モノマーおよびその塩を重合させた繰り返し単位を含む）は、酸官能モノマー（および／またはその塩）とジアルキルアミノアルキルモノマー（および／またはその塩）との両方を含む両性モノマー組成物を重合させることによって合成することができる。上述のアニオン性ビニルモノマーおよびカチオン性ビニルモノマーおよびこれらの塩を含む両性モノマー組成物を重合させると、両性の特性を有するポリマーを得ることができる。重合可能なモノマー組成物中に存在するカチオン性モノマーに対するアニオン性モノマーの相対量は、カチオン性モノマー９９〜１部に対してアニオン性モノマー９９〜１部である。１つの例示的な実施形態では、両性モノマーは、重合可能なモノマー組成物の合計量の５〜９５重量％含まれる（重合可能なモノマー混合物のモノマー合計含有重量に基づく）。別の例示的な実施形態では、両性モノマーの含有量は、モノマー混合物の１０〜９０重量％であり、さらに例示的な実施形態では、両性モノマーの含有量は、モノマー混合物の合計量の１０〜８０重量％である。
【０１０１】
別の実施形態では、非イオン性ポリマーは、上述の１つ以上の親水性モノマーを含有する非イオン性モノマー混合物を重合することによって合成することができる。この親水性モノマーは、塩ではなく、酸または塩基の存在下でも塩を形成しない（すなわち、非イオン性モノマー）。非イオン性モノマーの例としては、限定されないが、アクリルアミド、メタクリルアミド、ビニルピロリドン、ビニルカプロラクタム、および２−ヒドロキシエチルメタクリレート、ヒドロキシプロピルメタクリレート（全ての異性体）、ヒドロキシブチルメタクリレート（全ての異性体）、２−ヒドロキシエチルアクリレート、ヒドロキシプロピルアクリレート（全ての異性体）、ヒドロキシブチルアクリレート（全ての異性体）、ポリエチレングリコールモノアクリレート、ポリエチレングリコールモノメタクリレート、ポリプロピレングリコールモノアクリレート、ポリプロピレングリコールモノメタクリレートおよびこれらの組み合わせが挙げられる。本発明の１つの例示的な実施形態では、重合可能なモノマー混合物は、親水性非イオン性モノマーを５０〜９５重量％（重合可能なモノマー混合物の合計重量に基づく）含む。別の例示的な実施形態では、親水性非イオン性モノマーの含有量は、モノマー混合物の６０〜９５重量％であり、さらに例示的な実施形態では、親水性非イオン性モノマーの含有量は、モノマー混合物の６５〜８０重量％である。
【０１０２】
本発明の重合可能なモノマー組成物が、上に引用した異なる種類のモノマーから選択される本発明の少なくとも１つのモノマーと、本発明のジメチコーンコポリオールマクロマーとを組み合わせて含有してもよいことが理解されるべきである。
【０１０３】
本発明の重合可能なモノマー混合物を構成する種々のモノマー成分について、本発明の選択された実施形態の場合で種々の重複した重量範囲が記されているが、モノマー混合物中の各モノマー成分の特定の量は、その開示された範囲から、重合可能なモノマー混合物中の全モノマー成分の合計量が１００重量％になるように、各モノマーの所望の量が調整されるように選択されることが容易に明らかである。
【０１０４】
本発明の遊離ラジカル重合プロセスで使用可能な開始剤は、水溶性および水不溶性の過硫酸化合物、過酸化物、有機過酸化物、有機過酸およびアゾ化合物である。適切な開始剤としては、限定されないが、過硫酸アンモニウム、過硫酸カリウム、過硫酸ナトリウム、過酸化水素、過酸化ジベンゾイル、過酸化ベンゾイル、過酸化アセチル、過酸化ラウリル、過酸化ｔｅｒｔ−ブチル、ｔｅｒｔ−ブチル  ペル−２−エチルヘキサノエート、ジ−ｔｅｒｔ−ブチルペルオキシド、ジ−（２−エチルヘキシル）−ペルオキシジカーボネート、ｔｅｒｔ−ブチルヒドロペルオキシド、クメンヒドロペルオキシド、アゾビスイソブチロニトリル、アゾビス（２−アミジノプロパン）二塩酸塩または２，２’−アゾビス（２−メチル−ブチロニトリル）、過酢酸が挙げられる。過酸化物および過酸は、必要に応じて、還元剤（例えば、亜硫酸水素ナトリウムまたはアスコルビン酸、遷移金属、ヒドラジンなど）で活性化することができる。例えば、硫酸ナトリウムペルオキシジサルフェート、ｔｅｒｔ−ブチルヒドロペルオキシド／亜硫酸ナトリウム、ｔｅｒｔ−ブチルヒドロペルオキシド／ナトリウムヒドロキシメタンスルフィネートのような開始剤系混合物を使用することもできる。開始剤は、重合対象のモノマーの量に基づいて、適切な量（例えば、０．０５〜５重量％）で使用することができる。
【０１０５】
本発明の一実施形態では、ポリマーは、極性溶媒または非極性溶媒およびその混合物の溶液重合を用いて調製することができる。例示的な溶媒としては、限定されないが、水、メタノール、塩化メチレン、クロロホルム、四塩化炭素、エタノール、イソプロパノール、ヘキサン、シクロヘキサン、酢酸エチル、メチルエチルケトンおよびベンゼン、トルエン、Ｎ−メチルピロリドンおよびこれらの溶媒の混合物が挙げられる。モノマーおよび溶媒の量は、１５〜９０重量％のモノマー溶液が得られるように選択することができる（モノマーおよび溶媒の合計重量に基づく）。重合は、通常は、４０〜１４０℃の温度で、周囲圧力下または自然圧力下で行なうことができる。
【０１０６】
本発明の別の実施形態では、ポリマーは、ポリマー分野で周知のアニオン乳化重合技術およびカチオン乳化重合技術によって合成することができる。典型的には、アニオン乳化重合プロセスは、約３０〜約９５℃の反応温度で行われるが、これより高温または低温であってもよい。モノマー混合物の乳化を促進するために、乳化重合は、アニオン性界面活性剤（例えば、脂肪アルコールサルフェートまたはアルキルスルホネート）、非イオン性界面活性剤（例えば、直鎖または分枝鎖のアルコールエトキシレート）、両性界面活性剤またはこれらの混合物存在下で行なうことができる。乳化重合の反応混合物は、モノマー合計重量を基準として約０．０１〜約３重量％の１つ以上の遊離ラジカル開始剤を含む。重合は、低ｐＨ（すなわち、好ましくは、約ｐＨ４．５以下）で、当該技術分野の水性媒体または水性アルコール媒体中で行なうことができる。
【０１０７】
乳化重合を促進するのに適したアニオン性界面活性剤は、ポリマー分野で周知であり、限定されないが、ラウリル硫酸ナトリウム、ナトリウムドデシルベンゼンスルホネート、ジナトリウムラウレス−３スルホサクシネート、ナトリウムジオクチルスルホサクシネート、ナトリウムジ−ｓｅｃ−ブチルナフタレンスルホネート、ジナトリウムドデシルジフェニルエーテルスルホネート、ジナトリウムｎ−オクタデシルスルホサクシネート、分枝鎖アルコールエトキシレートのリン酸エステルなどが挙げられる。
【０１０８】
典型的なカチオン重合手順では、適切な反応容器中、乳化用界面活性剤（例えば、非イオン性界面活性剤（好ましくは、直鎖または分枝鎖のアルコールエトキシレート）、または非イオン性界面活性剤とアニオン性界面活性剤（例えば脂肪アルコールサルフェートまたはアルキルスルホネート）の混合物）の適切な量の水溶液に、攪拌しながらモノマー混合物を加え、モノマーエマルションを調製する。このエマルションを、窒素を流すなどの任意の従来法によって脱酸素し、重合触媒（開始剤、例えば過硫酸ナトリウム）、または乳化重合分野で周知の任意の他の適切な遊離ラジカル重合触媒を加えることによって重合反応を開始させる。重合が終了するまで（典型的には、約４〜約１６時間）、反応物を攪拌する。所望な場合、モノマーエマルションを約２０〜約８０℃の温度まで加熱した後に、開始剤を加えることもできる。未反応モノマーは、乳化重合分野で周知なように、さらに触媒を加えることによって消失させることができる。得られたポリマーエマルション生成物を反応容器から取り出し、貯蔵または使用のために容器に入れておくことができる。
【０１０９】
カチオン乳化重合を促進するのに適した非イオン性界面活性剤は、ポリマー分野で周知であり、これらに限定されないが、直鎖または分枝鎖のアルコールエトキシレート、Ｃ８〜Ｃ１２アルキルフェノールアルコキシレート、例えば、オクチルフェノールエトキシレート、ポリオキシエチレンポリオキシプロピレンブロックコポリマーなどが挙げられる。他の有用な非イオン性界面活性剤としては、ポリオキシエチレングリコールのＣ８〜Ｃ２２脂肪酸エステル、モノグリセリドおよびジグリセリド、ソルビタンエステルおよびエトキシル化ソルビタンエステル、Ｃ８〜Ｃ２２脂肪酸グリコールエステル、約１５より大きなＨＬＢ値を有するエチレンオキシドおよびプロピレンオキシドのブロックコポリマー、エトキシル化オクチルフェノールおよびこれらの組み合わせが挙げられる。
【０１１０】
１つの局面では、アルキルフェノールアルコキシレート界面活性剤としては、商品名ＩＧＥＰＡＬ（登録商標）ＣＡ−８９７でＲｈｏｄｉａ，Ｉｎｃ．から販売されるオクチルフェノールが挙げられる。好ましい直鎖アルコールアルコキシレートとしては、商品名ＰＬＵＲＡＦＡＣ（登録商標）Ｃ−１７、ＰＬＵＲＡＦＡＣ（登録商標）Ａ−３８およびＰＬＵＲＡＦＡＣ（登録商標）Ａ−３９でＢＡＳＥ  Ｃｏｒｐ．から販売されるセテアリルアルコール（セチルアルコールとステアリルアルコールとの混合物）のポリエチレングリコールエーテルが挙げられる。好ましいポリオキシエチレンポリオキシプロピレンブロックコポリマーとしては、商品名ＰＬＵＲＯＮＩＣ（登録商標）Ｆ１２７およびＰＬＵＲＯＮＩＣ（登録商標）Ｌ３５でＢＡＳＦ  Ｃｏｒｐ．から販売されるコポリマーが挙げられる。
【０１１１】
別の局面では、非イオン性界面活性剤としては、エトキシル化（５０）直鎖脂肪族、例えば、ＤＩＳＰＯＮＩＬ（登録商標）Ａ  ５０６０（Ｃｏｇｎｉｓ）、分枝鎖アルキルエトキシレート、例えば、ＧＥＮＡＰＯＬ（登録商標）Ｘ  １００５（Ｃｌａｒｉａｎｔ  Ｃｏｒｐ．）、二級Ｃ１２〜Ｃ１４アルコールエトキシレート、例えば、ＴＥＲＧＩＴＯＬ（登録商標）Ｓ１５−３０およびＳ１５−４０（Ｄｏｗ  Ｃｈｅｍｉｃａｌ  Ｃｏ．）、エトキシル化オクチルフェノール系界面活性剤、例えば、ＴＲＩＴＯＮ（登録商標）Ｘ−３０５、Ｘ−４０５およびＸ−７０５（Ｄｏｗ  Ｃｈｅｍｉｃａｌ  Ｃｏ．）、ＩＧＥＰＡＬ（登録商標）ＣＡ  ４０７、８８７および８９７（Ｒｈｏｄｉａ，Ｉｎｃ）、ＩＣＯＮＯＬ（登録商標）ＯＰ  ３０７０および４０７０（ＢＡＳＦ  Ｃｏｒｐ．）、ＳＹＮＰＥＲＯＮＩＣ（登録商標）ＯＰ  ３０および４０（Ｕｎｉｑｅｍａ）、エチレンオキシドおよびプロピレンオキシドのブロックコポリマー、例えば、ＰＬＵＲＯＮＩＣ（登録商標）Ｌ３５およびＦ１２７（ＢＡＳＦ  Ｃｏｒｐ．）および二級Ｃ１１アルコールエトキシレート、例えば、ＥＭＵＬＳＯＧＥＮ（登録商標）ＥＰＮ  ４０７（Ｃｌａｒｉａｎｔ  Ｃｏｒｐ．）が挙げられる。営業用文献には多くの他の供給業者が記載されている。
【０１１２】
上述の遊離ラジカル重合開始剤は、本発明に適している。例示的な市販の重合開始剤としては、ＤｕＰｏｎｔから販売されるＶＡＺＯ（登録商標）遊離ラジカル重合開始剤、例えば、ＶＡＺＯ（登録商標）４４（２，２’−アゾビス（２−（４，５−ジヒドロイミダゾリル）プロパン）、ＶＡＺＯ（登録商標）５６（２，２’−アゾビス（２−メチルプロピオンアミジン）二塩酸塩）およびＶＡＺＯ（登録商標）６８（４，４’−アゾビス（４−シアノ吉草酸）が挙げられる。
【０１１３】
必要に応じて、乳化重合分野で周知の他の乳化重合添加剤、例えば、緩衝剤、キレート化剤、無機電解質、連鎖停止剤、消泡剤、殺生物剤、希釈剤およびｐＨ調整剤が、重合系に含まれてもよい。
【０１１４】
アルカリ膨潤性またはアルカリ可溶性の本発明の実施形態のポリマーを調製するための例示的な一般的なアニオン乳化重合プロセスを以下に示す。
【０１１５】
第１の反応容器に窒素注入口および攪拌棒を取り付け、この反応容器中、所望の量の各モノマーを乳化量のアニオン性界面活性剤を含有する水に溶かした溶液を窒素雰囲気下で攪拌しながら混合することによって、モノマーエマルションを調製する。第２の反応容器に攪拌棒、窒素注入口および供給ポンプを取り付け、この容器に、窒素雰囲気下で、所望の量の水を加え、所望な場合、さらにアニオン性界面活性剤を加え、第２の反応容器の内容物を混合しながら加熱する。第２の反応容器の内容物温度が約５５〜９８℃に到達したら、第２の反応容器中で生成した界面活性剤水溶液に遊離ラジカル開始剤を注入し、第１の反応容器のモノマーエマルションを第２の反応容器に徐々に、典型的には、約１〜約４時間かけて、反応温度を約４５〜９５℃に制御しつつ加える。モノマーを加え終わったら、所望な場合、第２の反応容器に遊離ラジカル開始剤をさらに加えてもよく、得られた反応混合物を、典型的には、約４５〜９５℃の温度に、重合反応が十分に終了する時間保持する。得られたポリマーエマルションを冷却し、反応容器から取り出すことができる。
【０１１６】
ポリマー分野の当業者は、任意の所望なモノマー比率を有するポリマーを得るために、各モノマー成分の量を調整可能であることを理解する。水の比率は、所望な場合、これより大きくても小さくてもよい。水に混和性の溶媒（例えばアルコール）および上述の他の重合添加剤が、反応混合物に含まれてもよい。非イオン性界面活性剤（例えば、直鎖または分枝鎖のアルコールエトキシレート）を乳化重合分野で知られているように加えることができる。
【０１１７】
生成物のポリマーエマルションは、好ましくは、ポリマー固形分の合計（ＴＳ）が、ポリマー重量に基づいて、約１％〜約６０％、さらに好ましくは約１０％〜約５０％、最も好ましくは約１５％〜約４５％になるように調製することができる。
【０１１８】
生成したポリマーエマルションは、典型的には、中和前に、約２〜約５．５を超えないｐＨを有し、周囲温度でのＢｒｏｏｋｆｉｅｌｄ粘度（スピンドル番号２、２０ｒｐｍ）は約１００ミリパスカル秒（ｍＰａ・ｓ）を有し、ガラス転移点（Ｔｇ）は、以下の方法で決定される場合、約２５０℃を超えない。
【０１１９】
必要に応じて、生成したポリマーエマルションは、アルカリ性ｐＨが望ましい場合には、アルカリ性物質（好ましくは、アルカリ金属水酸化物、有機塩基など）を用いて、ｐＨを好ましくは約３〜約７．５またはそれ以上に調整することによって、さらに加工することができる。ポリマーエマルションは、典型的には、約１００ｍＰａ・ｓよりも大きな粘度になるまで膨潤する。中性ｐＨ〜アルカリ性ｐＨで粘性溶液またはゲルを生成し、ポリマーは、一般的には、このようなｐＨ値で実質的に安定であり、約１２を超えるｐＨでも安定である。アルカリ可溶性ポリマーエマルションは、膨潤または粘度上昇を伴うことなく、中性ｐＨまたはアルカリ性ｐＨで可溶性にすることができる。ポリマーエマルションは、水または溶媒で希釈することができ、または一部分の水を蒸発させることによって濃縮することができる。あるいは、得られたポリマーエマルションを実質的に乾燥させ、当該技術分野で周知の装置（例えば、スプレードライヤー、ドラムドライヤーまたは凍結乾燥機）を用いて、粉末形態または結晶形態にしてもよい。
【０１２０】
本発明のポリマー／モノマーは、イオン化可能な基を含んでいる限り、重合前または重合後に酸または塩基で完全にまたは部分的に中和することができ、水性媒体への可溶性または分散性を調整することができる。それに加え、ポリマーの粘度特性は、ポリマーを中和することによって調整することができる。
【０１２１】
アニオン基を有するモノマーおよびポリマーの適切な中和剤の非限定例は、鉱物塩基および有機塩基である。鉱物塩基の非限定例としては、アルカリ金属水酸化物（例えば、リチウム、ナトリウムおよびカリウム）；炭酸ナトリウム；水酸化アンモニウムおよびアンモニアが挙げられる。有機塩基の非限定例としては、例えば、アミノアルコール（例えば、２−アミノ−２−メチル−１−プロパノール、モノエタノールアミン、ジエタノールアミン、トリエタノールアミン、トリイソプロピルアミン、トリス［（２−ヒドロキシ）−１−プロピル）アミン、２−アミノ−２−メチル−１，３−プロパンジオール、２−アミノ−２−ヒドロキシメチル−１，３−プロパンジオール；ジアミン、例えばリジン；コカミン；オレアミン；およびモルホリンが挙げられる。
【０１２２】
カチオン基を有するモノマーおよびポリマーに適した中和剤の非限定例は、有機酸（アミノ酸を含む）および無機鉱物酸である。有機酸の非限定例としては、酢酸、クエン酸、フマル酸、グルタミン酸、酒石酸、乳酸およびグリコール酸が挙げられる。鉱物酸の非限定例としては、塩酸、硝酸、リン酸、硫酸水素ナトリウム、硫酸など、およびその混合物が挙げられる。
【０１２３】
上述の中和剤を、中和したポリマーまたは中和したポリマーを含む組成物のｐＨを調整するｐＨ調整剤として使用することもできる。
【０１２４】
アニオン性基および／またはカチオン性基を含有する本発明のポリマーは、適切な塩基または酸で中和すると膨潤することがある。これらのポリマーは、有益には、酸性または塩基性の水性配合物を増粘させ、審美的に滑らかな感触を有する生成物を与え、この生成物は滑らかに流動し、容易に広がる。本発明の多目的ポリマーは、増粘剤、乳化剤、安定化剤、懸濁剤、膜形成剤、固定剤、コンディショナー、保湿剤、広がり補助剤、表面改変剤、輝き向上剤、および効力、化学活性物質および生理活性物質および化粧品用物質の分解性または送達性を高めるキャリア、および配合物の感覚的な特性および審美特性を付与するためのビヒクルとして使用してもよい。低ｐＨでのポリマーのカチオン性は、静電防止剤として有用であり、特定の条件下では、殺生物活性、殺菌活性または他の防腐活性を与えることがある。
【０１２５】
本発明のアニオン性ポリマーの実施形態は、少なくとも１つのアニオン性界面活性剤、双性イオン性界面活性剤、両性界面活性剤、非イオン性界面活性剤、カチオン性界面活性剤またはこれらの組み合わせと組み合わせて使用される場合、米国特許第６，６３５，７０２号（この開示内容は参考として本明細書に組み込まれる）に開示される「酸に戻す（ｂａｃｋ−ａｃｉｄ）」増粘技術によって配合することができる。酸に戻す技術は、アニオン性増粘ポリマーをアルカリ性中和剤で中和し、粘度を高め、次いで、酸性ｐＨの還元剤でｐＨを所望の最終ｐＨまで下げることを含む。粘度および降伏値は、配合物の最終ｐＨまでｐＨを下げても、一般的には変化しないか、実際には上がらないことが多い。この配合技術は、これらのポリマーの適用範囲を広げ、酸性ｐＨであることが必要な配合物でのアニオン性の粘度改変ポリマーの使用を提供する。さらに、「酸に戻す」増粘プロセスを使用し、わずかに酸性のｐＨになるように配合した組成物およびアルカリ性のｐＨになるように配合した組成物の粘度および安定性をさらに高めることもできる。
【０１２６】
本発明の少なくとも１つのポリマーを水に加え、混合する。次いで、界面活性剤をポリマー水溶液に加え、混合する。次いで、アルカリ性物質を加え、混合して組成物のｐＨを、本発明の一実施形態では少なくとも約５、別の実施形態では少なくとも約６、さらなる実施形態では少なくとも約６．５になるまで上昇させる。アルカリ性物質は、好ましくは、中和剤、例えば、水酸化ナトリウム、水酸化カリウム、トリエタノールアミン、またはこの用途で通常使用される別の脂肪酸アミン中和剤である。あるいは、例えば、あらかじめ中和しておいた界面活性剤を他のアルカリ性物質を使用することができる。一実施形態では、配合物の初期ｐＨは、組成物の最終目的ｐＨよりも、望ましくは少なくとも０．５または２、好ましくは少なくとも３、４または５高い。次いで、酸性物質またはｐＨ調整剤を加え、組成物のｐＨを下げる。
【０１２７】
配合物のｐＨを下げるのに使用する物質は、酸性物質であり、有機酸、例えば、クエン酸、酢酸、α−ヒドロキシ酸、β−ヒドロキシ酸、サリチル酸、乳酸、グリコール酸、天然フルーツ酸、またはこれらの組み合わせから選択することができる。それに加えて、無機酸、例えば、塩酸、硝酸、硫酸、スルファミン酸、リン酸およびこれらの組み合わせを使用することができる。このような酸の量は、ポリマー骨格のアニオン性部分が十分に中和され、所望の粘度値になる量である。一局面では、安定化される組成物の合計重量を基準として約０．１〜約２０重量％、別の局面では約０．２重量％〜約１５重量％、さらに別の局面では約０．２５重量％〜約１０重量％を使用することができる。
【０１２８】
本発明の組成物を安定化するのに望ましいｐＨは、明らかに特定の用途に依存する。一般的に、パーソナルケア用途では、所望のｐＨ範囲は約３〜約７．５であり、望ましくは約４〜約６である。一般的には、ホームケア用途では、所望のｐＨ範囲は約１〜約１２であり、望ましくは約３〜約１０である。より特定的には、一般的に不溶性のシリコーンまたは真珠光沢を有する化合物を使用する場合、所望のｐＨは約５．５〜約１２であり、一方、毛髪染料を安定化する場合、ｐＨは約５〜約９である。
【０１２９】
本発明のカチオン性ポリマーの実施形態は、少なくとも１つの双性界面活性剤および／または両性界面活性剤と組み合わせて使用する場合、カチオン性レオロジー調整ポリマーを使用して高めのｐＨの組成物を得るために、「アルカリに戻す（ｂａｃｋ−ａｌｋａｌｉｎｅ）」配合技術によって配合することができる。本発明の一実施形態では、界面活性剤は、少なくとも１つの両性界面活性剤または双性イオン性界面活性剤から選択される。必要に応じて、カチオン性ポリマー／界面活性剤組成物は、アニオン性界面活性剤、非イオン性界面活性剤およびカチオン性界面活性剤またはこれらの組み合わせから選択される他の界面活性剤を含有することができる。
【０１３０】
本発明のカチオン性ポリマーと、両性界面活性剤とを組み合わせて含有する配合物は、酸性中和剤を用いて初期の酸性ｐＨ値よりもｐＨを下げ（所望の粘度上昇を起こし）、次いで、アルカリ性ｐＨ調整剤を加えて、配合物の所望の最終ｐＨ値までｐＨを上昇させる。粘度、濁度および降伏値は、一般的に、変化しないか、実際には上がらないことが多い。アルカリに戻す配合技術は、本発明のカチオン性ポリマーの適用範囲を広げ、酸処理またはポリマー増粘工程の後で配合物のｐＨを上げることができる。さらに、アルカリに戻す増粘プロセスを使用し、一般的に許容されるｐＨ範囲で配合される組成物の粘度および安定性をさらに上げることができる。
【０１３１】
本発明の一実施形態では、１つ以上のカチオン性コポリマー、ポリマーなどを水に加え、混合する。次いで、両性界面活性剤および／または双性イオン性界面活性剤をポリマー水溶液に加え、混合する。所望な場合、アニオン性界面活性剤、非イオン性界面活性剤およびカチオン性界面活性剤またはこれらの組み合わせから選択される任意の界面活性剤を配合物に加えることができる。適切な両性界面活性剤、アニオン性界面活性剤、カチオン性界面活性剤および非イオン性界面活性剤は上述のとおりである。次いで、酸性ｐＨ調整剤を加え、混合して組成物のｐＨを下げ、所望の低ｐＨ組成物を得る。１つの局面では、組成物のｐＨは、最初に、酸を用いて約０．５〜約７．０のｐＨに、別の局面では約３．０〜約６．０のｐＨに、さらなる局面では約４．０〜約５．０のｐＨに調整することができる。酸性ｐＨ調整剤は、本明細書に記載の有機酸および鉱物酸から選択することができる。別の実施形態では、カチオン性ポリマー組成物の初期ｐＨを下げることができ、ポリマー組成物の粘度上昇に影響を与えることができる任意の酸性成分は、本発明の範囲内に入ると考える。酸性の活性成分は、ｐＨ調整剤とともに使用してもよいし、ｐＨ調整剤を用いなくてもよい。適切な酸性成分の例は、限定されないが、本明細書に記載の皮膚用酸性活性成分および化粧品用酸性活性成分から選択される。
【０１３２】
クエン酸をカチオン性ポリマーの中和工程（すなわちｐＨ低下工程）で使用する場合、組成物の粘度は、その次にアルカリ性ｐＨ調整剤を配合物に加えると、実際に増加する。酸によって増粘した組成物のｐＨは、組成物の最終目的ｐＨよりも、望ましくは少なくとも約１、好ましくは２、好ましくは少なくとも３低い。次いで、アルカリ性ｐＨ調整剤を加え、組成物のｐＨを最終目的ｐＨまで上げる。アルカリに戻す配合技術に適したアルカリ性ｐＨ調整剤を本明細書に記載している。
【０１３３】
本発明の組成物の所望なｐＨは、特定の最終製品の用途に明らかに依存する。一般的に、パーソナルケア組成物は、ｐＨ範囲が約３〜約８．０である。一般的に、ホームケア組成物は、ｐＨ範囲が約１〜約１２である。
【０１３４】
有利には、本発明のポリマーは、これらに限定されないが、パーソナルケア製品、ヘルスケア製品、家庭用ケア製品、工業用および産業用（まとめて「Ｉ＆Ｉ」）ケア製品などに使用することができる。上述のポリマーを膜形成コンディショナーとして使用することができ、シリコーンの分解を促進する薬剤、コンディショニング剤または補助剤、着色化粧品、および皮膚、毛髪、爪および繊維用の極性および非極性の油として使用することができる。さらに、上述のポリマーは、産業用化学プロセス、布地仕上げプロセス、印刷、接着コーティングなどの用途の製品で、例えば、レオロジー改変剤、乳化剤、安定化剤、可溶化剤、懸濁剤、柔毛化剤、輝き向上剤、表面改質剤、顔料および粉砕添加剤として使用することができる。本発明のジメチコーンコポリオール含有ポリマーは、多くの用途で、例えば、乾燥、光によるダメージ、加齢、にきびなどによって生じた皮膚状態を局所的に改善するために、コンディショナー、保湿剤、酸化防止剤、エクスフォリアント（ｅｘｆｏｌｉａｎｔ）、角質溶解剤、ビタミンなどを含有し、典型的には活性酸性成分を含有し、ｐＨ範囲が約０．５〜約５の種々の皮膚用組成物、化粧品組成物で増粘剤および膜形成剤として有用である。
【０１３５】
１つの化粧品の局面では、活性成分として酸性の老化防止剤、セルライト防止剤およびニキビ防止剤、ヒドロキシカルボン酸、例えば、α−ヒドロキシ酸（ＡＨＡ）、β−ヒドロキシ酸（ＢＨＡ）、α−アミノ酸、α−ケト酸（ＡＫＡ）およびその混合物を含有する活性皮膚処理ローションおよびクリームの増粘剤として、カチオン性ポリマーを使用することができる。このような化粧品では、ＡＨＡとしては、限定されないが、乳酸、グリコール酸、フルーツ酸、例えば、リンゴ酸、クエン酸、酒石酸、ＡＨＡを含有する天然化合物の抽出物、例えば、リンゴ抽出物、アプリコット抽出物など、蜂蜜抽出物、２−ヒドロキシオクタン酸、グリセリン酸（ジヒドロキシプロピオン酸）、タルトロン酸（ヒドロキシプロパン二酸）、グルコン酸、マンデル酸、ベンジル酸、アゼライン酸、α−リポ酸、サリチル酸、ＡＨＡ塩および誘導体、例えば、アルギニングリコレート、アンモニウムグリコレート、ナトリウムグリコレート、乳酸アルギニン、乳酸アンモニウム、乳酸ナトリウム、α−ヒドロキシ酪酸、α−ヒドロキシイソ酪酸、α−ヒドロキイソカプロン酸、α−ヒドロキシイソ吉草酸、アトロラクチン酸などが挙げられる。ＢＨＡとしては、限定されないが、３−ヒドロキシプロピオン酸、β−ヒドロキシ酪酸、β−フェニル乳酸、β−フェニルピルビン酸などが挙げられる。α−アミノ酸としては、これらに限定されないが、α−アミノジカルボン酸、例えば、アスパラギン酸、グルタミン酸およびその混合物が挙げられ、時にはフルーツ酸と組み合わせて使用される。ＡＫＡとしては、ピルビン酸が挙げられる。いくつかの老化防止組成物では、酸性活性薬剤は、レチノイン酸、ハロカルボン酸、例えば、トリクロロ酢酸、酸性酸化防止剤、例えば、アスコルビン酸（ビタミンＣ）、コウジ酸、鉱物酸、フィチン酸、リゾホスファチジン酸などが挙げられる。いくつかの酸性にきび防止活性物質としては、例えば、サリチル酸、サリチル酸誘導体、例えば、５−オクタノイルサリチル酸、レチノイン酸およびその誘導体を挙げることができる。本発明のカチオン性ポリマーの実施形態は、上述の酸性製品に組み込まれ、活性酸成分は、活性皮膚処理剤、および所望の粘度を達成するカチオン性ポリマーの酸膨潤剤としての役割を有する。
【０１３６】
活性皮膚処理組成物の使用および配合に関する記載は、ＣＯＳＭＥＴＩＣＳ  ＆  ＴＯＩＬＥＴＲＩＥＳ（登録商標），Ｃ＆Ｔ  Ｉｎｇｒｅｄｉｅｎｔ  Ｒｅｓｏｕｒｃｅ  Ｓｅｒｉｅｓ，「ＡＨＡｓ  ＆  Ｃｅｌｌｕｌｉｔｅ  Ｐｒｏｄｕｃｔｓ  Ｈｏｗ  Ｔｈｅｙ  Ｗｏｒｋ」（１９９５年発行）および「Ｃｏｓｍｅｃｅｕｔｉｃａｌｓ」（１９９８年発行）（いずれもＡｌｌｕｒｅｄ  Ｐｕｂｌｉｓｈｉｎｇ  Ｃｏｒｐｏｒａｔｉｏｎから入手可能、参考として本明細書に組み込まれる）にある。アスコルビン酸で酸性にしたα−アミノ酸を含有する組成物は、米国特許第６，１９７，３１７  Ｂ１号に記載されており、これらの酸を老化防止方法、スキンケア方法に使用する市販の化粧品調製物は、商品名ＡＦＡでｅｘＣｅｌ  Ｃｏｓｍｅｃｅｕｔｉｃａｌｓ（Ｂｌｏｏｍｆｉｅｌｄ  Ｈｉｌｌｓ，ＭＩ）から販売されている。用語「ＡＦＡ」は、供給業者の営業用文献に記載されているように、アミノ酸／ビタミンＣの組み合わせをアミノフルーツ酸と記載するために開発者が作った用語であり、「アミノ酸フィラグリン系酸化防止剤」と同じ意味である。
【０１３７】
本発明のポリマーを含めることが可能な他のヘルスケア製品としては、局所医薬および非局所医薬およびデバイスのような医薬製品を挙げることができる。医薬配合物では、本発明の実施形態のポリマーを、限定されないが、上述のクリーム、ポマード、ゲル、ペースト、軟膏、錠剤、ゲルカプセル、下剤液（浣腸、吐剤、結腸洗浄剤など）、坐剤、抗真菌性泡状物、目用製品（眼用製品、例えば、点眼薬、人工涙液、緑内障薬物送達液、コンタクトレンズクリーナーなど）、耳用製品（ワックス軟化剤、ワックスリムーバ、耳炎薬物送達点耳薬など）、鼻用製品（点鼻薬、軟膏、スプレーなど）および創部のケア（液体絆創膏、創傷包帯、抗菌性クリーム、軟膏など）の製品中で、増粘剤および／または潤滑剤として使用することができる。
【０１３８】
このポリマーの膜形成能により、このポリマーは、皮膚に対するかまたは皮膚を経由する活性成分の経皮送達を促進または高めるための局所医薬組成物のためのビヒクルとして、にきび防止処方物および局所鎮痛薬の効力を高めるための局所医薬組成物のためのビヒクルとして、および薬物放出を制御するための局所医薬組成物のためのビヒクル（例えば、胃の場合、低ｐＨでの錠剤またはシロップからの制酸薬）として；口内のわずかに酸性な環境で錠剤、トローチ剤、チュアブル錠などからの薬物放出を制御するための局所医薬組成物のためのビヒクルとして、または膣のわずかに酸性な環境で坐剤、軟膏、クリームなどからの薬物放出を制御するための局所医薬組成物のためのビヒクルとして；シャンプー、軟膏などからのフケ防止剤の分解を促進するための局所医薬組成物のためのビヒクルとして；着色化粧品（化粧品（ｍａｋｅｕｐ）、リップスティック、口紅など）から皮膚への着色剤の移動を促進するための局所医薬組成物のためのビヒクルとして；および毛髪染料などから毛髪への着色剤の移動を促進するための局所医薬組成物のためのビヒクルとして、特に適している。
【０１３９】
上述の実施形態に加え、本発明のカチオン性ポリマーは、酸性ｐＨでは、ポリマーを、種々のパーソナルケア用途、ヘルスケア用途、Ｉ＆Ｉ用途および医薬用途における帯電防止組成物、殺生物組成物、殺菌組成物および他の防腐組成物の増粘剤として有用なものにする。例えば、このポリマーを、カウンター越しに売られている（ｏｖｅｒ−ｔｈｅ−ｃｏｕｎｔｅｒ）（ＯＴＣ）ヘルスケア製品および医薬製品の増粘剤として使用することができ、典型的には、歯垢および歯石をコントロールするためのオーラルケア組成物、治療薬剤を含有するビヒクル（例えば、シロップ、ゲルなど）にカチオン性殺生物剤が使用される。特定の制御されたｐＨ条件下で、実施形態のカチオン性ポリマー自体のカチオン性によって、帯電防止活性、殺生物活性、殺菌活性または防腐活性を付与することもできる。
【０１４０】
限定されないが、医薬デバイス（例えば、軟組織移植、手術用手袋、カテーテル、カニューレなど）の潤滑剤コーティングとして、医薬装置、創傷包帯などの取り外し可能な保護膜コーティングとして、特に胃の酸性条件下での粘液接着剤として、医薬用に配合された製品（例えば、殺菌ハンドクリーム、抗ウイルス製品（陰性ウイルス用）、抗菌性軟膏、スプレーおよびクリーム、病院の液滴ではない噴霧可能な殺菌剤、通常のメンテナンス作業で使用する硬質表面殺菌仕上げ剤など）のキャリアおよび増粘剤として、本発明のポリマーを使用することができる。
【０１４１】
ホームケア用途およびＩ＆Ｉ用途では、例えば、レオロジー改変剤、布地コンディショニング剤、静電防止剤として、特に、「表面にくっつく（ｃｌｉｎｇ−ｏｎ−ｓｕｒｆａｃｅ）」ことによる配合物の効率を高めるために、または殺菌配合物、殺生物配合物の効力を高めるために、従来の布地柔軟剤と組み合わせて布地柔軟効率を相乗的に高めるために、本発明のジメチコーンコポリオール含有ポリマーを使用することができる。本発明のポリマーを含有可能な典型的な家庭用製品およびＩ＆Ｉ製品としては、これらに限定されないが、洗濯製品および布地ケア製品、例えば、洗剤、布地柔軟剤（液体またはシート状）、アイロン用スプレー、ドライクリーニング補助剤、しわ防止スプレー、染み取り剤など；台所および浴室用の硬質表面クレンザー、および台所および浴室で使用されるかまたは置かれているユーティリティおよび器具のクレンザー、例えば、便器用ゲル、風呂桶およびシャワークリーナー、硬水沈着物リムーバー、床および床用クレンザー、壁用クレンザー、床およびクロム性備品の磨き剤、アルカリ剥離可能なビニル床クレンザー、大理石およびセラミック用クリーナー、エアフレッシュナーゲル、食器用液体クレンザーなど；殺菌クリーナー、例えば、便器およびお尻洗浄器用クリーナー、殺菌ハンドソープ、室内用芳香剤などが挙げられる。
【０１４２】
本発明のポリマーを含有する製品は、当該技術分野で公知の種々の従来の添加剤およびアジュバントを含有することができ、これらの薬剤のいくつかは、２つ以上の機能を果たすことがある。使用量は、製品の目的および特性に応じて変化し、配合分野の当業者は、この量を文献から容易に決定することができる。用語「化粧品用アジュバント」は、化粧品および医薬に許容される、組成物の物理的安定性を維持し、その審美的な外観を維持し、有用な保存期間中に市場に視覚的にアピールし続けるような製品安定化剤および製品仕上げ剤を含む。
【０１４３】
用語「固定性」は、ポリマーに適用される場合、ポリマーが適用される表面に対する膜形成性、接着性、またはコーティング堆積性を包含する。用語「ヘアスタイリングおよび毛髪固定剤」は、ヘアケア分野で一般的に理解されているように、本明細書で使用される場合、毛髪固定剤および膜形成剤であり、毛髪に局所的に適用し、スタイリングを容易にし、および／またはセットした毛髪を保持し、セットした毛髪を再びセットする能力を維持する毛髪セット剤を包括する言葉である。従って、毛髪セット組成物は、従来から、毛髪（濡れた毛髪または乾燥した毛髪）にゲル、リンス、エマルション（水中油、油中水または複数相）、例えばローションおよびクリーム、ポマード、スプレー（加圧または非加圧）、スプリッツ（ｓｐｒｉｔｚ）、泡状物（例えばムース）、シャンプー、固体（例えばスティック）、半固体などで適用されるか、または毛髪セット組成物を含浸しているか、または毛髪組成物でコーティングされた毛髪セット補助剤から適用され、例えば洗浄によって除去されるまでの期間、毛髪セット剤が毛髪と接触したままになるヘアスタイリング、毛髪固定剤および整髪製品を含む。
【０１４４】
用語「コンディショニング剤」およびこの用語を文法的に変えたものは、スキンケア組成物およびヘアケア用組成物に関連する場合、保湿剤、湿潤剤および皮膚軟化剤といった化粧品および医薬として有用な物質を含む。いくつかのコンディショニング剤は、組成物中で２つ以上の機能（例えば、乳化剤、潤滑剤および溶媒）を有してもよいことが理解される。
【０１４５】
本発明の一局面では、実施形態のヘアケア組成物は、ヘアケア組成物に、例えば、毛髪固定性、毛髪コンディショニング性、粘着性（増粘性、レオロジー調整性）またはこれらの組み合わせのような性質を付与するのに有効な量の本発明のポリマーを含む。本発明のポリマーに加えて、ヘアケア組成物は、１つ以上の補助的な膜形成剤、補助的な毛髪固定剤、補助的な毛髪コンディショニング剤、補助的なレオロジー改変剤、構造化剤（ｓｔｒｕｃｔｕｒａｎｔ）またはこれらの混合物、またはヘアケア配合分野の当業者が周知な本明細書に記載される成分のいずれかを含むことができる。ヘアスタイリング組成物に含まれる場合、本発明のポリマーは、単独の毛髪固定組成物として使用される場合、または他の毛髪固定剤と組み合わせて使用される場合に、耐湿性、剛性、保持性、光沢、コンディショニング性、扱いやすさおよび再スタイリング性を高める。
【０１４６】
構造化剤は、クリーム、ゲル、ポマード、軟膏（ｏｉｎｔｍｅｎｔ）、軟膏（ｓａｌｖｅ）および半固体の高粘度ワックス状製品にさらに粘度および構造を扶養する。構造化剤は、毛髪および皮膚に局所適用されるのに適しており、特にパーソナルケア配合物の他の成分と相溶性な成分である。例示的な構造化物質としては、ワックス、ペトロラタム、脂肪酸およびそのアルコールおよびエステル、および本明細書に記載されるアニオン性界面活性剤、カチオン性界面活性剤、非イオン性界面活性剤および両性界面活性剤；およびその混合物が挙げられる。本発明の一実施形態では、構造化剤は、組成物の合計重量の約５重量％〜約５０重量％の量で存在する。別の実施形態では、組成物の合計重量の約８重量％〜約３０重量％の量で存在する。
【０１４７】
本発明の別の実施形態では、実施形態のスキンケア組成物は、スキンケア組成物に、例えば、皮膚コンディショニング性、粘着性（増粘性、レオロジー調整性）またはこれらの組み合わせのような性質を付与するのに有効な量の本発明のポリマーを含む。必要に応じて、スキンケア組成物は、１つ以上の補助的な皮膚コンディショニング剤、補助的なレオロジー改変剤またはこれらの組み合わせを含むことができる。
【０１４８】
本明細書に記載のポリマーととみに使用可能な添加剤およびアジュバント成分、製品または物質は、ｔｈｅ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ（ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｗａｓｈｉｎｇｔｏｎ  Ｄ．Ｃ．（後にＩＮＣＩ  Ｄｉｃｔｉｏｎａｒｙ）から発行）の任意の版（例えばＶｏｌｕｍｅ  １−２、第６版（１９９５）またはＶｏｌｕｍｅｓ  １−３、第７版（１９９７）および第８版（２０００））に記載されるＩＮＣＩ名と一般的に称される国際的な命名法によって命名されるか、または一般的に使用されている化学名で命名される。ＩＮＣＩ名によって列挙される物質の多くの商業的な供給業者またはその両方がＩＮＣＩ  Ｄｉｃｔｉｏｎａｒｙおよび多くの商業刊行物に記載されており、限定されないが、２００１  ＭｃＣｕｔｃｈｅｏｎ’ｓ  Ｄｉｒｅｃｔｏｒｉｅｓ，Ｖｏｌｕｍｅ  １：Ｅｍｕｌｓｉｆｉｅｒｓ  ＆  Ｄｅｔｅｒｇｅｎｔｓ  ａｎｄ  Ｖｏｌｕｍｅ  ２：Ｆｕｎｃｔｉｏｎａｌ  Ｍａｔｅｒｉａｌｓ（ＭｃＣｕｔｃｈｅｏｎ’ｓ  Ｄｉｖｉｓｉｏｎ発行）、Ｔｈｅ  Ｍａｎｕｆａｃｔｕｒｉｎｇ  Ｃｏｎｆｅｃｔｉｏｎｅｒ  Ｐｕｂｌｉｓｈｉｎｇ  Ｃｏ．，Ｇｌｅｎ  Ｒｏｃｋ，ＮＪ（２００１）；および２００１  Ｃｏｓｍｅｔｉｃ  Ｂｅｎｃｈ  Ｒｅｆｅｒｅｎｃｅ，ｅｄｉｔｉｏｎ  ｏｆ  ＣＯＳＭＥＴＩＣＳ  ＆  ＴＯＩＬＥＴＲＩＥＳ（登録商標），１１５（１３）（Ａｌｌｕｒｅｄ  Ｐｕｂｌｉｓｈｉｎｇ  Ｃｏｒｐｏｒａｔｉｏｎ，Ｃａｒｏｌ  Ｓｔｒｅａｍ，ＩＬ発行）（２００１）；これらの関連する開示内容は、本明細書に参考として組み込まれる。このような成分および組成物の配合も、既知の参考文献に詳細に記載されており、例えば、Ｃｏｓｍｅｔｉｃｓ  Ｓｃｉｅｎｃｅ  ａｎｄ  Ｔｅｃｈｎｏｌｏｇｙ，第１版（Ｓｇｅｌｉｎ（編集））（１９５７年発行）および第２版（Ｂａｌｓａｍら（編集））（１９７２〜７４年発行）；およびＴｈｅ  Ｃｈｅｍｉｓｔｒｙ  ａｎｄ  Ｍａｎｕｆａｃｔｕｒｅ  ｏｆ  Ｃｏｓｍｅｔｉｃｓ，第２版（ｄｅＮａｖａｒｒｅ（編集））（１９７５年発行）および第３版（Ｓｃｈｌｏｓｓｒｎａｎ（編集））（２０００年発行）、これらは両方ともＡｌｌｕｒｅｄ  Ｐｕｂｌｉｓｈｉｎｇ  Ｃｏｒｐｏｒａｔｉｏｎから入手可能；Ｒｉｅｇｅｒ（編集），Ｈａｒｒｙ’ｓ  Ｃｏｓｍｅｔｉｃｏｌｏｇｙ，第８版，Ｃｈｅｍｉｃａｌ  Ｐｕｂｌｉｓｈｉｎｇ，  Ｃｏ．，Ｉｎｃ．，Ｎｅｗ  Ｙｏｒｋ，ＮＹ（２０００）；および医薬分野の当業者が入手可能な種々の文献、例えば、Ｒｅｍｉｎｇｔｏｎ’ｓ  Ｐｈａｒｍａｃｅｕｔｉｃａｌ  Ｓｃｉｅｎｃｅｓ，第１４版，Ｍａｃｋ  Ｐｕｂｌｉｓｈｉｎｇ  Ｃｏｍｐａｎｙ，Ｅａｓｔｏｎ，ＰＡ（１９７０）が挙げられ、これらの関連する開示内容は、それぞれ本明細書に参考として組み込まれる。
【０１４９】
パーソナルケアおよび局所、経皮、ヘルスケア用の配合した組成物は、洗浄または沈静のために皮膚および粘膜に適用されるが、多くの同じまたは類似した生理学的に許容される成分と混合され、同じまたは類似した製品形態に配合され、医薬的または薬学的に許容される化合物の存在によって、生成物が製造される制御された条件によって、主に、選択される成分の純度が異なる。同様に、家庭用製品およびＩ＆Ｉで使用される多くの成分は、上述のものと同じかまたは類似するものであるが、主に、使用する量と物質のグレードが異なっている。成分の選択および許容量は、国、地域、さらに狭い地域および世界の基準による規制を受け得ることも知られている。従って、パーソナルケア製品およびヘルスケア製品の種々の有用な成分のここでの議論を、家庭用製品およびＩ＆Ｉ製品および産業用途に適用してもよい。
【０１５０】
本発明の実施形態のポリマーを含有する配合組成物の成分の選択および量は、配合分野の当業者には周知なように、製品およびその機能によって変わる。本発明の実施形態のポリマーを含有するパーソナルケア製品および局所ヘルスケア製品の配合成分としては、典型的には、限定されないが、本明細書に明記されてはいないかもしれないが、前に記載した成分に加えて、溶媒および希釈剤（水を含む）、アニオン性界面活性剤、カチオン性界面活性剤、両性界面活性剤および非イオン性界面活性剤、およびそのシリコーン含有誘導体（クレンジング剤、乳化剤、起泡剤、ヒドロトロピー剤、可溶化剤および懸濁剤として）；界面活性剤ではない懸濁剤；乳化剤；乳化安定剤；ワックス；分散剤；毛髪および皮膚のコンディショニング剤；潤滑剤および滑り補助剤；防湿剤および皮膚軟化剤；保湿剤；湿潤剤など；補助的なレオロジー改変剤；粘度調節剤、例えば、溶媒、電解質、ヒドロトロピー剤など；ヘアコンディショニング剤、補助的なコンディショニング剤、例えば、静電防止剤、合成油、植物油または動物油、シリコーン油、四級化アンモニウム化合物のモノマーまたはポリマーおよびその誘導体、潤い向上剤、毛髪固定剤、膜形成剤、皮膚保護剤、バインダー、キレート化剤、抗菌薬、抗真菌薬、フケ防止剤、消泡剤、研磨剤、接着剤、吸収剤、芳香剤；制汗剤；乳白剤；真珠光沢付与物質（真珠光沢付与剤）；不溶性物質、酸化防止剤、防腐剤、噴射剤（水混和性または水不混和性）、例えば、フッ素化炭化水素、揮発性液体炭化水素、圧縮気体など；ポリマー膜形成調整剤、例えば、可塑剤、粘着付与剤、粘着防止剤、湿潤剤など；広がり補助剤；日焼け止め剤；サンレス皮膚日焼け促進剤；紫外線吸収剤、乳白剤；酸性ｐＨ調整剤およびアルカリ性ｐＨ調整剤、緩衝剤、植物抽出物；着色剤（一時的または永久的）、例えば、顔料および染料；酸化剤；還元剤；毛髪および皮膚の漂白剤、顔料；真珠光沢付与剤、タンパク質様物質およびその誘導体；ビタミンおよびその誘導体、生理活性薬剤、抗炎症剤、局所麻酔薬、香料および香料可溶化剤など；およびこれらの組み合わせを挙げることができる。オーラルケア製品は、例えば、界面活性剤、研磨剤、保湿剤および香味剤に加え、虫歯予防薬、歯石予防薬および／または歯垢予防薬を含むことができる。基質およびその一般的な機能の広範囲にわたるリストは、ＩＮＣＩ  Ｄｉｃｔｉｏｎａｒｙの、一般的には第７版のＶｏｌ．２、Ｓｅｃｔｉｏｎｓ４および５に記載されているか、または特に、ｗｗｗ．ｃｔｆａ−ｏｎｌｉｎｅ．ｏｒｇに記載されている（本明細書に参考として組み込まれる）。パーソナルケア製品、局所ヘルスケア製品、家庭用ケア製品、工業用ケア製品および産業用ケア製品で本発明のジメチコーンコポリオールポリマーと組み合わせて使用する適切な添加剤、アジュバント、成分などの例示的なリストを、工業プロセスと例示的な量について以下に記載する。
【０１５１】
適切なキレート化剤としては、ＥＤＴＡ（エチレンジアミン四酢酸）およびその塩、例えば、ＥＤＴＡ二ナトリウムおよびＥＤＴＡ四ナトリウム、クエン酸およびその塩、シクロデキストリンなど、およびその混合物が挙げられる。このような適切なキレート化剤は、典型的には、本発明のパーソナルケア組成物の合計重量の約０．００１重量％〜約３重量％、好ましくは約０．０１重量％〜約２重量％、さらに好ましくは約０．０１重量％〜約１重量％含まれる。
【０１５２】
噴射剤として使用するのに適した化合物の例は、トリクロロフルオロメタン、ジクロロジフルオロメタン、ジクロロテトラフルオロエタン、モノクロロジフルオロメタン、ジフルオロエタントリクロロトリフルオロエタン、ジメチルエーテル、プロパン、ｎ−ブタンおよびイソブタンであり、これらは単独でも混合したものでもよい。水溶性ガス、例えば、ジメチルエーテル、二酸化炭素および／または亜酸化窒素を使用し、燃焼性を下げたエアロゾルスプレーを得ることもできる。
【０１５３】
有利には、水不混和性の液化炭化水素およびハロゲン化炭化水素ガス、例えば、プロパン、ブタンおよびクロロフルオロカーボンを使用し、他の不混和性ガスに関連する顕著な圧力低下を起こすことなく、エアロゾル容器の内容物を送達することができる。エアロゾル容器内部に残ったヘッドスペースは、液化ガスが水性組成物上部に存在し、容器内の圧力は飽和炭化水素蒸気の蒸気圧に維持されるため、因子とはならない。
【０１５４】
他の不溶性の圧縮ガス、例えば窒素、ヘリウムおよび完全にフッ素化されたオキセタンおよびオキセパンは、エアロゾル容器から組成物を送達するのに有用である。噴射剤（例えばジメチルエーテル）に蒸気圧抑制剤（例えば、トリクロロエタンまたはジクロロメタン）が組み込まれている場合、抑制剤の量は、重量％を計算する際に、噴射剤の一部分として含まれる。
【０１５５】
噴射剤の使用量は、エアロゾル分野で周知の通常の因子に支配される。ムースの場合、噴射剤の濃度は、一般的には、組成物の合計重量を基準として、一局面では３０重量％まで、別の局面では２重量％〜３０重量％、さらなる局面では３重量％〜１５重量％である。噴射剤（例えばジメチルエーテル）に蒸気圧抑制剤（例えば、トリクロロエタンまたはジクロロメタン）が組み込まれている場合、重量％を計算する際に、抑制剤の量は、噴射剤の一部分として含まれる。
【０１５６】
真珠光沢付与物質の例としては、限定されないが、二酸化チタンでコーティングされたマイカ、酸化鉄でコーティングされたマイカ、エチレングリコールモノステアレート、エチレングリコールジステアレート、ポリエチレングリコールジステアレート、オキシ塩化ビスマス、コーティングされたマイカ、ミリスチン酸ミリスチル、グアニン、グリッター（ポリエステルまたは金属）およびその混合物が挙げられる。他の真珠光沢付与物質は、米国特許第４，６５４，２０７号および米国特許第５，０１９，３７６号に記載されており、本明細書に参考として組み込まれる。真珠光沢付与物質の量は、一般的に、安定化された組成物の合計重量を基準として、約０．０５重量％〜約１０重量％、望ましくは約０．１５重量％〜約３重量％である。
【０１５７】
不溶性化合物の例としては、限定されないが、二酸化チタン；軽石；炭酸カルシウム；タルク；ジャガイモデンプン；タピオカデンプン；ホホバビーズ；ポリエチレンビーズ；クルミの殻；ヘチマ；アンズの種；アーモンドミール；トウモロコシミール；パラフィン；オーツ麦ブラン／オーツ麦の外皮；ゼラチンビーズ；アルギン酸塩ビーズ；ステンレス鋼繊維；酸化鉄顔料；気泡；マイカでコーティングされた酸化鉄；カオリンクレー；亜鉛ピリチオン；サリチル酸；酸化亜鉛；ゼオライト；発泡スチレン；ホスフェート；シリカなどが挙げられる。他の一般的な不溶性化合物としては、ティーツリー粉末、ミクロスポンジ、コンフェティ（ｃｏｎｆｅｔｔｉ）（ｕｎｉｔｅｄ  ｇｕａｒｄｉａｎ社の商標）、タルク、蜜蝋などが挙げられる。本発明の組成物に組み込まれる不溶性化合物の量は、その目的、所望の最終結果、およびその効力によって変わる。従って、その量は非常に広範囲にわたるが、一般的な範囲は、組成物の合計重量を基準として、約０．１重量％〜約５０重量％であることが多い。
【０１５８】
水（脱イオン水が多い）のような希釈剤を使用することができ、典型的には、本発明のパーソナルケア組成物の合計重量を基準として、約５重量％〜約９９重量％、好ましくは約２０重量％〜約９９重量％含まれる。
【０１５９】
適切な保湿性の皮膚および／または毛髪のコンディショナーとしては、アラントイン；ピロリドンカルボン酸およびその塩；ヒアルロン酸およびその塩；ソルビン酸およびその塩；尿素；リジン、アルギニン、シスチン、グアニジンおよび他のアミノ酸；ポリヒドロキシアルコール、例えば、グリセリン、１，２−プロピレングリコール、１，３−プロピレングリコール、ジプロピレングリコール、ヘキシレングリコール、ヘキサントリオール、エトキシジグリコール、ジメチコーンコポリオール、ソルビトール、マンニトール、キシリトール、トリプロピレングリコール、テトラプロピレングリコール、ブチレングリコール、１，３−ブチレングリコール、１，３−プロパンジオール、２，４−ジヒドロキシ−２−メチルペンタンおよびこれらのエステル；ポリエチレングリコール；グリコール酸およびグリコール酸塩（例えば、アンモニウム塩および四級アルキルアンモニウム塩）；乳酸および乳酸塩（例えば、アンモニウム塩および四級アルキルアンモニウム塩）；糖類およびデンプン；糖誘導体およびデンプン誘導体（例えば、アルコキシル化グルコース）；パンテノール、例えば、ジ−パンテノール；ラクタミドモノエタノールアミン；アセトアミドモノエタノールアミンなど、およびその混合物が挙げられる。このような適した保湿剤は、典型的には、本発明のパーソナルケア組成物の合計重量を基準として、約１重量％〜約１０重量％、好ましくは、約２重量％〜約８重量％、さらに好ましくは約３重量％〜約５重量％含まれる。
【０１６０】
適切な潤滑剤および滑り補助剤としては、揮発性シリコーン、例えば、環状または直鎖のポリジメチルシロキサンなどが挙げられる。環状シリコーンのケイ素原子の数は、好ましくは、約３〜約７であり、さらに好ましくは４または５である。例示的な揮発性シリコーンは、環状および直鎖のものを含み、Ｄｏｗ  Ｃｏｒｎｉｎｇ  ＣｏｒｐｏｒａｔｉｏｎからＤｏｗ  Ｃｏｒｎｉｎｇ  ３４４液、３４５液および２００液で入手可能なもの；Ｕｎｉｏｎ  ＣａｒｂｉｄｅからＳｉｌｉｃｏｎｅ  ７２０２およびＳｉｌｉｃｏｎｅ  ７１５８で入手可能なもの；およびＳｔａｕｆｆｅｒ  ＣｈｅｍｉｃａｌからＳＷＳ−０３３１４で入手可能なものである。
【０１６１】
直鎖の揮発性シリコーンは、典型的には、２５℃で約５ｍＰａ・ｓ未満の粘度を有し、環状の揮発性シリコーンは、典型的には、２５℃で約１０ｍＰａ・ｓ未満の粘度を有する。「揮発性」とは、シリコーンが測定可能な蒸気圧を有することを意味する。揮発性シリコーンに関する記載は、Ｔｏｄｄ  ａｎｄ  Ｂｙｅｒｓ，Ｖｏｌａｔｉｌｅ  Ｓｉｌｉｃｏｎｅ  Ｆｌｕｉｄｓ  ｆｏｒ  Ｃｏｓｍｅｔｉｃｓ，Ｃｏｓｍｅｔｉｃｓ  ａｎｄ  Ｔｏｉｌｅｔｒｉｅｓ，Ｖｏｌ．９１，ｐｐ．２９−３２，１９７６にあり、本明細書に参考として組み込まれる。他の適切な潤滑剤としては、ポリジメチルシロキサンゴム、アミノシリコーン、フェニルシリコーン、ポリジメチルシロキサン、ポリジエチルシロキサン、ポリメチルフェニルシロキサン、ポリジメチルシロキサンゴム、ポリフェニルメチルシロキサンゴム、アモジメチコーン、トリメチルシロキシアモジメチコーン、ジフェニル−ジメチルポリシロキサンゴムなどが挙げられる。潤滑剤の混合物を使用することもできる。このような適した潤滑剤は、典型的には、本発明のパーソナルケア組成物の合計重量を基準として、約０．１０重量％〜約１５重量％、好ましくは約０．１重量％〜約１０重量％、さらに好ましくは約０．５重量％〜約５重量％含まれる。
【０１６２】
必要に応じて、本発明の組成物は、シリコーン液（例えば、揮発性シリコーン油および非揮発性シリコーン油）；鉱油；ペトロラタム；植物油；水素化植物油；魚油；脂肪アルコール；脂肪酸；脂肪酸および脂肪アルコールエステル；アルコキシル化脂肪アルコール；アルコキシル化脂肪酸エステル；安息香酸エステル；ｇｕｅｒｂｅｔエステル；ポリエチレングリコール（例えば、メトキシポリエチレングリコール（ＭＰＥＧ））のアルキルエーテル誘導体；およびポリアルキレングリコール；ラノリンおよびラノリン誘導体；ワックスなどの皮膚軟化剤を含んでもよい。皮膚軟化剤は、単独で使用してもよいし、本発明の１つ以上の皮膚軟化剤と組み合わせて使用してもよい。皮膚軟化剤は、一局面では、制汗組成物の合計重量の約０．５重量％〜約５０重量％、別の局面では０．１重量％〜２５重量％、さらなる局面では５重量％〜４０重量％の量で使用することができる。
【０１６３】
揮発性シリコーン油としては、環状および直鎖のポリジメチルシロキサン、低分子量有機官能化シリコーンなどが挙げられる。環状の揮発性シリコーン（シクロメチコーン）は、典型的には、環構造に、酸素原子の代わりに約３〜約７個のケイ素原子を含有する。各ケイ素原子は、典型的には２個のアルキル基（例えばメチル基）で置換されている。揮発性の直鎖ポリジメチルシロキサン（ジメチコーン）は、典型的には、直鎖配置中に、酸素原子の代わりに約２〜約９個のケイ素原子を含有する。各ケイ素原子は、２個のアルキル基（例えばメチル基）で置換されている（末端ケイ素原子は、３個のアルキル基で置換されている）。直鎖の揮発性シリコーンは、典型的には、２５℃で約５ｃＰ未満の粘度を有し、環状の揮発性シリコーンは、典型的には、２５℃で約１０ｃＰ未満の粘度を有する。「揮発性」とは、シリコーンが測定可能な蒸気圧を有するか、または２０℃で少なくとも２ｍｍＨｇの蒸気圧を有することを意味する。非揮発性シリコーンは、２０℃での蒸気圧が２ｍｍＨｇ未満である。揮発性シリコーンに関する記載は、Ｔｏｄｄ  ａｎｄ  Ｂｙｅｒｓ，Ｖｏｌａｔｉｌｅ  Ｓｉｌｉｃｏｎｅ  Ｆｌｕｉｄｓ  ｆｏｒ  Ｃｏｓｍｅｔｉｃｓ，Ｃｏｓｍｅｔｉｃｓ  ａｎｄ  Ｔｏｉｌｅｔｒｉｅｓ，Ｖｏｌ．９１，ｐｐ．２９−３２，１９７６、およびＫａｓｐｒｚａｋ，Ｖｏｌａｔｉｌｅ  Ｓｉｌｉｃｏｎｅｓ，Ｓｏａｐ／Ｃｏｓｍｅｔｉｃｓ／Ｃｈｅｍｉｃａｌ  Ｓｐｅｃｉａｌｔｉｅｓ，ｐｐ．４０−４３（１９８６年１２月）にあり、それぞれ本明細書に参考として組み込まれる。
【０１６４】
例示的な揮発性シクロメチコーンは、Ｄ４シクロメチコーン（オクタメチルシクロテトラシロキサン）、Ｄ５シクロメチコーン（デカメチルシクロペンタシロキサン）、Ｄ６シクロメチコーンおよびこれらのブレンド（例えば、Ｄ４／Ｄ５およびＤ５／Ｄ６）である。揮発性シクロメチコーンおよびシクロメチコーンのブレンドは、Ｇ．Ｅ．ＳｉｌｉｃｏｎｅｓからＳＦ１１７３、ＳＦ１２０２、ＳＦ１２５６およびＳＦ１２５８として市販されており、Ｄｏｗ  Ｃｏｒｎｉｎｇ  ＣｏｒｐｏｒａｔｉｏｎからＤｏｗ  Ｃｏｒｎｉｎｇ（登録商標）２４４液、２４５液、２４６液、３４５液および１４０１液として市販されている。揮発性シクロメチコーンおよび揮発性の直鎖ジメチコーンのブレンドも考慮に入れられる。
【０１６５】
例示的な揮発性直鎖ジメチコーンとしては、ヘキサメチルジシロキサン、オクタメチルトリシロキサン、デカメチルテトラシロキサン、ドデカメチルペンタシロキサンおよびこれらのブレンドが挙げられる。揮発性直鎖ジメチコーンおよびジメチコーンのブレンドは、Ｄｏｗ  Ｃｏｒｎｉｎｇ  ＣｏｒｐｏｒａｔｉｏｎからＤｏｗ  Ｃｏｒｎｉｎｇ  ２００（登録商標）液（例えば、製品名０．６５  ＣＳＴ、１  ＣＳＴ、１．５  ＣＳＴおよび２  ＣＳＴ）およびＤｏｗ  Ｃｏｒｎｉｎｇ（登録商標）２−１１８４液として市販されている。
【０１６６】
例示的な揮発性の低分子量有機官能化シリコーンとしては、フェニルトリメチコーン、カプリルイルトリメチコーン、カプリルイルメチコーンおよびヘキシルメチコーン、およびこれらのブレンドが挙げられる。低分子量有機官能化シリコーンは、Ｃｌａｒｉａｎｔから商品名Ｓｉｌｃａｒｅ（登録商標）４１Ｍ１０、Ｓｌｉｃａｒｅ（登録商標）３１Ｍ６０、Ｓｉｌｃａｒｅ（登録商標）４１Ｍ１０およびＳｉｌｃａｒｅ（登録商標）４１Ｍ１５として市販されている。
【０１６７】
本発明で皮膚軟化剤として有用な非揮発性シリコーン油は、直鎖であり、典型的には、２５℃で約１０ｃＰ〜約１００，０００ｃＰの粘度を有する。これらの物質は、典型的には、直鎖配置中に、酸素原子の代わりに約１０個のジアルキル／ジアリール置換されたケイ素原子またはモノアルキル／モノアリール置換されたケイ素原子を含有する。非揮発性シリコーン油としては、ポリアルキルシロキサン、ポリアリールシロキサンおよびポリアルキルアリールシロキサンポリマーが挙げられる。例示的な非揮発性シリコーン油としては、ポリジメチルシロキサン（ジメチコーン）、ポリジエチルシロキサン、ポリメチルフェニルシロキサンなどが挙げられる。本発明の一局面では、非揮発性シリコーン油は、２５℃で約１０ｃＰ〜約１００，０００ｃＰの粘度を有する非揮発性ポリジメチルシロキサンから選択される。非揮発性ジメチコーンは、Ｄｏｗ  Ｃｏｒｎｉｎｇ  ＣｏｒｐｏｒａｔｉｏｎからＤｏｗ  Ｃｏｒｎｉｎｇ  ２００（登録商標）液（製品名１０  ＣＳＴ〜１０，０００  ＣＳＴ）で市販されている。
【０１６８】
鉱油およびペトロラタムとしては、化粧品グレード、ＵＳＰグレードおよびＮＦグレードのものが挙げられ、ＰｅｎｒｅｃｏからＤｒａｋｅｏｌ（登録商標）およびＰｅｎｒｅｃｏ（登録商標）の商品名で市販されている。
【０１６９】
本発明の皮膚軟化成分に適した例示的な植物油としては、限定されないが、ピーナッツ油、ゴマ油、アボガド油、ココナツ油、ココアバター、アーモンド油、ベニバナ油、トウモロコシ油、綿実油、ヒマシ油、オリーブ油、ホホバ油、ヤシ油、パーム核油、大豆油、小麦胚種油、亜麻仁油、ヒマワリ種子油；およびそのモノグリセリド、ジグリセリドおよびトリグリセリド、およびその水素化誘導体；およびその混合物が挙げられる。例示的なモノグリセリド、ジグリセリドおよびトリグリセリドは、例えば、カプリル酸トリグリセリド、カプリン酸トリグリセリド、カプリル酸／カプリン酸トリグリセリド、およびカプリル酸／カプリン酸／ラウリン酸トリグリセリド、カプリル酸／カプリン酸／ステアリン酸トリグリセリド、およびカプリル酸／カプリン酸／リノレン酸トリグリセリドが挙げられる。
【０１７０】
上述の植物油のエトキシル化モノグリセリドおよびエトキシル化ジグリセリド（例えば、ＰＥＧ−８カプリル酸／カプリン酸グリセリド）も、本発明の範囲内にあると考える。
【０１７１】
適切な脂肪アルコール皮膚軟化剤としては、限定されないが、８〜５０個の炭素原子を含有する脂肪アルコールが挙げられる。例示的な脂肪アルコールとしては、カプリルアルコール、ペラルゴンアルコール、カプリルアルコール、ラウリルアルコール、ミリスチルアルコール、セチルアルコール、イソセチルアルコール、ステアリルアルコール、イソステアリルアルコール、セテアリルアルコール、オレイルアルコール、リシノレイルアルコール、アラキジルアルコール、イコセニルアルコール、ベヘニルアルコールおよびその混合物が挙げられる。
【０１７２】
適切な脂肪酸皮膚軟化剤としては、限定されないが、１０〜５０個の炭素原子を含有する脂肪酸が挙げられる。例示的な脂肪酸は、カプリン酸、ラウリン酸、ミリスチン酸、パルミチン酸、ステアリン酸、オレイン酸、リノレン酸、アラキジン酸、ベヘン酸およびその混合物から選択される。
【０１７３】
適切な脂肪酸および脂肪アルコールのエステルの皮膚軟化剤としては、限定されないが、ラウリン酸ヘキシル、オレイン酸デシル、ステアリン酸イソプロピル、イソステアリン酸イソプロピル、ステアリン酸ブチル、ステアリン酸オクチル、ステアリン酸セチル、ミリスチン酸ミリスチル、オクチルドデシルステアロイルステアレート、オクチルヒドロキシステアレート、アジピン酸ジイソプロピル、ミリスチン酸イソプロピル、パルミチン酸イソプロピル、パルミチン酸エチルヘキシル、オレイン酸イソデシル、ネオペンタン酸イソデシル、セバシン酸ジイソプロピル、乳酸イソステアリル、イソステアリルヒドロキシステアレート、フマル酸ジイソステアリル、乳酸ラウリル、マレイン酸ジエチルヘキシル、ＰＰＧ−１４ブチルエーテルおよびＰＰＧ−２ミリスチルエーテルのプロピオネート、オクタン酸エチルヘキシル、オクタン酸セテアリルおよびその混合物が挙げられる。
【０１７４】
アルコキシル化脂肪アルコールは、脂肪アルコールとアルキレンオキシド（一般的には、エチレンオキシドまたはプロピレンオキシド）との反応から得られるエーテルである。適切なエトキシル化脂肪アルコールは、脂肪アルコールとポリエチレンオキシドとの付加物である。本発明の一局面では、エトキシル化脂肪アルコールは、式Ｒ−（ＯＣＨ２ＣＨ２）ｎ−ＯＨによって表すことができ、式中、Ｒは、親脂肪アルコールの直鎖残基または分枝鎖残基を表し、ｎはエチレンオキシドの分子数を表す。本発明の別の局面では、Ｒは、８〜４０個の炭素原子を含有する脂肪アルコールから誘導される。一局面では、ｎは、２〜１００、別の局面では３〜８０、さらなる局面では３〜５０の整数である。さらなる局面では、Ｒは、上述の脂肪アルコール皮膚軟化剤から誘導される。例示的なエトキシル化脂肪アルコールは、限定されないが、カプリルアルコールエトキシレート、ラウリルアルコールエトキシレート、ミリスチルアルコールエトキシレート、セチルアルコールエトキシレート、ステアリルアルコールエトキシレート、セテアリルアルコールエトキシレート、オレイルアルコールエトキシレートおよびベヘニルアルコールエトキシレートであり、上述のエトキシレートのそれぞれのエチレンオキシドの数は、一局面では２以上、別の局面では２〜約１５０である。上述の脂肪アルコールのプロポキシル付加物および上述の脂肪アルコールのエトキシル／プロポキシル付加物も本発明の範囲内であることが理解される。アルコキシル化アルコールのさらなる特定例は、ベヘネス５−３０（５−３０は、繰り返しエチレンオキシド単位またはプロピレンオキシド単位の数を意味する）、セテアレス２−１００、セテス１−４５、セトレス２４−２５、コレス１０−２４、コセス３−１０、Ｃ９−１１パレス３−８、Ｃ１１−１５パレス５−４０、Ｃ１１−２１パレス３−１０、Ｃ１２−１３パレス３−１５、デセス４−６、ドドキシノール５−１２、グリセレス７−２６、イソセテス１０−３０、イソデセス４−６、イソラウレス３−６、イソステアレス３−５０、ラネス５−７５、ラウレス１−４０、ノノキシノール１−１２０、ノノキシノール５−１５０、オクトキシノール３−７０、オレス２−５０、ステアレス２−１００、トリデセス２−１０などである。
【０１７５】
アルコキシル化脂肪酸は、脂肪酸と、アルキレンオキシドまたはあらかじめ合成したポリマーエーテルとが反応して生成する。得られた生成物は、モノエステル、ジエステルまたはこれらの混合物であってもよい。本発明で使用するのに適したエトキシル化脂肪酸エステル皮膚軟化剤は、脂肪酸にエチレンオキシドが付加した生成物である。この生成物は、脂肪酸のポリエチレンオキシドエステルである。本発明の一局面では、エトキシル化脂肪酸エステルは、式Ｒ−Ｃ（Ｏ）Ｏ（ＣＨ２ＣＨ２Ｏ）ｎ−Ｈによって表され、Ｒは、脂肪酸の直鎖残基または分枝鎖残渣を表し、ｎはエチレンオキシドの分子数を表す。別の局面では、ｎは、２〜５０、別の局面では３〜２５、さらなる局面では３〜１０の整数である。本発明のさらに別の局面では、Ｒは、８〜３０個の炭素原子を含有する脂肪酸から誘導される。さらなる局面では、Ｒは、上述の脂肪酸皮膚軟化剤から誘導される。上述の脂肪酸のプロポキシル付加物および上述の脂肪酸のエトキシル／プロポキシル付加物も本発明の範囲内であることが理解される。例示的なアルコキシル化脂肪酸エステルとしては、限定されないが、カプリン酸エトキシレート、ラウリン酸エトキシレート、ミリスチン酸エトキシレート、ステアリン酸エトキシレート、オレイン酸エトキシレート、ココナツ脂肪酸エトキシレートおよびポリエチレングリコール４００プロポキシル化モノラウレートが挙げられ、上述のエトキシレートのエチレンオキシド単位の数は、それぞれ２以上、別の局面では２〜約５０である。エトキシル化脂肪酸のさらなる特定例は、ＰＥＧ−８ジステアレート（８は繰り返しエチレンオキシド単位数を意味する）、ＰＥＧ−８ベヘネート、ＰＥＧ−８カプレート、ＰＥＧ−８カプリレート、ＰＥＧ−８カプリレート／カプレート、ＰＥＧココエート（数字の表記がないＰＥＧは、エチレンオキシド単位の数が２〜５０であることを意味する）、ＰＥＧ−１５ジココエート、ＰＥＧ−２ジイソノナノエート、ＰＥＧ−８ジイソステアレート、ＰＥＧ−ジラウレート、ＰＥＧ−ジオレエート、ＰＥＧ−ジステアレート、ＰＥＧジタレート、ＰＥＧ−イソステアレート、ＰＥＧ−ホホバ酸、ＰＥＧ−ラウレート、ＰＥＧ−リノレネート、ＰＥＧ−ミリステート、ＰＥＧ−オレエート、ＰＥＧ−パルミテート、ＰＥＧ−リシノレート、ＰＥＧ−ステアレート、ＰＥＧ−タレートなどが挙げられる。
【０１７６】
安息香酸エステル皮膚軟化剤は、限定されないが、Ｃ１２〜Ｃ１５アルキルベンゾエート、イソステアリルベンゾエート、オクチルドデシルベンゾエート、ステアリルベンゾエート、ジプロピレングリコールジベンゾエート、メチルグルセス−２０ベンゾエート、ヒマシ油ベンゾエート、セチルリシノレートベンゾエート、エチルヘキシルヒドロキシステアレートベンゾエート、ジメチコーンＰＥＧ／ＰＰＧ−２０／２３ベンゾエートおよびジメチコーンＰＥＧ−８ベンゾエートから選択される。
【０１７７】
Ｇｕｅｒｂｅｔエステル皮膚軟化剤は、Ｇｕｅｒｂｅｔアルコールとカルボン酸とのエステル化反応から生成する。Ｇｕｅｒｂｅｔエステル皮膚軟化剤は、Ｎｏｖｅｏｎ，Ｉｎｃ．からＧ−２０、Ｇ−３６、Ｇ−３８およびＧ−６６として市販されている。
【０１７８】
ラノリンおよびラノリン誘導体は、ラノリン、ラノリンワックス、ラノリン油、ラノリンアルコール、ラノリン脂肪酸、アルコキシル化ラノリン、ラノリン酸イソプロピル、アセチル化ラノリンアルコールおよびこれらの組み合わせから選択される。ラノリンおよびラノリン誘導体は、Ｎｏｖｅｏｎ，Ｉｎｃ．から、商品名Ｌａｎｏｌｉｎ  ＬＰ  １０８  ＵＳＰ、Ｌａｎｏｌｉｎ  ＵＳＰ  ＡＡＡ、Ａｃｅｔｕｌａｎ（登録商標）、Ｃｅｒａｌａｎ（登録商標）、Ｌａｎｏｃｅｒｉｎ（登録商標），  Ｌａｎｏｇｅｌ（登録商標）（製品名２１および４１）、Ｌａｎｏｇｅｎｅ（登録商標）、Ｍｏｄｕｌａｎ（登録商標）、Ｏｈｌａｎ（登録商標）、Ｓｏｌｕｌａｎ（登録商標）（製品名１６、７５、Ｌ−５７５、９８およびＣ−２４）、Ｖｉｌｖａｎｏｌｉｎ（登録商標）（製品名Ｃ、ＣＡＢ、Ｌ−１０１およびＰ）で市販されている。
【０１７９】
ワックスとしては、植物、動物／昆虫、鉱物、石油から誘導されるもの、および合成由来のものが挙げられる。合成によって改変された天然（植物および動物／昆虫）ワックスも、本発明の範囲内にあると考える。例示的な植物由来のワックスとしては、限定されないが、ヤマモモワックス、カンデリラワックス、加水分解カンデリラワックス、カルナバワックス、エトキシル化カルナバワックス（例えば、ＰＥＧ−１２カルナバワックス）、加水分解カルナバワックス、カルナバ酸ワックス、水素化ヒマシワックス、アフリカハネガヤワックス（ｅｓｐａｒｔｏ  ｗａｘ）、水素化日本ロウ、水素化ホホバ油、ホホバ油エステル、硫化ホホバ油、オウリキュリーワックス（ｏｕｒｉｃｕｒｙ  ｗａｘ）、パーム核ワックスおよび水素化米ぬかワックスが挙げられる。例示的な動物／昆虫由来のワックスとしては、限定されないが、蜜蝋、酸化蜜蝋、エトキシル化蜜蝋（例えば、ＰＥＧ−６蜜蝋、ＰＥＧ−８蜜蝋、ＰＥＧ−１２蜜蝋、ＰＥＧ−２０蜜蝋）、ジメチコーンコポリオール蜜蝋エステルおよびジメチコノール蜜蝋エステル（例えば、Ｎｏｖｅｏｎ，Ｉｎｃ．からＵｌｔｒａｂｅｅ（登録商標）の商標で入手可能なビス−ヒドロキシエトキシプロピルジメチコーン蜜蝋エステル、ジメチコーンＰＥＧ−８蜜蝋およびジメチコノール蜜蝋）、中国ロウ、セラックワックス、クジラワックス、ミンクワックスおよびラノリンワックスが挙げられる。例示的な鉱物ワックスとしては、限定されないが、セレシンワックス、モンタンワックス、モンタン酸ワックスおよびオゾケライトが挙げられる。例示的な石油ワックスとしては、パラフィンワックス、微晶性ワックスおよび酸化微晶性ワックスが挙げられる。例示的な合成ワックスとしては、合成蜜蝋、合成カンデリラロウ、合成カルナバワックス、合成日本ロウ、合成ホホバ油、ポリオレフィンワックス（例えば、ポリエチレンワックス）、１８〜４０個の炭素原子を含有する脂肪酸のエチレングリコールジエステルまたはトリエステルが挙げられる。上述のワックスおよびワックス分類の２つ以上の混合物も考慮される。
【０１８０】
本発明で利用可能な種々の制汗剤としては、従来の制汗性金属塩および金属塩錯体が挙げられる。本発明の一局面では、制汗剤として使用される金属塩および金属塩錯体は酸性であり、アルミニウム系およびジルコニウム系、およびこれらの組み合わせである。これらの塩としては、限定されないが、ハロゲン化アルミニウム、アルミニウムヒドロキシハロゲン化物、硫酸アルミニウム、ジルコニウム（ジルコニル）オキシハロゲン化物、ジルコニウム（ジルコニル）ヒドロキシハロゲン化物、およびこれらの混合物または錯体が挙げられる。アルミニウム塩およびジルコニウム塩の錯体としては、アミノ酸（例えば、グリシン）とのアルミニウム塩錯体およびジルコニウム塩錯体、またはグリコール（例えば、プロピレングリコール（ＰＧ）またはポリエチレングリコール（ＰＥＧ））との錯体が挙げられる。例示的な制汗剤としては、限定されないが、塩化アルミニウム、アルミニウムクロロハイドレート、アルミニウムジクロロハイドレート、アルミニウムセスキクロロハイドレート、ジルコニルヒドロキシクロリド、アルミニウムクロロハイドレックスＰＥＧ（アルミニウムクロロハイドレックスポリエチレングリコール）、アルミニウムクロロハイドレックスＰＧ（アルミニウムクロロハイドレックスプロピレングリコール）、アルミニウムジクロロハイドレックスＰＥＧ（アルミニウムジクロロハイドレックスポリエチレングリコール）、アルミニウムジクロロハイドレックスＰＧ（アルミニウムジクロロハイドレックスプロピレングリコール）、アルミニウムセスキクロロハイドレックスＰＥＧ（アルミニウムセスキクロロハイドレックスポリエチレングリコール）、アルミニウムセスキクロロハイドレックスＰＧ（アルミニウムセスキクロロハイドレックスプロピレングリコール）、アルミニウムジルコニウムトリクロロハイドレート、アルミニウムジルコニウムテトラクロロハイドレート、アルミニウムジルコニウムペンタクロロハイドレート、アルミニウムジルコニウムオクタクロロハイドレート、アルミニウムジルコニウムクロロハイドレックスＧＬＹ（アルミニウムジルコニウムクロロハイドレックスグリシン）、アルミニウムジルコニウムトリクロロハイドレックスＧＬＹ（アルミニウムジルコニウムトリクロロハイドレックスグリシン）、アルミニウムジルコニウムテトラクロロハイドレックスＧＬＹ（アルミニウムジルコニウムテトラクロロハイドレックスグリシン）、アルミニウムジルコニウムペンタクロロハイドレックスＧＬＹ（アルミニウムジルコニウムペンタクロロハイドレックスグリシン）およびアルミニウムジルコニウムオクタクロロハイドレックスＧＬＹ（アルミニウムジルコニウムオクタクロロハイドレックスグリシン）が挙げられる。他の制汗剤としては、塩化鉄およびジルコニウム粉末が挙げられる。上述の制汗剤のいずれかの混合物も、本発明に適している。
【０１８１】
本発明の組成物に組み込まれる制汗剤の量は、制汗剤を適用した部位（例えば人体の腋の下部分）から流れる汗の量を減らすのに十分な量である。
【０１８２】
一般的に、本発明の組成物で使用する制汗剤の濃度は、組成物の合計重量を基準として約０．５重量％〜約３５重量％である。本発明の別の局面では、組成物中の制汗剤の量は、組成物の合計重量を基準として、約５重量％〜約２５重量％、さらなる局面では約５重量％〜約２０重量％、さらなる局面では約１０重量％〜約１５重量％である。上述の重量％は、錯化剤（例えば、グリシンまたはグリコール）を省いた無水金属塩基準で算出される。
【０１８３】
適切な中和剤としては、トリエタノールアミン、アミノメチルプロパノール、水酸化アンモニウム、水酸化ナトリウム、他のアルカリ水酸化物、ボレート、ホスフェート、ピロリン酸塩、コカミン、オレアミン、ジイソプロパノールアミン、ジイソプロピルアミン、ドデシルアミン、ＰＥＧ−１５コカミン、モルホリン、テトラキス（ヒドロキシプロピル）エチレンジアミン、トリアミルアミン、トリエタノールアミン、トリエチルアミン、トロメタミン  ２−アミノ−２−（ヒドロキシメチル）−１，３−プロパンジオールなど、およびその混合物が挙げられる。このような適切な中和剤は、典型的には、本発明のパーソナルケア組成物の合計重量の約０重量％〜約３重量％、好ましくは約０．０１重量％〜約２重量％、さらに好ましくは約０．１重量％〜約１重量％含まれる。上述の中和剤を使用し、ポリマーを中和するか、または最終的に配合された組成物のｐＨを調整することができる。
【０１８４】
適切な乳白剤としては、グリコール脂肪酸エステル；アルコキシル化脂肪酸エステル；脂肪酸アルコール；水素化脂肪酸、高分子乳白剤、ワックスおよび油；カオリン；ケイ酸マグネシウム；二酸化チタン；シリカなど、およびその混合物が挙げられる。このような適切な乳白剤は、典型的には、本発明のパーソナルケア組成物の合計重量の約０．１重量％〜約８重量％、好ましくは約０．５重量％〜約６重量％、さらに好ましくは約１重量％〜約５重量％含まれる。
【０１８５】
本発明で有用な適切な医薬活性物質としては、局所投与して所望な局所効果または全身効果を与えるのに適した任意の化学基質、物質または化合物が挙げられる。このような有効物質としては、限定されないが、抗生物質、抗ウイルス剤、鎮痛薬（例えば、イブプロフェン、アセチルサリチル酸、ナプロキセンなど）、抗ヒスタミン薬、抗炎症剤、かゆみ止め薬、解熱剤、麻酔剤、診断薬、ホルモン、抗真菌薬、抗菌剤、フケ防止剤、皮膚成長促進剤、顔料調整剤、増殖抑制薬、乾癬治療薬、レチノイド、にきび防止医薬（例えば、ベンゾイルペルオキシド、硫黄など）、抗新生物剤、光治療剤および角質溶解剤（例えば、レゾルシノール、サリチル酸など）、植物抽出物など、およびその混合物が挙げられる。植物抽出物は、Ｃｏｓｍｅｔｏｃｈｅｍ  Ｉｎｔｅｒｎａｔｉｏｎａｌ  Ｌｔｄ．，Ｓｔｅｉｎｈａｕｓｅｎ，Ｓｗｉｔｚｅｒｌａｎｄから市販されている。このような医薬活性物質は、典型的には、本発明のパーソナルケア組成物の合計重量の約０．１重量％〜約２０重量％含まれる。
【０１８６】
適切な防腐剤としては、ポリメトキシ二環オキサゾリジン、メチルパラベン、プロピルパラベン、エチルパラベン、ブチルパラベン、安息香酸および安息香酸塩（例えば安息香酸ナトリウム）、塩化ベンザルコニウム、ベンジルトリアゾール、ＤＭＤＭヒダントイン（１，３−ジメチル−５，５−ジメチルヒダントインとも呼ばれる）、ヨードプロピニルブチルカーボネート、イミダゾリジニルウレア、フェノキシエタノール、フェノキシエチルパラベン、メチルイソチアゾリノン、メチルクロロイソチアゾリノン、ベンゾイソチアゾリノン、トリクロサン、ソルビン酸、サリチル酸塩など、およびこれらの混合物が挙げられる。このような適切な防腐剤は、典型的には、本発明のパーソナルケア組成物の合計重量の約０．０１重量％〜約１．５重量％、好ましくは約０．１重量％〜約１重量％、さらに好ましくは約０．３重量％〜約１重量％含まれる。
【０１８７】
適切な広がり補助剤または滑り補助剤としては、ヒドロキシプロピルメチルセルロース、疎水性に改変されたセルロース誘導体、キサンタンゴム、カシアゴム、グアーゴム、ローカストビーンゴム、種々のアルコキシル化度を有するジメチコーンコポリオール、窒化ホウ素、タルクなど、およびその混合物が挙げられる。このような適切な広がり補助剤または滑り補助剤は、典型的には、本発明のパーソナルケア組成物の合計重量の約０．０１重量％〜約５重量％、好ましくは約０．１重量％〜約３重量％、さらに好ましくは約０．１重量％〜約２．０重量％含まれる。
【０１８８】
適切な日焼け止め剤は、本発明のパーソナルケア組成物中で、安全で、光保護効果のある量で使用することができる。適切な日焼け止め剤としては、Ｓｅｇａｒｉｎら，Ｃｏｓｍｅｔｉｃｓ  Ｓｃｉｅｎｃｅ  ａｎｄ  Ｔｅｃｈｎｏｌｏｇｙ，Ｃｈａｐｔｅｒ  ＶＩＩＩ，ｐａｇｅｓ  １８９０など、および６４  Ｆｅｄｅｒａｌ  Ｒｅｇｉｓｔｅｒ，Ｖｏｌ．６４，Ｎｏ．９８，ｐｐ．２７６６６−２７６９３（１９９９年５月２１日）に記載されているものが挙げられる。特定の適切な日焼け止め剤としては、例えば、ｐ−アミノ安息香酸およびその塩および誘導体（エチルエステル、イソブチルエステル、グリセリルエステル；ｐ−ジメチルアミノ安息香酸；２−エチルヘキシル−Ｎ，Ｎ−ジメチルアミノベンゾエート）；アントラニル酸エステル（すなわち、ｏ−アミノ安息香酸エステル；メチルエステル、オクチルエステル、アミルエステル、メンチルエステル、フェニルエステル、ベンジルエステル、フェニルエチルエステル、リナリルエステル、テルピニルエステルおよびシクロヘキセニルエステル）；サリチル酸エステル（オクチルエステル、アミルエステル、フェニルエステル、ベンジルエステル、メンチルエステル、グリセリルエステルおよびジプロピレングリコールエステル）；経皮酸誘導体（エチルヘキシル−ｐ−メトキシエステル；メンチルエステルおよびベンジルエステル、フェニルシンナモニトリル；ブチルシンナモイルピルベート）；ジヒドロキシ経皮酸誘導体（ウンベリフェロン、メチルウンベリフェロン、メチルアセト−ウンベリフェロン）；トリヒドロキシ経皮酸誘導体（エスクレチン、メチルエスクレチン、ダフネチンおよびそのグルコシド、エスクリンおよびダフニン）；炭化水素（ジフェニルブタジエン、スチルベン）；ジベンザルアセトンおよびベンザルアセトフェノン；ナフトールスルホネート（２−ナフトール−３，６−ジスルホン酸ナトリウム塩および２−ナフトール−６，８−ジスルホン酸ナトリウム塩）；ジヒドロキシ−ナフトエ酸およびその塩；ｏ−およびｐ−ヒドロキシビフェニルジスルホネート；クマリン誘導体（７−ヒドロキシ、７−メチル、３−フェニル）；ジアゾール（２−アセチル−３−ブロモインダゾール、フェニルベンズオキサゾール、メチルナフトキサゾール、種々のアリールベンゾチアゾール）；キニーネ塩（硫酸水素塩、硫酸塩、塩化物、オレイン酸塩およびタンニン酸塩）；キノリン誘導体（８−ヒドロキシキノリン塩、２−フェニルキノリン）；ヒドロキシメトキシ置換されたベンゾフェノン；尿酸およびビオルル酸（ｖｉｌｏｕｒｉｃ  ａｃｉｄ）；タンニン酸およびその誘導体（例えば、ヘキサエチルエーテル）；（ブチルカルビチル）（６−プロピルピペロニル）エーテル；ヒドロキノン；ベンゾフェノン（オキシベンゾン、スリソベンゾン、ジオキシベンゾン、ベンゾレゾルシノール、２，２’，４，４’−テトラヒドロキシベンゾフェノン、２，２’−ジヒドロキシ−４，４’−ジメトキシベンゾフェノン、オクタベンゾン；４−イソプロピルジベンゾイルメタン；ブチルメトキシルジベンゾイルメタン；オクトクリレン；４−イソプロピル−ジベンゾイルメタン；およびカンファー誘導体、例えば、メチルベンジリデンカンファーま��はベンジリデンカンファーなど、およびその混合物が挙げられる。他の日焼け止め剤としては、無機日焼け止め剤、例えば、二酸化チタン（微粉化二酸化チタン、０．０３ミクロン）、酸化亜鉛、シリカ、酸化鉄および二酸化鉄など、および無機日焼け止め剤の混合物、および上述の有機日焼け止め剤との混合物が挙げられる。理論によって限定されないが、これらの無機物質は、有害なＵＶ光、可視光および赤外線を反射、分散および吸収することによって日焼け止めの利益を提供すると考えられる。特に有用なのは、エチルヘキシル−ｐ−メトキシシンナメート、サリチル酸オクチルおよびベンゾフェノンを単独で使用するか、または物理的な日焼け止め剤である二酸化チタンと組み合わせて使用した日焼け止め剤である。
【０１８９】
「安全で、光保護効果のある」とは、組成物を適用した場合、皮膚反応のような副作用をそれほど生じずに、光保護効果を与えるのに十分な日焼け止め剤の量を意味する。適切な日焼け止め剤は、典型的には、本発明のスキンケア組成物およびヘアケア組成物の合計重量の約０．５重量％〜約５０重量％、好ましくは約０．５重量％〜約３０重量％、さらに好ましくは約０．５重量％〜約２０重量％含まれる。実際の量は、選択される日焼け止め剤と、所望な日焼け防止指数（ＳＰＦ）に依存する。
【０１９０】
ＳＰＦは、通常、紅斑に対する日焼け止め剤の光保護効果を測定するのに使用される。この数字は、別のパラメータである最小紅斑線量（ＭＥＤ）から誘導される。ＭＥＤは、特定の波長で、後で紅斑反応を誘発する最少暴露線量であると定義される。ＭＥＤは、皮膚に到達したエネルギー量と、照射による皮膚の応答性とを示す。特定の光保護剤のＳＰＦは、保護された皮膚のＭＥＤを、保護されていない皮膚のＭＥＤで割ることによって得られる。ＳＰＦが大きいほど、その薬剤が日焼けを防ぐ効果が高い。ＳＰＦ値は、日焼け止め剤を使用した状態で、ヒトが１ＭＥＤを受けるまでに、ヒトが何倍長く日光にあたり続けられるかを示す値である（同じヒトの保護されていない皮膚と比較する）。例えば、ＳＰＦ６の日焼け止め剤を使用すると、ＭＥＤに到達するまでに、個人は日光に６倍長くあたり続けることができる。日焼け止め剤のＳＰＦ値が大きくなるにつれて、皮膚が日焼けする機会が低くなる。市販の日焼け止め製品は、２〜５０のＳＰＦ値を有する。
【０１９１】
適切な粘度調整剤または希釈剤としては、イソプロピルアルコール、エタノール、ソルビトール、プロピレングリコール、ジエチレングリコール、トリエチレングリコール、ジメチルエーテル、ブチレングリコールなど、およびその混合物が挙げられる。このような適切な粘度調整剤または希釈剤は、典型的には、一局面では、本発明のパーソナルケア組成物の合計重量の約０．１重量％〜約８５重量％、別の局面では約１重量％〜約６０重量％、さらなる局面では５重量％〜約４０重量％含まれる。
【０１９２】
皮膚コンディショニングポリマーとしては、四級化グアーゴム、四級化セルロース誘導体、ポリクアテルニウム４、ポリクアテルニウム７、ポリクアテルニウム１０、ポリクアテルニウム１１、ポリクアテルニウム３９、ポリクアテルニウム４４など、およびその混合物が挙げられる。このような適切なコンディショニング剤は、典型的には、本発明のスキンケア組成物の合計重量の約０．０１重量％〜約５重量％、好ましくは約０．１重量％〜約３重量％、さらに好ましくは約０．１重量％〜約２重量％含まれる。
【０１９３】
本発明の組成物は、種々のビタミンを含むこともできる。適切なビタミンとしては、限定されないが、ビタミンＡ、ビタミンＢ、ビオチン、パントテン酸、ビタミンＣ、ビタミンＤ、ビタミンＥ、酢酸トコフェロール、パルミチン酸レチニル、マグネシウムアスコルビルホスフェートなど、およびその誘導体および混合物が挙げられる。
【０１９４】
適切なレオロジー改変剤／乳化剤および質感改変剤としては、天然ポリマー、半合成ポリマーおよび合成ポリマーが挙げられる。天然および改質した天然ポリマーの例としては、ポリガラクトマンナンゴムおよび改質ポリガラクトマンナンゴム、例えば、グアーゴムおよびカシアゴム、キサンタンゴム、セルロース誘導体、改質セルロース誘導体、デンプン、多糖類などが挙げられる。ポリガラクトマンナンゴムおよび改質ポリガラクトマンナンゴムは、米国特許第４，７５３，６５９および国際公開特許第ＷＯ２００４／１１３３９０号およびＷＯ２００４／１１２７３３号に開示されている。合成ポリマーの例としては、米国特許第２，７９８，０５３号（本明細書に参考として組み込まれる）に記載のポリアリルショ糖で架橋したアクリル酸ポリマーおよびアクリル酸コポリマー、ポリアクリレート、アクリレートコポリマーまたはアルカリ膨潤性エマルションアクリル酸コポリマー（例えば、Ａｃｕｌｙｎ（登録商標）３３、Ｒｏｈｍ  ａｎｄ  Ｈａａｓ；Ｃａｒｂｏｐｏｌ（登録商標）Ａｑｕａ  ＳＦ−１、Ｎｏｖｅｏｎ，Ｉｎｃ．）、疎水性に改質されたアルカリ膨潤性コポリマー（例えば、Ａｃｕｌｙｎ  ２２、Ａｃｕｌｙｎ  ２８およびＡｃｕｌｙｎ  ３８、Ｒｏｈｍ  ａｎｄ  Ｈａａｓ）、疎水性に改質された非イオン性ポリウレタン（例えば、Ａｃｕｌｙｎ  ４４、Ｒｏｈｍ  ａｎｄ  Ｈａａｓ）、ポリエチレンオキシド（例えば、Ｄｏｗ／Ａｍｅｒｃｈｏｌ製のＰＥＧ−９０ＭおよびＰＥＧ−１８０Ｍ、Ｐｏｌｙｏｘ（登録商標）樹脂）などが挙げられる。市販の架橋アクリル酸ホモポリマーとしては、Ｎｏｖｅｏｎ，Ｉｎｃ．製Ｃａｒｂｏｐｏｌ（登録商標）９３４、９４０、９４１、９５６、９８０および９９６のカルボマーが挙げられる。他の市販の架橋アクリル酸コポリマーレオロジー改変剤としては、Ｎｏｖｅｏｎ，Ｉｎｃ．製のＣａｒｂｏｐｏｌ（登録商標）Ｕｌｔｒｅｚグレードシリーズ（Ｕｌｔｒｅｚ  １０、２０および２１）およびＥＴＤグレードシリーズ（ＥＴＤ２０２０および２０５０）のレオロジー改変剤が挙げられる。上述の天然ポリマー、改質天然ポリマーおよび合成ポリマーの混合物を使用することもできる。このような適切なレオロジー改変剤／乳化剤は、単独または組み合わせて、典型的には、本発明のパーソナルケア組成物の合計重量の約０．１重量％〜約５重量％、好ましくは約０．３重量％〜約３重量％、さらに好ましくは約０．５重量％〜約２重量％含まれる。
【０１９５】
エマルション水溶液として調製される本発明のポリマーは、水系配合物、水混和性補助溶媒または希釈剤を含有する配合物として特に有用であるが、これらに限定されない。通常使用するのに有用な溶媒は、典型的には、液体、例えば、水（脱イオン水、蒸留水または精製水）、アルコール、脂肪アルコール、ポリオールなど、およびその混合物である。非水系または疎水性の補助溶媒は、実質的に水を含まない製品（例えば、ネイルラッカー、エアロゾル噴射剤スプレー）または特定の機能（例えば、油性汚れ、皮脂、化粧の除去）を有するために、または染料、香料などを溶解させるために一般的に使用されるか、またはエマルションの油相に組み込まれる。補助溶媒の非限定例としては、水以外に、直鎖および分枝鎖のアルコール、例えば、エタノール、プロパノール、イソプロパノール、ヘキサノールなど；芳香族アルコール、例えば、ベンジルアルコール、シクロヘキサノールなど；飽和Ｃ１２〜Ｃ３０脂肪アルコール、例えば、ラウリルアルコール、ミリスチルアルコール、セチルアルコール、ステアリルアルコール、ベヘニルアルコールなどが挙げられる。ポリオールの非限定例としては、ポリヒドロキシアルコール、例えば、グリセリン、プロピレングリコール、ブチレングリコール、ヘキシレングリコール、Ｃ２〜Ｃ４アルコキシル化アルコールおよびＣ２〜Ｃ４アルコキシル化ポリオール、例えば、約２〜約３０個の炭素原子と１〜約４０個のアルコキシ単位とを有するアルコール、ジオールおよびポリオール、ポリプロピレングリコール、ポリブチレングリコールなどのエトキシル化エーテル、プロポキシル化エーテルおよびブトキシル化エーテルが挙げられる。非水系補助溶媒または希釈剤の非限定例としては、シリコーンおよびシリコーン誘導体、例えば、シクロメチコーンなど、ケトン、例えば、アセトンおよびメチルエチルケトン；天然および合成の油およびワックス、例えば、野菜油、植物油、動物油、精油、鉱油、Ｃ７〜Ｃ４０イソパラフィン、アルキルカルボン酸エステル、例えば、酢酸エチル、酢酸アミル、乳酸エチルなど、ホホバ油、サメ肝油などが揚げられる。上述の非水系補助溶媒または希釈剤は、コンディショナーおよび乳化剤であってもよい。
【０１９６】
界面活性剤は、一般的に、洗浄剤、乳化剤、安定化剤、起泡剤、構造化剤、ヒドロトロピー剤および懸濁剤として使用される。本発明のジメチコーンコポリオールポリマーは、あらゆる種類の界面活性剤（すなわち、アニオン性界面活性剤、カチオン性界面活性剤、非イオン性界面活性剤、両性界面活性剤）を含有する配合物で使用してもよい。用語「両性界面活性剤」は、本明細書で使用する場合、双性イオン性界面活性剤を含む。上述の参考文献に加え、界面活性剤の分類に関する記載は、Ｃｏｓｍｅｔｉｃｓ  ＆  Ｔｏｉｌｅｔｒｉｅｓ（登録商標）Ｃ＆Ｔ  ｉｎｇｒｅｄｉｅｎｔ  Ｒｅｓｏｕｒｃｅ  Ｓｅｒｉｅｓ，「Ｓｕｒｆａｃｔａｎｔ  Ｅｎｃｙｃｌｏｐｅｄｉａ」，第２版，Ｒｉｅｇｅｒ（編集），Ａｌｌｕｒｅｄ  Ｐｕｂｌｉｓｈｉｎｇ  Ｃｏｒｐｏｒａｔｉｏｎ（１９９６）；Ｓｃｈｗａｒｔｚら，Ｓｕｒｆａｃｅ  Ａｃｔｉｖｅ  Ａｇｅｎｔｓ，Ｔｈｅｉｒ  Ｃｈｅｍｉｓｔｒｙ  ａｎｄ  Ｔｅｃｈｎｏｌｏｇｙ（１９４９年発行）；およびＳｕｒｆａｃｅ  Ａｃｔｉｖｅ  Ａｇｅｎｔｓ  ａｎｄ  Ｄｅｔｅｒｇｅｎｔｓ，  Ｖｏｌｕｍｅ  ＩＩ（１９５８年発行），Ｉｎｔｅｒｓｃｉｅｎｃｅ  Ｐｕｂｌｉｓｈｅｒｓにある（それぞれ、本明細書に参考として組み込まれる）。
【０１９７】
アニオン性界面活性剤としては、負電荷を有する疎水性物質を有するか、またはｐＨが中性以上に高くなると負電荷を有する基質が挙げられ、例えば、アシルアミノ酸およびその塩、例えば、アシルグルタメート、アシルペプチド、サルコシネートおよびタウレート；カルボン酸およびその塩、例えば、アルカノール酸およびアルカノエート、エステルカルボン酸およびエーテルカルボン酸；リン酸エステルおよびその塩；スルホン酸およびその塩、例えば、アシルイセチオネート、アルキルアリールスルホネート、アルキルスルホネートおよびスルホサクシネート；および硫酸エステル、例えば、アルキルエーテルサルフェートおよびアルキルサルフェートが挙げられる。
【０１９８】
アニオン性界面活性剤の非限定例としては、水溶液でわずかに酸性のアシルグルタミン酸一塩基塩、例えば、アシルグルタミン酸ナトリウムおよび水素化タローグルタミン酸ナトリウム；アシル加水分解タンパク質の塩（例えば、カリウム塩）、パルミトイル加水分解ミルクタンパク質、ナトリウムココイル加水分解大豆タンパク質およびＴＥＡ−アビエトイル加水分解コラーゲン；アシルサルコシネート塩、例えば、アンモニウムミリストイルサルコシン、ナトリウムココイルサルコシネートおよびＴＥＡ−ラウロイルサルコシネート；ナトリウムメチルアシルタウレート塩、例えば、ナトリウムラウロイルタウレート、ナトリウムメチルアシルタウレートおよびナトリウムメチルココイルタウレート；アルカン酸およびアルカノエート、例えば、動物由来の脂肪酸と植物性グリセリドから生成する水溶性石鹸および水不溶性乳化石鹸（ステアリン酸ナトリウム、ステアリン酸アンモニウム、ステアリン酸アルミニウムおよびウンデシレン酸亜鉛を含む）；エステルカルボン酸、例えば、ジノノキシノール−９−シトレート；アシルラクチレート塩、例えば、カルシウムステアロイルラクチレートおよびラウレス−６シトレート；種々のポリオキシエチレン鎖長を有するエトキシル化アルコールまたはフェノールから誘導したエーテルカルボン酸、例えば、ノノキシノール−８カルボン酸およびナトリウムトリデセス−１３カルボキシレート；リン酸のモノエステルおよびジエステルおよびその塩、例えば、リン脂質、ジラウレス−４−ホスフェート、ＤＥＡ−オレス−１０ホスフェートおよびトリエタノールアミンラウリルホスフェート；アシルイセチオネート塩、例えば、ナトリウムココイルイセチオネート；アルキルアリールベンゼンスルホネート、例えば、α−オレフィンスルホネート（ＡＯＳ）およびそのアルカリ金属塩、アルカリ土類金属塩およびアルカノールアミン塩、およびナトリウムドデシルベンゼンスルホネート；アルキルスルホネート、例えば、ナトリウムＣ１２〜Ｃ１４オレフィンスルホネート、ナトリウムＣ１４〜Ｃ１６オレフィンスルホネート、ナトリウムココモノグリセリドスルホネート、ナトリウムＣ１２〜Ｃ１５パレス−１５スルホネートおよびナトリウムラウリルスルホアセテート；スルホサクシネート、例えば、スルホコハク酸のモノエステルおよびジエステル、その塩およびアルコキシル化アルキルおよびアルキルアミド誘導体、例えば、ジ−Ｃ４〜Ｃ１０アルキルナトリウムスルホサクシネート、ジナトリウムラウレススルホサクシネート、ジナトリウムオレアミドＭＥＡ−スルホサクシネートおよびジナトリウムＣ１２〜Ｃ１５パレススルホサクシネート；アルキルエーテルサルフェート、例えば、ナトリウムラウリルエーテルサルフェートおよびアンモニウムラウリルエーテルサルフェート（約１〜約１２モルのエチレンオキシドを有する）、例えば、ナトリウムラウレスサルフェート；アルキルサルフェート、例えば、Ｃ１２〜Ｃ１８アルキルサルフェートのナトリウム塩、アンモニウム塩およびトリエタノールアミン塩、ナトリウムＣ１２〜Ｃ１４オレフィンサルフェート、ナトリウムラウレス−６カルボキシレート、ナトリウムＣ１２〜Ｃ１８パレスサルフェートなどが挙げ���れる。
【０１９９】
カチオン性界面活性剤は、陽電荷を有する疎水性物質を有するか、またはｐＨが中性付近より低くなると電荷を有さない基質が挙げられ、例えば、アルキルアミン、アルキルイミダゾリン、エトキシル化アミンおよび四級アンモニウム化合物が挙げられる。化粧品で使用するカチオン性界面活性剤は、好ましくはＮ−誘導体であり、中和アニオンは無機アニオンでも有機アニオンでもよい。カチオン性界面活性剤の中で、本明細書で有用な物質は、一般式（Ｒ１４Ｒ１５Ｒ１６Ｒ１７Ｎ＋）Ｅ−を有する四級アンモニウム化合物である。式中、Ｒ１４、Ｒ１５、Ｒ１６およびＲ１７は、独立して、１個〜約３０個の炭素原子を有する脂肪族基、またはアルキル鎖に１〜約２２個の炭素原子を有する芳香族基、アルコキシ基、ポリオキシアルキレン基、アルキルアミド基、ヒドロキシアルキル基、アリール基またはアルキルアリール基から選択され；Ｅ−は、塩を生成するアニオンであり、例えば、ハロゲン（例えば、塩素、臭素）、酢酸イオン、クエン酸イオン、乳酸イオン、グリコール酸イオン、リン酸イオン、硝酸イオン、硫酸イオンおよびアルキル硫酸イオンから選択される。脂肪族基は、炭素原子および水素原子に加え、エーテル結合、エステル結合、およびアミノ基のような他の基を含有してもよい。脂肪族基の鎖が長いもの（例えば、約１２個以上の炭素原子を有するもの）は、飽和であっても不飽和であってもよい。
【０２００】
アルキルアミンは、一級、二級および三級のＣ１２〜Ｃ２２アルキルアミンであってもよく、これらは置換されていても置換されていなくてもよく、この基質は「アミドアミン」と呼ばれることもある。アルキルアミンおよびその塩の非限定例としては、ジメチルコカミン、ジメチルパルミトアミン、ジオクチルアミン、ジメチルステアラミン、ジメチルソイアミン、ソイアミン、ミリスチルアミン、トリデシルアミン、エチルステアリルアミン、Ｎ−タロープロパンジアミン、エトキシル化ステアリルアミン、ジヒドロキシエチルステアリルアミン、アラキジルベヘニルアミン、ジメチルラウラミン、塩酸ステアリルアミン、ソイアミンクロリド、ギ酸ステアリルアミン、Ｎ−タロープロパンジアミンジクロリドおよびアモジメチコーン（末端にアミノ官能基を有するシリコーンポリマーのＩＮＣＩ名、例えば、アミノエチルアミノプロピルシロキサン）が挙げられる。アミドアミンおよびその塩の非限定例としては、ステアリル酸アミドプロピルジメチルアミン、ステアリル酸アミドプロピルジメチルアミンシトレート、パルミチン酸アミドプロピルジエチルアミンおよびココアミドプロピルジメチルアミンラクテートが挙げられる。他のカチオン性界面活性剤としては、ジステアリルジモニウムクロリド、ジセチルジモニウムクロリド、グアーヒドロキシプロピルトリモニウムクロリドなどが挙げられる。低ｐＨでは、アミンオキシドはプロトン化していることがあり、Ｎ−アルキルアミンとよく似た挙動をすることがある。
【０２０１】
アルキルイミダゾリンの非限定例としては、アルキルヒドロキシエチルイミダゾリン、例えば、ステアリルヒドロキシエチルイミダゾリン、ココヒドロキシエチルイミダゾリン、エチルヒドロキシメチルオレイルオキサゾリンなどが挙げられる。エチルオキシル化アミンの非限定例としては、ＰＥＧ−ココポリアミン、ＰＥＧ−１５タローアミン、クアテルニウム−５２などが挙げられる。
【０２０２】
四級アンモニウム化合物は、４個のアルキル置換基および／またはアリール置換基に共有結合した少なくとも１個の窒素原子を含有するモノマー物質またはポリマー物質であり、窒素原子は、ｐＨに関わらず陽電荷を有している。四級アンモニウム化合物には、界面活性剤、コンディショナー、静電防止剤および抗菌薬として広く使用される基質が大量に含まれ、アルキルベンジルジメチルアンモニウム塩、アルキルベタイン、複素環式アンモニウム塩およびテトラアルキルアンモニウム塩が挙げられる。長鎖（脂肪族）アルキルベンジルジメチルアンモニウム塩は、以下にさらに詳細に記載されるように、コンディショナー、静電防止剤および布地柔軟剤として好ましい。他の四級アンモニウム化合物としては、四級アンモニウムシリコーンが挙げられる。
【０２０３】
アルキルベンジルジメチルアンモニウム塩の非限定例としては、ステアラルコニウムクロリド、ベンザルコニウムクロリド、クアテルニウム−６３、オレアルコニウムクロリド、ジデシルジモニウムクロリドなどが挙げられる。アルキルベタイン化合物としては、アルキルアミドプロピルベタイン、アルキルアミドプロピルヒドロキシスルタインおよびナトリウムアルキルアミドプロピルヒドロキシホスタインが挙げられる。アルキルベタイン化合物の非限定例としては、オレイルベタイン、ココ−ベタイン、ココアミドプロピルベタイン、ココ−ヒドロキシスルタイン、ココ／オレアミドプロピルベタイン、ココ−スルタイン、ココアミドプロピルヒドロキシスルタインおよびナトリウムラウリン酸アミドプロピルヒドロキシホスタインが挙げられる。へテロ環アンモニウム塩としては、アルキルエチルモルホリニウムエトサルフェート、イソステアリルエチルイミドニウムエトサルフェートおよびアルキルピリジニウムクロリド、および乳化剤として一般的に使用されているものが挙げられる。複素環式アンモニウム塩の非限定例としては、セチルピリジニウムクロリド、イソステアリルエチルイミドニウムエトサルフェートなどが挙げられる。テトラアルキルアンモニウム塩の非限定例としては、ココアミドプロピルエチルジモニウムエトサルフェート、ヒドロキシエチルセチルジモニウムクロリド、クアテルニウム−１８およびココジモニウムヒドロキシプロピル加水分解タンパク質、例えば、毛髪ケラチンなどが挙げられる。
【０２０４】
本組成物で使用するのに適した両性界面活性剤または双性イオン性界面活性剤としては、脂肪族四級アンモニウム化合物、ホスホニウム化合物およびスルホニウム化合物の誘導体として広く記載されているものが挙げられ、ここで、脂肪族基は、直鎖であっても分枝鎖であってもよく、脂肪族置換基のうち１個は約８〜約３０個の炭素原子を含有し、別の置換基は、アニオン性の水溶性基、例えば、カルボキシ、スルホネート、サルフェート、ホスフェート、ホスホネートなどを含有する。双性イオン性物質の分類には、アルキルアミノスルホネート、アルキルベタインおよびアルキルアミドベタイン、例えば、ステアリル酸アミドプロピルジメチルアミン、ジエチルアミノエチルステアリル酸アミド、ジメチルステアラミン、ジメチルソイアミン、ソイアミン、ミリスチルアミン、トリデシルアミン、エチルステアリルアミン、Ｎ−タロープロパンジアミン、エトキシル化（エチレンオキシド５モル）ステアリルアミン、ジヒドロキシエチルステアリルアミン、アラキジルベヘニルアミンなどが含まれる。いくつかの適切なベタイン界面活性剤としては、限定されないが、アルキルベタイン、アルキルアミドプロピルベタイン、アルキルスルホベタイン、アルキルグリシネート、アルキルカルボキシグリシネート、アルキルアンホプロピオネート、アルキルアミドプロピルヒドロキシスルタイン、アシルタウレートおよびアシルグルタメートが挙げられ、ここで、アルキル基およびアシル基は、８〜１８個の炭素原子を有する。好ましい両性界面活性剤の非限定例としては、ココアミドプロピルベタイン、ナトリウムココアンホアセテート、ジナトリウムココアンホジアセテート、ココアミドプロピルヒドロキシスルタインおよびナトリウム  ココアンホプロピオネートが挙げられ、これらは皮膚および毛髪に対するマイルドなクレンザーとして特に適している。
【０２０５】
非イオン性界面活性剤は、一般的に、電荷を有さない両親媒性物質であり、通常は、さまざまな程度にアルコキシル化されている。非イオン性界面活性剤の分類には、アルコール、アルカノールアミド、アミンオキシド、アルキルグルコシド、エステルおよびエーテルが含まれる。非イオン性アルコールは、通常は、長鎖Ｃ８〜Ｃ１８アルカン炭化水素のヒドロキシ誘導体であり、例えば、セテアリルアルコール、水素化タローアルコール、ラノリンアルコール、アルカノールアミドなどである。アルカノールアミドは、少なくとも１つのアルコキシル基または少なくとも１つのポリオキシエチレン基を含有し、例えば、アルカノールから誘導されたアミド、例えば、アシルアミドＤＥＡ、Ｎ−アルキルピロリドン、パームアミドＭＥＡ、ピーナッツアミドＭＩＰＡなど、およびエトキシル化アミド、例えば、ＰＥＧ−５０タローアミドが挙げられる。アミンオキシドとしては、アルキルアミンオキシド、例えば、ラウラミンオキシド；およびアシルアミドプロピルモルホリンオキシド、例えば、ココアミドプロピルアミンオキシドなどが挙げられる。アルキルグルコシドとしては、直鎖および分枝鎖のＣ４〜Ｃ２４アルキルグルコシド、例えば、ノニルグルコシド、デシルグルコシド、ドデシルグルコシドおよびラウリルグルコシドが挙げられる。エステルとしては、エトキシル化カルボン酸、例えば、ＰＥＧ−８ジラウレート、ＰＥＧ−８ラウレートなど；エトキシル化グリセリド、例えば、ＰＥＧ−４ヒマシ油、ＰＥＧ−１２０グリセリルステアレート、トリオレインＰＥＧ−６エステルなど；グリコールエステルおよびその誘導体、例えば、グリコールステアレートＳＥ、プロピレングリコールリシノレートなど；モノグリセリド、例えば、グリセリルミリステート、グリセリルパルミテートラクテートなど；ポリグリセリルエステル、例えば、ポリグリセリル−６−ジステアレート、ポリグリセリル−４オレイルエーテルなど、多価アルコールエステルおよびエーテル、例えば、メチルグルセス−２０セスキステアレート、ショ糖ジステアレートなど；ソルビタン／ソルビトールエステル、例えば、ポリソルベート−２０、ポリソルベート−６０、ソルビタンセスキイソステアレートなど；およびリン酸トリエステル、例えば、トリデセス−３ホスフェート、トリオレス−８ホスフェートなどが挙げられる。例示的なエーテルとしては、エトキシル化アルコール、例えば、セテアレス−１０、セテス−１０、セテス−２０、イソセテス−２０、ステアレス−１０、ステアレス−１６、ステアレス−２０、ステアレス−２５、オレス−２、オレス−１０、オレス−２０、ノノキシノール−９など；エトキシル化ラノリン、例えば、ＰＥＧ−２０ラノリン、ＰＰＧ−１２−ＰＥＧ−６５ラノリン油など；エトキシル化ポリシロキサン、例えば、ジメチコーンコポリオールなど；プロポキシル化ＰＯＥエーテル、例えば、メロキサポール３１４、ポロキサマー１２２、ＰＰＧ−５−セテス−２０など；アルキルポリグリコシド、例えば、ラウリルグルコースなどが挙げられる。
【０２０６】
非イオン性界面活性剤は、ゲル化剤、安定化剤、乳化剤、懸濁剤、可溶化剤、起泡剤として使用することができ、ある場合には、ヒドロトロピー剤として使用することができる。一般的に好ましい非イオン性界面活性剤の非限定例としては、直鎖または分枝鎖のアルコールエトキシレート、Ｃ８〜Ｃ１２アルキルフェノールアルコキシレート、例えば、オクチルフェノールエトキシレート、ポリオキシエチレンポリオキシプロピレンブロックコポリマーなど；ポリオキシエチレングリコールモノグリセリドおよびジグリセリドのＣ８〜Ｃ２２脂肪酸エステル；ソルビタンエステルおよびエトキシル化ソルビタンエステル；Ｃ８〜Ｃ２２脂肪酸グリコールエステル；エチレンオキシドとプロピレンオキシドとのブロックコポリマーなどが挙げられる。界面活性促進剤またはヒドロトロピー剤の非限定例としては、アルカノールアミド、例えば、アセトアミドＭＥＡ、モノエタノールアミド、ジエタノールアミド、ラウリン酸アミドＤＥＡ、ココアミドＭＥＡ、ココアミドＤＥＡ、イソプロパノールアミドなど；アミンオキシド、例えば、水素化タローアミンオキシド；短鎖アルキルアリールスルホネート、例えば、ナトリウムトルエンスルホネート；スルホサクシネート、例えば、ジナトリウムステアリルスルホサクシネートなどが挙げられる。
【０２０７】
本発明の実施形態のカチオン性ポリマーは、驚くべきことに、静電防止剤に適したカチオン性界面活性剤および他のカチオン性化合物と相溶性である。用語「静電防止剤」は、例えば、電荷を得る傾向を下げることによって、化粧品原材料または人体表面（皮膚、毛髪など）および布地の電気的性質を変え、毛髪、皮膚、繊維および布地の状態をととのえる成分を指す。実施形態のカチオン性ポリマーのカチオン相溶性により、典型的には、ヘアケア組成物で使用される静電防止剤を含む配合物（例えば、シャンプー、シャンプー後に使用するコンディショニングリンス、ヘアスプレーのように洗い流さない製品、整髪料など）に組み込むのに適したものになる。静電防止剤は、最終組成物に約３０重量％までの量で使用することができるが、これに限定されない。
【０２０８】
静電防止剤としては、限定されないが、四級アンモニウム化合物、タンパク質誘導体、合成四級アンモニウムポリマー、アミン、プロトン化アミンオキシド、ベタイン、シリコーンおよびシリコーン誘導体などが挙げられ、これらは、特定の処方物中、制御されたｐＨ条件下で、界面活性特性を付与することに加え、静電防止剤として作用してもよい。上述の静電防止剤に加え、静電防止剤として有用な四級アンモニウム化合物の非限定例は、アセトアミドプロピルトリモニウムクロリド、ベヘンアミドプロピルジメチルアミン、ベヘンアミドプロピルエチルジモニウムエトサルフェート、ベヘントリモニウムクロリド、セテチルモルホリニウムエトサルフェート、セトリモニウムクロリド、ココアミドプロピルエチルジモニウムエトサルフェート、ジセチルジモニウムクロリド、ジメチコーンヒドロキシプロピルトリモニウムクロリド、ヒドロキシエチルベヘンアミドプロピルジモニウムクロリド、クアテルニウム−２６、クアテルニウム−２７、クアテルニウム−５３、クアテルニウム−６３、クアテルニウム−７０、クアテルニウム−７２、クアテルニウム−７６加水分解コラーゲン、ＰＰＧ−９ジエチルモニウムクロリド、ＰＰＧ−２５ジエチルモニウムクロリド、ＰＰＧ−４０ジエチルモニウムクロリド、ステアラルコニウムクロリド、ステアリル酸アミドプロピルエチルジモニウムエトサルフェート、ステアラジモニウムヒドロキシプロピル加水分解小麦タンパク質、ステアラジモニウムヒドロキシプロピル加水分解コラーゲン、小麦胚芽アミドプロパアルコニウムクロリド、小麦胚芽アミドプロピルエチルジモニウムエトサルフェート、アモジメチコーンなどが挙げられる。
【０２０９】
合成四級アンモニウムポリマーとしては、膜形成ポリマーおよびコンディショニングポリマーが挙げられる。合成四級アンモニウムポリマーの非限定例としては、ジメチルジアリルアンモニウムクロリドのポリマーおよびコポリマーが挙げられ、例えば、ポリクアテルニウム−４、ポリクアテルニウム−６、ポリクアテルニウム−７、ポリクアテルニウム−２２、ポリクアテルニウム−１０、ポリクアテルニウム−１１、ポリクアテルニウム−１５、ポリクアテルニウム−１６、ポリクアテルニウム−２４、ポリクアテルニウム−２８、ポリクアテルニウム−３２、ポリクアテルニウム−３３、ポリクアテルニウム−３５、ポリクアテルニウム−３７、ポリクアテルニウム−３９、ポリクアテルニウム−４４、ポリクアテルニウム−５５、ポリクアテルニウム−６０、ポリクアテルニウム−６５、ポリクアテルニウム−６７、ポリクアテルニウム−６８、ＰＥＧ−２−ココモニウムクロリド、クアテルニウム−５２などが挙げられる。
【０２１０】
用語「毛髪セット組成物」または「ヘアスタイリング組成物」は、少なくとも１つの本発明のポリマーを毛髪セット剤として含み、製品の形態は限定されず、毛髪を望ましい形状（カール状または直毛）にセットする前、セット中、またはセット後に、毛髪（濡れた毛髪または乾燥した毛髪）に適用する製品を包含する。
【０２１１】
本発明のポリマーは、驚くべきことに、毛髪セット組成物およびヘアスタイリング組成物で、単独で膜形成剤、レオロジー改変剤、コンディショニング固定剤、コンディショニング剤として有用であるか、または補助的なレオロジー改変剤と組み合わせて使用することができる。本発明のポリマーは、市販の補助的な毛髪固定ポリマー、例えば、非イオン性、アニオン性、カチオン性および両性の毛髪セットポリマー、カチオン性コンディショニングポリマー、構造化剤およびこれらの組み合わせと組み合わせることにより、毛髪セット性およびヘアスタイリング性を高めることができる。当該技術分野で周知の従来のポリマー毛髪固定剤およびヘアスタイリングポリマーとしては、天然のゴムおよび樹脂および天然ポリマーまたは合成アニオン性ポリマーが挙げられる。市販の毛髪固定剤およびコンディショニング固定ポリマーのリストは、ＩＮＣＩ  Ｄｉｃｔｉｏｎａｒｙ，ＣＴＦＡ（Ｃｏｓｍｅｔｉｃ，  Ｔｏｉｌｅｔｒｙ  ａｎｄ  Ｆｒａｇｒａｎｃｅ  Ａｓｓｏｃｉａｔｉｏｎ）のリスト、供給業者のウェブサイトおよび営業用文献から容易に得ることができる。例えば、ｔｈｅ  Ｐｏｌｙｍｅｒ  Ｅｎｃｙｃｌｏｐｅｄｉａ，Ｃｏｓｍｅｔｉｃｓ  ＆  Ｔｏｉｌｅｔｒｉｅｓ（Ｒ）発行，１１７（１２），２００２年１２月（Ａｌｌｕｒｅｄ  Ｐｕｂｌｉｓｈｉｎｇ  Ｃｏｒｐｏｒａｔｉｏｎ，Ｃａｒｏｌ  Ｓｔｒｅａｍ，ＩＬ）を参照（この関連する開示内容は、本明細書に参考として組み込まれる）。
【０２１２】
ヘアスタイリングまたは固定ポリマーとして使用するのに適した市販の非イオン性（すなわち、中性の）ポリマーとしては、これらに限定されないが、ポリビニルピロリドン（ＰＶＰ）、ポリビニルピロリドン／酢酸ビニルコポリマー（ＰＶＰ／ＶＡ）、ＶＰ／メタクリルアミド／ビニルイミダゾールコポリマー（Ｌｕｖｉｓｅｔ（登録商標）Ｃｌｅａｒ、ＢＡＳＦ）、炭化水素（例えば、単糖類、二糖類および多糖類）などが挙げられる。
【０２１３】
適切なアニオン性固定ポリマー（すなわち、あらかじめ中和した形態であるか、または塩基によって中和して系中で生成）は、米国特許第６，４１０，００５号および国際公開特許第ＷＯ０３／０６１６１５に開示されており、これらの内容は本明細書に参考として組み込まれる。このような固定性ポリマーは、Ｎｏｖｅｏｎ，Ｉｎｃ．，Ｃｌｅｖｅｌａｎｄ，ＯＨから商品名Ｆｉｘａｔｅ（登録商標）Ｇ−１００（中和形態で供給）（ＩＮＣＩ名：ＡＭＰ−アクリレート／アリルメタクリレートコポリマー）およびＦｉｘａｔｅ（登録商標）ＰＬＵＳ（低ｐＨエマルションとして供給）（ＩＮＣＩ名：ポリアクリレート−１４）で市販されている。アニオン性固定ポリマーの他の例は、アクリレートコポリマー（ＢＡＳＦ製のＬｕｖｉｆｌｅｘ  ＳｏｆｔおよびＬｕｖｉｍｅｒ；Ｎｏｖｅｏｎ，Ｉｎｃ．製のＡｖａｌｕｒｅ（登録商標）ＡＣシリーズ）およびＰＥＧ／ＰＰＧ−２５／２５ジメチコーン／アクリレートコポリマー（Ｌｕｖｉｆｌｅｘ（登録商標）Ｓｉｌｋ、ＢＡＳＦ）およびアクリルアミド／ナトリウムアクリロイルジメチルタウレート／アクリル酸コポリマー（Ａｃｕｄｙｎｅ（登録商標）ＳＣＰ、Ｒｏｈｍ  ａｎｄ  Ｈａａｓ）、メタクリル酸／ナトリウムアクリルアミドメチルプロパンスルホネートコポリマー（Ｆｉｘｏｍｅｒ（登録商標）、Ｎａｌｃｏ）およびデヒドロキサンタンゴム（Ａｍａｚｅ（登録商標）、Ｎａｔｉｏｎａｌ  Ｓｔａｒｃｈ）である。
【０２１４】
市販のカチオン性固定ポリマーとしては、限定されないが、ＩＮＣＩ名がポリクアテルニウムのポリマー（例えば、ポリクアテルニウム−４）、ジアリルジモニウムクロリド／ヒドロキシエチルセルロースコポリマー（例えば、ＣＥＬＱＵＡＴ（登録商標）Ｈ−１００、Ｎａｔｉｏｎａｌ  Ｓｔａｒｃｈ）；ポリクアテルニウム−１１、四級化ビニルピロリドン／ジメチルアミノエチルメタクリレートコポリマー（例えば、ＧＡＦＱＵＡＴ（登録商標）７３４、７５５、７５５Ｎ、ＩＳＰ）；ポリクアテルニウム−１６、四級化ビニルピロリドン／ビニルイミダゾリウムクロリドコポリマー（例えば、ＬＵＶＩＱＵＡＴ（登録商標）ＦＣ−３７０、ＢＡＳＦ）；ポリクアテルニウム−２８、ビニルピロリドン／メタクリルアミドプロピルトリメチルアンモニウムクロリドコポリマー（例えば、ＧＡＦＱＵＡＴ（登録商標）ＨＳ−１００、ＩＳＰ）；ポリクアテルニウム−４６、四級化ビニルカプロラクタム／ビニルピロリドン／メチルビニルイミダゾリウムメトサルフェートコポリマー；ポリクアテルニウム−５５、四級化ビニルピロリドン／ジメチルアミノプロピルメチルアクリルアミド／ラウリルジメチル−プロピルメタクリルアミドアンモニウムクロリドコポリマー（例えば、ＳＴＹＬＥＺＥ（登録商標）Ｗ−２０、ＩＳＰ）、ポリクアテルニウム−６８、四級化ビニルピロリドン／メチルアクリルアミド／ビニルイミダゾールおよび３−メチル−１−ビニルイミダゾリウムメチルサルフェート（例えば、Ｌｕｖｉｑｕａｔ（登録商標）Ｓｕｐｒｅｍｅ、ＢＡＳＦ）など；および酸性ｐＨ条件下でカチオン性のアミノ置換されたポリマー、例えば、ビニルカプロラクタム／ＰＶＰ／ジメチルアミノエチルメタクリレートコポリマー（例えば、ＧＡＦＦＩＸ（登録商標）ＶＣ−７１３、ＩＳＰ）；ＶＰ／ジメチルアミノエチルメタクリレートコポリマー（例えば、コポリマー８４５、ＩＳＰ）、ＰＶＰ／ＤＭＡＰＡアクリレートコポリマー（例えば、ＳＴＹＬＥＺＥＴＭ  ＣＣ−１０、１ＳＰ）、ＩＮＣＩ名がＣｈｉｔｏｓａｎ  ＰＣＡであるキトサンピロリドンカルボン酸塩（例えば、ＫＹＴＡＭＥＲ（登録商標）ＰＣ、Ａｍｅｒｃｈｏｌ）などが挙げられる。
【０２１５】
適切な両性固定性ポリマーとしては、これらの限定されないが、オクチルアクリルアミド／アクリレート／ブチルアミノエチルメタクリレートコポリマー（例えば、ＡＭＰＨＯＭＥＲ（登録商標）ポリマー、Ｎａｔｉｏｎａｌ  Ｓｔａｒｃｈ）、アクリレート／アクリル酸ラウリル／アクリル酸ステアリル／メタクリル酸エチルアミンオキシドコポリマー（例えば、Ｃｌａｒｉａｎｔ  Ｃｏｒｐ．製ＤＩＡＦＯＲＭＥＲ（登録商標）ポリマーおよびＭｉｔｓｕｂｉｓｈｉ  Ｃｈｅｍｉｃａｌ  Ｃｏｒｐｏｒａｔｉｏｎ製Ｙｏｋｏｆｏｒｍｅｒ（登録商標））などが挙げられる。
【０２１６】
適切な市販のコンディショニングポリマーとしては、ポリマー四級アンモニウム塩（例えば、これに限定されないが、ポリクアテルニウム−７）、アクリルアミドおよびジメチルジアリルアンモニウムクロリドモノマーのポリマー四級アンモニウム塩（例えば、ＭＡＣＫＥＲＮＩＵＭ（登録商標）−００７、Ｍｃｌｎｔｙｒｅ  Ｇｒｏｕｐ，Ｌｔｄ．）；ポリクアテルニウム−１０、トリメチルアンモニウム置換されたエポキシドと反応させたヒドロキシエチルセルロースポリマー四級アンモニウム塩（例えば、ＵＣＡＲＥ（登録商標）Ｐｏｌｙｍｅｒ  ＪＲ、ＬＫ、ＬＲ、ＳＲシリーズ、Ａｍｅｒｃｈｏｌ  ａｎｄ  ＣＥＬＱＵＡＴ（登録商標）ＳＣシリーズ、Ｎａｔｉｏｎａｌ  Ｓｔａｒｃｈ）；ポリクアテルニウム−３９、アクリル酸、ジアリルジメチルアンモニウムクロリドおよびアクリルアミドのポリマー四級アンモニウム塩、例えば、ＭＥＲＱＵＡＴ（登録商標）およびＭＥＲＱＵＡＴ（登録商標）Ｐｌｕｓポリマー、Ｏｎｄｅｏ  Ｎａｌｃｏ）；天然ゴムの四級化誘導体、例えば、グアーヒドロキシプロピルトリモニウムクロリド、例えば、ＪＡＧＵＡＲ（登録商標）およびＪＡＧＵＡＲ（登録商標）Ｅｘｃｅｌ  Ｐｏｌｙｍｅｒｓ、Ｒｈｏｄｉａ，Ｉｎｃ．）などが挙げられる。
【０２１７】
本発明のパーソナルケア組成物（特にヘアケアおよびスキンケアの実施形態）は、必要に応じて、潤い向上アジュバントおよび輝き向上アジュバントとしてＧｕｅｒｂｅｔエステルを含有することができる。Ｇｕｅｒｂｅｔエステルは、皮膚軟化性を付与し、望ましい感覚的な特性（例えば、柔らかい感触および柔らかくて光沢のある外観および健康的な外観）を与える。Ｇｕｅｒｂｅｔエステルは、Ｇｕｅｒｂｅｔアルコールと脂肪酸との反応生成物から得られる。例示的なＧｕｅｒｂｅｔエステルとしては、オクチルドデシル蜜蝋、オクチルドデシルイソステアレート、オクチルドデシルリシノレートおよびトリオクチルドデシルシトレートが挙げられる。Ｇｕｅｒｂｅｔエステルは、Ｎｏｖｅｏｎ，Ｉｎｃ．から商標Ｂｅｅｓｂｕｔｔｅｒ（登録商標）およびＵｌｔｒａｃａｓ（登録商標）Ｇ−２０およびＧ−６６で市販されている。
【０２１８】
多くの四級アンモニウム化合物は、布地コンディショニングおよび布地ケアに使用され、一般的に布地柔軟剤と呼ばれ、典型的には、配合物の合計重量の約２０重量％までの量で使用されるが、これに限定されない。本発明のカチオン性ポリマーと組み合わせて有用な布地柔軟剤としては、一般的に、長鎖アルキル化四級アンモニウム化合物、例えば、ジアルキルジメチル四級アンモニウム化合物、イミダゾリン四級化合物、アミドアミン四級化合物、ジヒドロキシプロピルアンモニウム化合物のジアルキルエステルクアット誘導体；総説Ｗｈａｌｌｅｙ，Ｆａｂｒｉｃ  Ｃｏｎｄｉｔｉｏｎｉｎｇ  Ａｇｅｎｔｓ，ＨＡＰＰＩ，ｐｐ．５５−５８（１９９５年２月）（本明細書に参考として組み込まれる）に記載されているような、メチルトリエタノールアンモニウム化合物、エステルアミドアミン化合物のジアルキルエステルクアット誘導体、およびジメチルジエタノールアンモニウムクロリドのジエステルクアット誘導体が挙げられる。
【０２１９】
上述の静電防止剤に加え、ジアルキルジメチル四級アンモニウム化合物の非限定例としては、Ｎ，Ｎ−ジオレイル−Ｎ，Ｎ−ジメチルアンモニウムクロリド、Ｎ，Ｎ−ジタローイル−Ｎ，Ｎ−ジメチルアンモニウムエトサルフェート、Ｎ，Ｎ−ジ（水素化−タローイル）−Ｎ，Ｎ−ジメチルアンモニウムクロリドなどが挙げられる。イミダゾリン四級化合物の非限定例としては、１−Ｎ−メチル−３−Ｎ−タローアミドエチルイミダゾリウムクロリド、３−メチル−１−タローイルアミドエチル−２−タローイルイミダゾリニウムメチルサルフェート（Ｗｉｔｃｏ  Ｃｈｅｍｉｃａｌ  Ｃｏｍｐａｎｙから商標名ＶＡＲＩＳＯＦＴ（登録商標）４７５などで市販）が挙げられる。アミドアミン四級化合物の非限定例としては、Ｎ−アルキル−Ｎ−メチル−Ｎ，Ｎ−ビス（２−タローアミドエチル）アンモニウム塩が挙げられ、ここで、アルキル基は、メチル、エチル、ヒドロキシエチルなどであってもよい。ジヒドロキシプロピルアンモニウム化合物のジアルキルエステルクアット誘導体の非限定例としては、１，２−ジタローイルオキシ−３−Ｎ，Ｎ，Ｎ−トリメチルアンモニオプロパンクロリド、１，２−ジキャノーロイルオキシオキシ−３−Ｎ，Ｎ，Ｎ−トリメチルアンモニオプロパンクロリドなどが挙げられる。
【０２２０】
これに加えて、他の種類の長鎖（例えば、天然油由来および天然脂肪酸由来の）アルキル化四級アンモニウム化合物が布地柔軟剤に適しており、限定されないが、Ｎ，Ｎ−ジ（アルキルオキシエチル）−Ｎ，Ｎ−ジメチルアンモニウム塩、例えば、Ｎ，Ｎ−ジ（タローイルオキシエチル）−Ｎ，Ｎ−ジメチルアンモニウムクロリド、Ｎ，Ｎ−ジ（キャノーリルオキシエチル）−Ｎ，Ｎ−ジメチルアンモニウムクロリドなど；Ｎ，Ｎ−ジ（アルキルオキシエチル）−Ｎ−メチル−Ｎ−（２−ヒドロキシエチル）アンモニウム塩、例えば、Ｎ，Ｎ−ジ（タローイルオキシエチル）−Ｎ−メチル−Ｎ−（２−ヒドロキシエチル）アンモニウムクロリド、Ｎ，Ｎ−ジ（キャノーリルオキシエチル）−Ｎ−メチル−Ｎ−（２−ヒドロキシエチル）アンモニウムクロリドなど；Ｎ，Ｎ−ジ（２−アルキルオキシ−２−オキソエチル）−Ｎ，Ｎ−ジメチルアンモニウム塩、例えば、Ｎ，Ｎ−ジ（２−タローイルオキシ−２−オキソエチル）−Ｎ，Ｎ−ジメチルアンモニウムクロリド、Ｎ，Ｎ−ジ（２−キャノーリルオキシ−２−オキソエチル）−Ｎ，Ｎ−ジメチルアンモニウムクロリドなど；Ｎ，Ｎ−ジ（２−アルキルオキシエチルカルボニルオキシエチル）−Ｎ，Ｎ−ジメチルアンモニウム塩、例えば、Ｎ，Ｎ−ジ（２−タローイルオキシエチルカルボニルオキシエチル）−Ｎ，Ｎ−ジメチルアンモニウムクロリド、Ｎ，Ｎ−ジ（２−キャノーリルオキシエチルカルボニルオキシエチル）−Ｎ，Ｎ−ジメチルアンモニウムクロリドなど；Ｎ−（２−アルカノイルオキシ−２−エチル）−Ｎ−（２−アルキルオキシ−２−オキソエチル）−Ｎ，Ｎ−ジメチルアンモニウム塩、例えば、Ｎ−（２−タローイルオキシ−２−エチル）−Ｎ−（２−タローイルオキシ−２−オキシエチル）−Ｎ，Ｎ−ジメチルアンモニウムクロリド、Ｎ−（２−キャノーロイルオキシ−２−エチル）−Ｎ−（２−キャノーリルオキシ−２−オキソエチル）−Ｎ，Ｎ−ジメチルアンモニウムクロリドなど；Ｎ，Ｎ，Ｎ−トリ（アルキルオキシエチル）−Ｎ−メチルアンモニウム塩、例えば、Ｎ，Ｎ，Ｎ−トリ（タローイルオキシエチル）−Ｎ−メチルアンモニウムクロリド、Ｎ，Ｎ，Ｎ−トリ（キャノーリルオキシエチル）−Ｎ−メチルアンモニウムクロリドなど；Ｎ−（２−アルキルオキシ−２−オキソエチル）−Ｎ−アルキル−Ｎ，Ｎ−ジメチルアンモニウム塩、例えば、Ｎ−（２−タローイルオキシ−２−オキソエチル）−Ｎ−タローイル−Ｎ，Ｎ−ジメチルアンモニウムクロリド、Ｎ−（２−キャノーリルオキシ−２−オキソエチル）−Ｎ−キャノーリル−Ｎ，Ｎ−ジメチルアンモニウムクロリドなどが挙げられる。
【０２２１】
好ましくは、長鎖アルキル基は、獣脂、キャノーラ油またはパーム油から誘導されるが、例えば、大豆油およびココナツ油から誘導された他のアルキル基（ラウリル、オレイル、リシノレイル、ステアリル、パルミチルなどの脂肪族アルキル基）も適している。四級アンモニウム塩化合物は、対イオンとして任意のアニオン基を有していてもよく、例えば、塩化物イオン、臭化物イオン、メトサルフェートイオン（すなわちメチルサルフェートイオン）、酢酸イオン、ギ酸イオン、硫酸イオン、硝酸アニオンがある。
【０２２２】
好ましい四級アンモニウム布地柔軟化合物の例としては、Ｎ−メチル−Ｎ，Ｎ−ビス（タローアミドエチル）−Ｎ−（２−ヒドロキシエチル）アンモニウムメチルサルフェートおよびＮ−メチル−Ｎ，Ｎ−ビス（水素化−タローアミドエチル）−Ｎ−（２−ヒドロキシエチル）アンモニウムメチルサルフェート（これらの物質はそれぞれ、Ｗｉｔｃｏ  Ｃｈｅｍｉｃａｌ  Ｃｏｍｐａｎｙからそれぞれ商品名ＶＡＲＩＳＯＦＴ（登録商標）２２２およびＶＡＲＩＳＯＦＴ（登録商標）１１０として入手可能）；メチルトリエタノールアンモニウム塩のジアルキルエステルクアット誘導体、例えば、Ｃｏｇｎｉｓから入手可能なビス（アシルオキシエチル）ヒドロキシエチルメチルアンモニウムメトサルフェートエステルクアットのＤＥＨＹＱＵＡＲＴ（登録商標）ＡＵシリーズ、例えば、ＤＥＨＹＱＵＡＲＴ（登録商標）ＡＵ３５、ＡＵ４６、ＡＵ５６など；およびＮ，Ｎ−ジ（タローイルオキシエチル）−Ｎ，Ｎ−ジメチルアンモニウムクロリド（ここで獣脂の鎖は、少なくとも部分的に不飽和である）が挙げられる。他の好ましい布地柔軟剤としては、周知のジアルキルジメチルアンモニウム塩、例えば、Ｎ，Ｎ−ジタローイルＮ，Ｎ−ジメチルアンモニウムメチルサルフェート、Ｎ，Ｎ−ジ（水素化−タローイル）−Ｎ，Ｎ−ジメチルアンモニウムクロリド、Ｎ，Ｎ−ジステアリル−Ｎ，Ｎ−ジメチルアンモニウムクロリド、Ｎ，Ｎ−ジベヘニル−Ｎ，Ｎ−ジメチルアンモニウムクロリド、Ｎ，Ｎ−ジ（水素化タロー）−Ｎ，Ｎ−ジメチルアンモニウムクロリド（商品名ＡＤＯＧＥＮ（登録商標）４４２）、Ｎ，Ｎ−ジタローイル−Ｎ，Ｎ−ジメチルアンモニウムクロリド（商品名ＡＤＯＧＥＮ（登録商標）４７０、ＰＲＡＥＰＡＧＥＮ（登録商標）３４４５）、Ｎ，Ｎ−ジステアリル−Ｎ，Ｎ−ジメチルアンモニウムクロリド（商品名ＡＲＯＳＵＲＦ（登録商標）ＴＡ−１００）（全てＷｉｔｃｏ  Ｃｈｅｍｉｃａｌ  Ｃｏｍｐａｎｙから入手可能）；Ｎ，Ｎ−ジベヘニル−Ｎ，Ｎ−ジメチルアンモニウムクロリド、商品名ＫＥＭＡＭＩＮＥ（登録商標）Ｑ−２８０２ＣでＷｉｔｃｏ  Ｃｈｅｍｉｃａｌ  ＣｏｒｐｏｒａｔｉｏｎのＨｕｍｋｏ  Ｃｈｅｍｉｃａｌ  Ｄｉｖｉｓｉｏｎから販売；およびＮ，Ｎ−ジメチル−Ｎ−ステアリル−Ｎ−ベンジルアンモニウムクロリド（Ｗｉｔｃｏ  Ｃｈｅｍｉｃａｌ  Ｃｏｍｐａｎｙから商品名ＶＡＲＩＳＯＦＴ（登録商標）ＳＤＣで販売、およびＯｎｙｘ  Ｃｈｅｍｉｃａｌ  ＣｏｍｐａｎｙからＡＭＭＯＮＹＸ（登録商標）４９０で販売）が挙げられる。
【０２２３】
上述の布地柔軟剤のいずれかおよびその混合物は、本発明のポリマーと組み合わせて、特に洗剤製品および布地ケア製品で使用することができる。エステル含有布地柔軟剤の場合、組成物のｐＨは、特に、長期保存条件下では、布地柔軟剤の安定性に影響を与えることがある。ｐＨは、本文中で定義されるとおり、約２０℃で組成物原液を測定した値である。一実施形態では、組成物のｐＨは約６未満である。別の実施形態では、ｐＨは、約２〜約５、別の実施形態では約２．５〜約３．５である。
【０２２４】
上述のタンパク質誘導体に加え、タンパク質誘導体の非限定例としては、ココジモニウムヒドロキシプロピル加水分解カゼイン、ココジモニウムヒドロキシプロピル加水分解コラーゲン、ココジモニウムヒドロキシプロピル加水分解毛髪ケラチン、ココジモニウムヒドロキシプロピル加水分解米タンパク質、ココジモニウムヒドロキシプロピル加水分解シルク、ココジモニウムヒドロキシプロピル加水分解大豆タンパク質、ココジモニウムヒドロキシプロピル加水分解小麦タンパク質、ココジモニウムヒドロキシプロピル加水分解シルクアミノ酸、ヒドロキシプロピルトリモニウム加水分解コラーゲン、ヒドロキシプロピルトリモニウム加水分解ケラチン、ヒドロキシプロピルトリモニウム加水分解シルク、ヒドロキシプロピルトリモニウム加水分解米ぬか、ヒドロキシプロピルトリモニウム加水分解大豆タンパク質、ヒドロキシプロピルトリモニウム加水分解植物性タンパク質、ヒドロキシプロピルトリモニウム加水分解小麦タンパク質、ソイエチルジモニウムエトサルフェート、ソイエチルモルホリニウムエトサルフェートなどが挙げられる。
【０２２５】
あらかじめ酸で膨潤したポリマー、塩基で膨潤したポリマー、水で膨潤したポリマーまたは本発明の実施形態のポリマーを含有する配合物にｐＨ調整剤を加えることができる。従って、ｐＨ調整剤は、最終組成物の所望なｐＨ値を得るのに必要な任意の量で使用することができる。アルカリ性ｐＨ調整剤の非限定例としては、アルカリ金属水酸化物、例えば、水酸化ナトリウムおよび水酸化カリウム；水酸化アンモニウム；有機塩基、例えば、トリエタノールアミン、ジイソプロピルアミン、ドデシルアミン、ジイソプロパノールアミン、アミノメチルプロパノール、コカミン、オレアミン、モルホリン、トリアミルアミン、トリエチルアミン、トロメタミン（２−アミノ−２−ヒドロキシメチル）−１，３−プロパンジオール）およびテトラキス（ヒドロキシプロピル）エチレンジアミン；および無機酸のアルカリ金属塩、例えば、ホウ酸ナトリウム（ボラックス）、リン酸ナトリウム、ピロリン酸ナトリウムなど、およびその混合物が挙げられる。酸性ｐＨ調整剤は、アミノ酸のような有機酸であってもよく、無機鉱物酸であってもよい。酸性ｐＨ調整剤の非限定例としては、酢酸、クエン酸、フマル酸、グルタミン酸、グリコール酸、塩酸、乳酸、硝酸、リン酸、硫酸水素ナトリウム、硫酸、酒石酸など、およびその混合物が挙げられる。
【０２２６】
本発明のポリマーは、増粘剤、膜形成剤として、または着色剤を毛髪および皮膚に定着させやすくするための染料または顔料の懸濁物として使用することができる。毛髪用着色剤は、毛髪を徐々に一時的、半永久的または永久的に染める毛髪染料または色保持剤であってもよい。一時的および半永久的な毛髪染料は、典型的には、リンス、ゲル、スプレー、シャンプー、スティックなどであり、毛髪色保持剤は、典型的には、整髪料またはエマルションの形態である。永久的な毛髪染料および長期間持続する半永久的な毛髪染料は、一般的に、２個にわかれた製品であり、１個は酸化染料中間体および染料カップラーを含有し、他の１個は安定化酸化剤（通常はｐＨ約３〜４で過酸化水素）を含有し、これらを使用直前に混合する。このような２個にわかれた毛髪染色製品は、界面活性剤成分（通常は非イオン性界面活性剤またはアニオン性界面活性剤）と組み合わせて配合され、染料混合物が調製されると増粘することが知られている。上述の文献に加え、毛髪染色化学および組成物の一般的な記載は、Ｂｒｏｗｎら，ＳＣＣ  Ｍｏｎｏｇｒａｐｈ，「Ｐｅｒｍａｎｅｎｔ  Ｈａｉｒ  Ｄｙｅｓ」，Ｓｏｃｉｅｔｙ  ｏｆ  Ｃｏｓｍｅｔｉｃ  Ｃｈｅｍｉｓｔｓ（１９９６）にあり、本明細書に参考として組み込まれる。本発明のポリマーは、酸性によって安定化した酸化部分、または酸性部分と混合すると増粘する非酸化部分の増粘剤として、このような毛髪染色系の２個にわかれた部分のうち１個または両方に組み込まれてもよい。
【０２２７】
上述の成分に加え、にきび防止製品、顔および体の毛の漂白剤および消毒剤で一般的に使用される他の成分としては、酸化剤、例えば、過酸化水素、過酸化ベンゾイルおよび水溶性無機過硫酸化合物、例えば、過硫酸アンモニウム、過硫酸カリウムおよび過硫酸ナトリウムが挙げられる。
【０２２８】
本発明のポリマーは、シリコーン液の安定化剤として有用であり、これらは一般的に、シャンプー製品（例えば、いわゆる「ツーインワン」組み合わせクレンジング／コンディショニングシャンプー）で使用される。シリコーン液は、一般的に、アルキルシロキサンポリマーとして記載されている。最も一般的な種類のシリコーンポリマーは、一般式ＣＨ３−（Ｓｉ（ＣＨ３）２−Ｏ）ｗ−Ｓｉ（ＣＨ３）３を有する直鎖ポリジメチルシロキサンである。式中、ｗは２より大きい整数を示す。シリコーンは、ポリマーの１個以上のアルキル基が酸素と交換され、分枝点ができた分枝鎖物質であってもよい。シリコーン液は、典型的には、粘度が数ｍＰａ・ｓ〜数百ｍＰａ・ｓの水不溶性の油である。
【０２２９】
ヘアケア製品で使用するのに特に有用な種類のシリコーンは、例えば、米国特許第４，９０２，４９９号（本明細書に参考として組み込まれる）に記載されるような、いわゆる剛性シリコーン（シリコーンゴムとしても知られている）である。剛性シリコーンは、一般的に、固有粘度測定によって決定した場合、粘度（約２０℃）が約６００，０００ｍＰａ・ｓよりも大きく、平均分子量が少なくとも約５００，０００ダルトンである。本発明のポリマーは、驚くべきことに、剛性シリコーンコンディショニング剤を含有するツーインワン型シャンプーを安定化するのに有効である。
【０２３０】
本発明のポリマーと組み合わせて特に有用な別の種類のシリコーン物質は、揮発性シリコーンであり、この物質は、ヘアケア製品（例えばシャンプー）では潤滑剤として使用されることが多い。揮発性シリコーンとしては、環状および直鎖のポリジメチルシロキサンなどが挙げられる。環状揮発性シリコーンは、典型的には、環構造に、酸素原子の代わりに約３〜約７個のケイ素原子を含有する。各ケイ素原子は、２個のアルキル基（典型的にはメチル基）で置換されている。直鎖揮発性シリコーンは上述のシリコーン液であり、約２５ｍＰａ・ｓ以下の粘度を有する。揮発性シリコーンに関する記載は、Ｔｏｄｄ  ａｎｄ  Ｂｙｅｒｓ，Ｖｏｌａｔｉｌｅ  Ｓｉｌｉｃｏｎｅ  Ｆｌｕｉｄｓ  ｆｏｒ  Ｃｏｓｍｅｔｉｃｓ，Ｃｏｓｍｅｔｉｃｓ  ａｎｄ  Ｔｏｉｌｅｔｒｉｅｓ，Ｖｏｌ．９１，ｐｐ．２９−３２，１９７６、およびＫａｓｐｒｚａｋ，Ｖｏｌａｔｉｌｅ  Ｓｉｌｉｃｏｎｅｓ，Ｓｏａｐ／Ｃｏｓｍｅｔｉｃｓ／Ｃｈｅｍｉｃａｌ  Ｓｐｅｃｉａｌｔｉｅｓ，ｐｐ．４０−４３（１９８６年１２月）にあり、それぞれ本明細書に参考として組み込まれる。
【０２３１】
他のシリコーン油としては、ジメチコーンコポリオールが挙げられ、この物質は、ジメチルシロキサン（ジメチコーン）およびアルキレンオキシドの直鎖または分枝鎖のコポリマーであり、末端アルキレンオキシド単位をヒドロキシル基で官能化することができる。ジメチコーンポリオールは、ランダムコポリマーであってもブロックコポリマーであってもよい。一般的に有用な種類のジメチコーンポリオールは、ポリジメチルシロキサンブロックとポリアルキレンオキシド（例えば、ポリエチレンオキシド、ポリプロピレンオキシドまたは両方）ブロックとを有するブロックコポリマーである。シリコーン液（揮発性シリコーン、シリコーンゴムおよびシリコーンコポリマーを含む）は、例えば、Ｄｏｗ  Ｃｏｒｎｉｎｇ、Ｇｅｎｅｒａｌ  Ｅｌｅｃｔｒｉｃ  ＣｏｍｐａｎｙおよびＮｏｖｅｏｎ，Ｉｎｃ．のような種々の商業的供給業者から入手可能である。
【０２３２】
本発明のポリマーと組み合わせて有用な他の油状物質としては、例えば、アセチル化ラノリンアルコール；ラノリンアルコール濃縮物；ラノリン脂肪酸エステル、例えば、ラノリン脂肪酸イソプロピルエステル；ポリオール脂肪酸；エトキシル化アルコール、例えば、エトキシレートおよびヒマシ油；ステロール；ステロールエステル；ステロールエトキシレートなどの物質が挙げられる。このような多くのエステルおよびエトキシレートは、非イオン性界面活性剤として有用である。
【０２３３】
毛髪用または皮膚用のコンディショニング剤として、および保湿剤として、上述のものに加え、当該技術分野で多くの成分が知られている。非限定例としては、ＰＣＡ（ＤＬ−ピロリドンカルボン酸）およびその塩、例えば、リジンＰＣＡ、アルミニウムＰＣＡ、銅ＰＣＡ、キトサンＰＣＡなど、アラントイン；尿素；ヒアルロン酸およびその塩；セラミド；ソルビン酸およびその塩；糖類およびデンプンおよびこれらの誘導体；ラクタミドＭＥＡなどが挙げられる。
【０２３４】
本発明の組成物に含めることが可能な種々の構成要素および成分について、本発明の選択された実施形態および局面の場合で種々の重複した重量範囲が記されているが、界面活性剤含有組成物の各構成要素の特定の量は、その開示された範囲から、組成物中の全構成要素の合計量が１００重量％になるように、各構成要素の所望の量が調整されるように選択されることが容易に明らかである。使用量は、所望の製品の目的および特徴によって変わり、配合分野の当業者は、これらを文献から容易に決定することができる。
【０２３５】
配合分野の当業者にとっては周知なように、本発明のポリマーを含むパーソナルケア組成物、ホームケア組成物、工業用および産業用ケア組成物の成分の選択および量は、目的とする製品および機能に依存して変わることも理解される。成分および従来の機能および製品カテゴリーの広範囲にわたるリストが開示されており、文献で容易に確認することができる。
【０２３６】
以下の実施例は、本明細書に開示された発明を詳細に説明するために記載されている。しかし、これらの実施例は、本発明をいかなる様式にも限定するものと解釈すべきではない。他に特定されない限り、全ての部は重量部で与えられ、用語「濃度」は重量％を意味する。
【０２３７】
（方法の記載）
（透明度）
報告する場合、ポリマー含有組成物の透明度は、ポリマーを製造してから少なくとも約２４時間後に、Ｂｒｉｎｋｍａｎｎ  ＰＣ  ９２０熱量計で、％Ｔ（透過率）で測定した。透明度の測定は、脱イオン水（透明度の値１００％）に対して行った。約６０％以上の透明度を有する組成物は、実質的に透明であり；約４５〜５９％の範囲の透明度を有する組成物は、実質的に半透明であると判断した。
【０２３８】
（高湿カール部保持（ＨＨＣＲ）試験）
高湿（約９０％の相対湿度（ＲＨ））に対するポリマー固定組成物の抵抗性を、一般的に高湿カール部保持（ＨＨＣＲ）と呼ばれる周知の技術を利用し、適用した組成物および周囲雰囲気から水を吸収した後に、毛髪のカール部分のセットを保持する能力によって測定する。ＨＨＣＲ法の記載は、化粧品関係の文献から簡単に見つかる（例えば、Ｃｈ．３０，Ｈａｒｒｙ’ｓ  Ｃｏｓｍｅｔｉｃｏｌｏｇｙ，第８版，Ｍ．Ｊ．Ｒｉｅｇｅｒ，Ｐｈ．Ｄ．（編集），ｐｐ．６６６−６６７，Ｃｈｅｍｉｃａｌ  Ｐｕｂｌｉｓｈｉｎｇ  Ｃｏ．，Ｉｎｃ．，Ｎｅｗ  Ｙｏｒｋ，Ｎ．Ｙ．，２０００およびＤｉａｚら，Ｊ．Ｓｏｃ．Ｃｏｓｍｅｔ．Ｃｈｅｍ．，３４，ｐｐ．２０５−２１２（１９８３年７月）を参照（これらの関連する開示内容は本明細書に参考として組み込まれる）。
【０２３９】
市販のブレンドした未処理（バージン）ヒト毛髪一束を、Ｉｎｔｅｒｎａｔｉｏｎａｌ  Ｈａｉｒ  Ｉｍｐｏｒｔｅｒｓ  ａｎｄ  Ｐｒｏｄｕｃｔｓ  Ｉｎｃ．，Ｎｅｗ  Ｙｏｒｋによって供給される天然の茶色または黒色のヨーロッパ人および／または東洋人の毛髪から調製する。それぞれの毛髪束（約２．５グラム重）は、長さが約７．５インチであり、（毛根部分を）ワイヤ連結ループに取り付けた金属クランプではさむ。使用前に、それぞれの一束をラウリル硫酸ナトリウム希釈水溶液（１０％ＳＬＳ）で洗浄し、周囲温度で脱イオン水で洗浄する。束をタオルで乾燥する。毛髪束の最初の伸びた状態の長さ（Ｌｅ）を測定し、記録する。種々の量の評価対象のポリマー固定組成物をそれぞれの毛髪束に適用する。評価対象のポリマー固定組成物を毛髪束に適用し、毛根部分から先端部分まで均一にいきわたらせる。処理した毛髪束を外径約３ｃｍのヘアカーラーで包み、約２１〜２３℃の周囲温度で１２時間乾燥する。乾燥した後、カーラーを注意深くはずし、毛髪束を１個のカール部分にスタイリングし、毛髪のカール部の初期の長さ（Ｌｉ）を測定し、記録する。カールした毛髪束を、温度約２６℃、相対湿度９０％に設定した湿度室に垂直につるす。
【０２４０】
カール部がほどけていくにつれて、毛髪のカール部の長さを測定することによって、高湿カール部保持率を決定する。高湿状態で２４時間、所定時間間隔（Ｌｔ）で測定を行なう。以下の式を使用し、毛髪のカール部の初期の長さ（Ｌｉ）およびカール前の完全に伸びた状態の毛髪の長さ（Ｌｅ）に対して、カール部保持率を算出する：
カール部保持率％＝Ｌｅ−Ｌｔ／Ｌｅ−Ｌｉ×１００
カール部の長さの変化（ほどけたり、らせんを形成する）を、所定の間隔で周期的に測定し、２４時間モニタリングする。初期の測定を時間０で行い、その後、最初の１時間は０．２５時間毎に測定し、その後２時間までは０．５時間間隔で測定し、その後の２２時間は１．０時間間隔で測定する。
【０２４１】
約９０％ＰＨで最短で約０．７５時間で、カール部保持率が約７０％以上が、従来の良好な耐湿性を有するものの記録であり、少なくとも約３時間、ＨＨＣＲが７０％を超えることは、きわめて良好な優れた結果であると考えられる。
【０２４２】
（高湿らせん状カール部保持試験（ＨＨＳＣＲ））
上述のＨＨＣＲ試験によって、固定組成物の耐湿性を評価することができる。ＨＨＣＲ試験は、通常のサロンのローラー型カーラーを使用して行なう。このカーラーでは、巻きつけられるにつれて毛髪が重なり、カール部の内側の繊維が試験環境から守られる。カール部保持試験は、らせん状カーラーを用いることによって、さらに厳しい試験となる。らせん状カーラーを用い、毛髪が重なることなく、カーラーロッドの長さ方向のらせん状の溝に巻きつける。このようにして、らせん状のカールの場合、毛髪の長さ全体にわたって、この環境に完全にさらされる。
【０２４３】
上述のＨＨＣＲ試験と同じ物質、方法および評価技術をＨＨＳＣＲ試験に使用するが、毛髪束の重量は０．５ｇであり、長さは６．５インチであり、らせん状パーマロッド（Ｃｙｂｅｒ  Ｓｐｒｉａｌｓ（登録商標）ラージスパイラルカーリングロッド、内径８ｍｍ、外径１３．５ｍｍ、長さ１６２ｍｍ、Ａｍｅｒｉｃａｎ  Ｄｉｓｃｏｕｎｔ  Ｂｅａｕｔｙ  Ｓｕｐｐｌｙ，２６９  Ｓｏｕｔｈ  Ｂｅｖｅｒｌｙ  Ｄｒｉｖｅ  ＃２５０，Ｂｅｖｅｒｌｙ  Ｈｉｌｌｓ，ＣＡ）に巻きつける。上述のカール部保持式によってカール部保持率を算出し、結果を報告する。
【０２４４】
約９０％ＰＨで最短で約０．７５時間で、カール部保持率が約７０％以上が、従来の良好な高い耐湿性を有するものの記録であり、少なくとも約３時間、ＨＨＣＲが７０％を超えることは、きわめて良好な優れた結果であると考えられる。
【０２４５】
（高湿剛性保持試験（ＨＨＳＲ））
固定剤で処理した毛髪束（試験束）を取り付けスタンド（図５）に角度４５°で固定し、剛性保持試験を行なう。取り付けた試験束を温度約２６℃、相対湿度９０％に設定した湿度室に入れる。湿度条件下に放置した際の試験束のほどけ具合を測定することによって、高湿剛性保持率を決定する。高湿状態で２４時間、所定時間間隔（Ｈｔ）で測定を行なう。以下の式を使用し、初期の毛髪の高さ（Ｈｉ）および各時間間隔での束の高さ（Ｈｔ）に対して、剛性保持率を算出する：
剛性保持率％＝Ｈｉ−Ｈｔ／Ｈｉ×１００
束の高さの変化を、所定の間隔で周期的に測定し、２４時間モニタリングする。束の高さは、取り付け台の底部から試験束の先端までの距離である。初期の測定を時間０で行い、その後、最初の１時間は０．２５時間毎に測定し、その後２時間までは０．５時間間隔で測定し、その後の２２時間は１．０時間間隔で測定する。
【０２４６】
約９０％ＰＨで最短で約０．７５時間で、剛性保持率が約７０％以上が、従来の良好な高い耐湿性を有するものの記録であり、少なくとも約３時間、保持値が７０％を超えることは、きわめて良好な優れた結果であると考えられる。
【０２４７】
試験毛髪束（長さ６．５インチ、重量２．５ｇ）は、束の長さ全体にわたって均一の長方形の断面積になるように、未処理のヨーロッパ人またはアジア人の毛髪を平坦な結合部（縫い付けて、ワックスを塗ったもの）に結合したものである（リボン状の形状）。束を１０重量％アンモニウムブチルサルフェートを含有する除去用シャンプーで洗浄し、脱イオン水で洗浄する。所定量の実験固定剤を湿った毛髪束に均一に適用する。束をＴｅｆｌｏｎ（登録商標）箔上に平坦に置き、温度２３℃、相対湿度５０％で１６時間乾燥する。
【０２４８】
（マネキンの頭部のヘアスタイルのスクリーニング）
本発明の実施形態の固定ポリマーゲルの硬い保持性、剛性および高湿カール部保持性といったスタイリング力を決定するために、以下のスクリーニング試験を行なう：
プラスチック製マネキン頭部に天然のヒトの毛髪を移植し、この毛髪を以下の手順にしたがってスタイリングし、評価する。
【０２４９】
（１）それぞれのマネキン頭部の毛髪をシャンプーし（Ｑｕａｎｔｕｍ  Ｃｌａｒｉｆｙｉｎｇ  Ｓｈａｍｐｏｏ，Ｚｏｔｏｓ  Ｉｎｔｅｒｎａｔｉｏｎａｌ，Ｉｎｃ．）、脱イオン水で３回洗浄する。
【０２５０】
（２）濡れた毛髪をマネキン頭部の中央で分け（前から後ろに）、同じ量の毛髪を中央部分から側面に向かって櫛でとかす。この分けた部分の片側に沿って、１インチ×１インチの正方形が２列３行で並んだ格子を並べる。列１は、中央線に対して平行であり、連続しており、列２は、列１に平行であり、連続している。
【０２５１】
（３）中央部分の左側（マネキン頭部の顔に対して見た場合）に、列１の内部に、毛髪がまだ濡れた状態で、３束の毛髪束を作る。１インチ×１インチの格子部分の内部に毛髪を集めることによって、束を作り、束を縛り、所望の量の実験スタイリング組成物が毛髪に均一に分散するまで、束につけ、毛髪束をマネキン頭皮から束の先端までを上側にまとめ、まっすぐ上に上がった部分（ｓｐｉｋｅ）を作る。この列の残りの２個の格子部分について、同量の実験スタイリング組成物を束につけ、このプロセスを繰り返す。
【０２５２】
格子の列２では、毛髪がまだ濡れた状態で束を作り、それぞれの格子部分で上述のように処理する。各束をヘアローラー（プラスチック製スナップオンローラ、直径５／８インチ×長さ２と１／４インチ）に巻き取る。
【０２５３】
（４）マネキン頭部の右側についても工程（３）を繰り返すが、比較のために、それぞれの毛髪束に市販のポリマー固定剤を適用する。
【０２５４】
（５）ゴムバンドを未処理の毛髪の周りに巻き、所定位置に保持し、マネキンの頭部をひっくり返し、毛髪のまっすぐ上に上がった部分が自由につるされるように、ラックにかける。毛髪を室温、相対湿度５０％で１２時間風乾させる。
【０２５５】
（６）乾燥したら、ローラーをマネキンの毛髪から取り外す。
【０２５６】
（７）スタイリングしたマネキン頭部を、３５℃、相対湿度９０％に設定した湿度室に入れる。
【０２５７】
（８）１時間、２時間、３時間間隔でマネキン頭部を評価し、剛性およびカール部保持率を算出する。
【０２５８】
（機械的剛性試験方法）
ＴＡ  ＸＴＰｌｕｓ  Ｔｅｘｔｕｒｅ  Ａｎａｌｙｚｅｒ（Ｓｔａｂｌｅ  Ｍｉｃｒｏ  Ｓｙｓｔｅｍｓ，Ｓｕｒｒｅｙ，ＵＫ）に長方形の取り付け突出部（厚み３ｍｍ×幅７０ｍｍ×高さ９９ｍｍ）を取り付け、３点曲げ器を使用し、固定剤で処理した毛髪束の機械的剛性を評価する。感触分析機は、Ｔｅｘｔｕｒｅ  Ｅｘｐｏｎｅｎｔ  ３２データ獲得ソフトウェアをロードしたパーソナルコンピューターにつながれており、装置から入力されたデータを集め、分析する。曲げ器は、約２５．４ｍｍ離れた２個の平行な支持脚からなる。処理した毛髪束試験サンプルを、支持脚および中央に配置された取り付け突出部の長さ方向の中央に置き、支持脚で挟み、支持脚が距離２０ｍｍ離れた状態からサンプルを４０ｍｍ／ｓで押していく。取り付け突出部がサンプルと接触したらデータ収集を開始する。データ収集ソフトウェアは、距離２０ｍｍの間でサンプルが変形する力（ニュートン）を算出し、記録する。結果をピーク力（Ｎ）として報告する。
【０２５９】
未処理の天然の人毛からなる毛髪束（長さ６．５インチ、重量２．５ｇ）を、束の長さ全体にわたって均一の長方形の断面積になるように、平坦な結合部（縫い付けて、ワックスを塗ったもの）に結合したものである。束を１０重量％アンモニウムブチルサルフェートを含有する除去用シャンプーで洗浄し、脱イオン水で洗浄する。所定量の実験固定剤を湿った毛髪束に均一に適用する。第１の束をＴｅｆｌｏｎ（登録商標）箔上に平坦に置き、温度２３℃、相対湿度５０％の制御された実験環境下で１６時間乾燥し、試験する。第２の束を同様に調製し、２３℃、相対湿度９０％に設定した湿度室（Ｅｓｐｅｃ  ＬＨＵ−１１３）に１６時間置き、機械的剛性を試験する。
【０２６０】
主観的なランク分けは、特定の範囲のピーク力（Ｎ）に割りあてられており、固定ポリマーの剛性を以下のように分類するものである。
【０２６１】
【表１】
0005558721.tif 000015
（ガラス転移点（Ｔｇ））
本発明のポリマーのガラス転移点（Ｔｇ）を、周知の示差走査熱量測定（ＤＳＣ）技術によって決定する。
【０２６２】
（濁度）
報告する場合、ポリマー含有組成物の濁度を、比濁計濁度計を用い、標準として蒸留水（ＮＴＵ＝０）を用いた比濁計濁度単位（ＮＴＵ）で決定する。約９０以上のＮＴＵ値を有する組成物は濁っていると判断した。
【０２６３】
（粘度）
それぞれのポリマー含有組成物について報告した粘度は、ミリパスカル秒（ｍＰａ・ｓ）で測定し、Ｂｒｏｏｋｆｉｅｌｄ回転スピンドル粘度計（Ｂｒｏｏｋｆｉｅｌｄ，Ｍｏｄｅｌ  ＲＶＴ）を用い、約２０回転／分（ｒｐｍ）、約２０〜２５℃の周囲室温で決定した（以降、Ｂｒｏｏｋｆｉｅｌｄ粘度と称する）。新しく調製した組成物の粘度を測定し（「初期粘度」と称する）、この組成物を周囲室温で少なくとも約２４時間放置した後に粘度を測定した（「２４時間粘度」と称する）。粘度値が１つしか示されていない場合、他に指定されていない限り、２４時間粘度の値である。
【０２６４】
（降伏値）
降伏値は、降伏応力とも呼ばれ、本明細書では、応力によって流動する際の初期抵抗であると定義される。降伏値は、多くの技術を用いて、例えば、一定応力のレオメーターを用いて、またはＢｒｏｏｋｆｉｅｌｄ粘度計を外挿することによって測定することができる。降伏測定値に関する上述の技術および有用性は、Ｎｏｖｅｏｎ，Ｉｎｃ．から入手可能なＴｅｃｈｎｉｃａｌ  Ｄａｔａ  Ｓｈｅｅｔ  Ｎｕｍｂｅｒ  ２４４にさらに説明されており、この内容は本明細書に参考として組み込まれる。
【０２６５】
（物質の省略名および商品名）
ＡＡ      アクリル酸
ＡＡＥ５Ｐ５      ランダムエトキシル化−５／プロポキシル化−５  アリルエーテル（ＢＸ−ＡＡ−Ｅ５Ｐ５，Ｂｉｍａｘ，Ｉｎｃ．）
Ａｃｕｄｙｎｅ（登録商標）ＳＣＰ      アクリルアミド／アクリルアミドメチルプロパンスルホン酸（ナトリウム塩）／メタクリル酸コポリマー（Ｒｏｈｍ  ａｎｄ  Ｈａａｓ）
ＡＭＰ−９５      アミノメチルプロパノール（Ａｎｇｕｓ）
ＡＭＰＳ（登録商標）モノマー      ２−アクリルアミド−２−メチルプロパンスルホン酸
ＡＰＥ      アリルペンタエリスリトール
Ａｒｉａｎｏｒ（登録商標）Ｍａｄｄｅｒ  Ｒｅｄ      塩基性赤色７６染料、ＣＩ  Ｎｏ．１２２４５（Ｓｅｎｓｉｅｎｔ  Ｔｅｃｈｎｏｌｏｇｉｅｓ  Ｃｏｒｐｏｒａｔｉｏｎ）
Ａｒｉａｎｏｒ（登録商標）Ｓｉｅｎｎａ  Ｂｒｏｗｎ        塩基性褐色１７染料、Ｃｌ  Ｎｏ．１２２５１（Ｓｅｎｓｉｅｎｔ  Ｔｅｃｈｎｏｌｏｇｉｅｓ  Ｃｏｒｐｏｒａｔｉｏｎ）
Ａｒｉａｎｏｒ（登録商標）Ｓｔｅｅｌ  Ｂｌｕｅ      塩基性青色９９染料、ＣＩ  Ｎｏ．５６０５９（Ｓｅｎｓｉｅｎｔ  Ｔｅｃｈｎｏｌｏｇｉｅｓ  Ｃｏｒｐｏｒａｔｉｏｎ）
Ａｒｌａｓｏｌｖｅ（登録商標）２００      イソセテス−２０界面活性剤（Ｕｎｉｑｕｅｍａ）
Ｂａｍ      ｔ−ブチルアクリルアミド
ＢＥＭ２５      ベヘネス−２５メタクリレート
Ｂｉｏ−Ｔｅｒｇｅ（登録商標）ＡＳ−４０      ナトリウム  Ｃ１４〜Ｃ１６オレフィンスルホネート，４０％界面活性剤（Ｓｔｅｐａｎ  Ｃｏｍｐａｎｙ）
Ｂｒｕｇｇｏｌｉｔｅ（登録商標）ＦＦ６      ナトリウム  ヒドロキシメタンスルフィネート二水和物−還元剤（Ｂｒｕｇｇｅｍａｎ  Ｃｈｅｍｉｃａｌ  Ｕ．Ｓ．）
Ｃａｒｂｏｐｏｌ（登録商標）Ｕｌｔｒｅｚ  ２１      アクリレート／Ｃ１０〜Ｃ３０アルキルアクリレートクロスポリマー  レオロジー改変剤（Ｎｏｖｅｏｎ，Ｉｎｃ．）
Ｃａｒｂｏｐｏｌ（登録商標）９４０      架橋アクリル酸ホモポリマーカルボマー（Ｎｏｖｅｏｎ，Ｉｎｃ．）
Ｃａｒｂｏｐｏｌ（登録商標）９８０      架橋アクリル酸ホモポリマーカルボマー（Ｎｏｖｅｏｎ，  Ｉｎｃ．）
Ｃａｒｂｏｐｏｌ（登録商標）９９６      架橋アクリル酸ホモポリマーカルボマー（Ｎｏｖｅｏｎ，  Ｉｎｃ．）
Ｃｅｔｉｏｌ（登録商標）８６８      ステアリン酸オクチル（Ｃｏｇｎｉｓ  Ｃｏｒｐ．）
Ｃｈｅｍｏｎｉｃ（登録商標）ＯＥ−２      オレス−２乳化剤（Ｎｏｖｅｏｎ，Ｉｎｃ．）
ＣｉｔＡ      無水シトラコン酸
ＣＳＥＭ２５      セテアレス−２５メタクリレート
ＤＣ  １９３      ＰＥＧ−１２ジメチコーンコポリオール（Ｄｏｗ  Ｃｏｒｎｉｎｇ）
ＤＣ  １４０１  Ｆｌｕｉｄ      シクロメチコーン（および）ジメチコーン（Ｄｏｗ  Ｃｏｒｎｉｎｇ）
ＤＣ  １６６４      ジメチコーン（および）ラウレス−４（および）ラウレス−２３エマルション（Ｄｏｗ  Ｃｏｒｎｉｎｇ）
ＤＣ  １７８４      ジメチコノール（および）ＴＥＡ−ドデシルベンゼンスルホネートエマルション（Ｄｏｗ  Ｃｏｒｎｉｎｇ）
ＤＣ  ５１０３      側鎖ジメチコーンコポリオール（ＰＥＧ−７ジメチコーン），ＭＷ＝２，５００，ＣＡＳ  Ｎｏ．６８９３７−５４−２（Ｄｏｗ  Ｃｏｒｎｉｎｇ）
ＤＭＡＥＭＡ      Ｎ，Ｎ’−ジメチルアミノエチルメタクリレート
Ｄｒａｋｅｏｌ（登録商標）７  ＬＴ      鉱物系の軽油（Ｐｅｎｒｅｃｏ）
ＥＡ      アクリル酸エチル
Ｅｍｕｌｇａｄｅ（登録商標）１０００  ＮＩ      セテアリルアルコール（および）セテアレス−２０
ＥＭＵＬＳＯＧＥＮ（登録商標）ＥＰＮ  ４０７    アルコール単位あたり４０個のエチレンオキシド単位を有する二級Ｃ１１エトキシレート（Ｃｌａｒｉａｎｔ  Ｃｏｒｐ．）
ＦＤ＆Ｃ  Ｂｌｕｅ  Ｎｏ．１      Ｈｉｌｔｏｎ  Ｄａｖｉｓ（Ｎｏｖｅｏｎ，Ｉｎｃ．）
Ｆｉｎｓｏｌｖ（登録商標）ＴＮ      Ｃ１２〜Ｃ１５アルキルベンゾエート（Ｆｉｎｔｅｘ  Ｉｎｃ．）
Ｆｉｘａｔｅ（登録商標）Ｐｌｕｓ      ポリアクリレート−１４（Ｎｏｖｅｏｎ，Ｉｎｃ．）
Ｆｉｘａｔｅ（登録商標）Ｇ１００      ＡＭＰ−アクリレート／メタクリル酸アリルコポリマー
Ｇａｆｑｕａｔ（登録商標）７５５Ｎ      ポリクアテルニウム−１１  ビニルピロリドンおよびジメチルアミノエチルメタクリレートの四級化コポリマー（ｉｎｔｅｒｎａｔｉｏｎａｌ  Ｓｐｅｃｉａｌｔｙ  Ｐｒｏｄｕｃｔｓ  Ｃｏｒｐｏｒａｔｉｏｎ）
Ｇｌｙｄａｎｔ  Ｐｌｕｓ（登録商標）    １，３−ジメチロール−５，５−ジメチルヒダントインおよびヨードプロピニルブチルカルバメートのブレンド（Ｌｏｎｚａ  Ｇｒｏｕｐ  Ｌｔｄ．）
Ｇｅｒｍａｂｅｎ（登録商標）ＩＩ      プロピレングリコール、ジアゾリジニルウレア、メチルパラベンおよびプロピルパラベンの抗菌性ブレンド（ｉｎｔｅｒｎａｔｉｏｎａｌ  Ｓｐｅｃｉａｌｔｙ  Ｐｒｏｄｕｃｔｓ  Ｃｏｒｐｏｒａｔｉｏｎ）
Ｇｅｒｍａｂｅｎ（登録商標）ＩＩ−Ｅ      プロピレングリコール（および）ジアゾリジニルウレア（および）メチルパラベン（および）プロピルパラベンをエマルション系に配合した抗菌性ブレンド（Ｉｎｔｅｒｎａｔｉｏｎａｌ  Ｓｐｅｃｉａｌｔｙ  Ｐｒｏｄｕｃｔｓ  Ｃｏｒｐｏｒａｔｉｏｎ）
Ｈｅｒｂａｓｏｌ（登録商標）Ａｌｏｅ  Ｖｅｒａ      アロエ・バーバデンシス抽出物（Ｃｏｓｍｅｔｏｃｈｅｍ  Ｉｎｔｅｒｎａｔｉｏｎａｌ  Ｌｔｄ．）
Ｈｅｒｂａｓｏｌ（登録商標）Ｃｈａｍｏｍｉｌｅ      カモミラ・レクティタ抽出物（Ｃｏｓｍｅｔｏｃｈｅｍ  Ｉｎｔｅｒｎａｔｉｏｎａｌ  Ｌｔｄ．）
Ｈｅｒｂａｓｏｌ（登録商標）Ｈｏｒｓｅｔａｉｌ      イクイシータム・アーヴェンス抽出物（Ｃｏｓｍｅｔｏｃｈｅｍ  Ｉｎｔｅｒｎａｔｉｏｎａｌ  Ｌｔｄ．）
Ｈｅｒｂａｓｏｌ（登録商標）Ｓｔｉｎｇｉｎｇ  Ｎｅｔｔｌｅ      セイヨウイラクサ抽出物（Ｃｏｓｍｅｔｏｃｈｅｍ  Ｉｎｔｅｒｎａｔｉｏｎａｌ  Ｌｔｄ．）
Ｈｅｒｂａｓｏｌ（登録商標）Ｔｅａ  Ｔｒｅｅ      メラレウカ・アルテルニフォリア抽出物（Ｃｏｓｍｅｔｏｃｈｅｍ  Ｉｎｔｅｒｎａｔｉｏｎａｌ  Ｌｔｄ．）
Ｈｅｒｂａｓｏｌ（登録商標）Ｗｉｔｃｈ  Ｈａｚｅｌ      アメリカマンサク抽出物（Ｃｏｓｍｅｔｏｃｈｅｍ  ｉｎｔｅｒｎａｔｉｏｎａｌ  Ｌｔｄ．）
Ｈｏｓｔａｐｏｎ（登録商標）    ナトリウムメチルオレイルタウレート（Ｃｌａｒｉａｎｔ）
Ｈｙｄｒａｍｏｌ（登録商標）ＰＧＰＬ  Ｅｓｔｅｒ      ポリエチレングリコール４００プロポキシル化モノラウレート（Ｎｏｖｅｏｎ，Ｉｎｃ．）
ＩＰＡ      イソプロピルアルコール
ＩｔＡ      無水イタコン酸
Ｋａｔｈｏｎ（登録商標）ＣＧ      メチルクロロイソチアゾリノン（および）メチルイソチアゾリノン
Ｋｏｌｌｉｄｏｎ（登録商標）Ｋ３０      ポリビニルピロリドン固定ポリマー（ＢＡＳＦ  Ａｋｔｉｅｎｇｅｓｅｌｌｓｃｈａｆｔ）
Ｌｉｐｏｐｅａｒｌｓ（登録商標）    ゼラチンビーズに封入されたビタミンＥ（Ｌｉｐｏ  Ｔｅｃｈｎｏｌｏｇｉｅｓ  Ｉｎｃ．）
Ｌｕｐｅｒｏｘ  １１Ｍ  ７５      ｔ−ブチルペルオキシピバレート遊離ラジカル開始剤（無臭気鉱物スピリッツ７５％溶液）（Ａｔｏｆｉｎａ）
Ｌｕｖｉｓｋｏｌ（登録商標）Ｋ９０      ポリビニルピロリドン固定ポリマー（ＢＡＳＦ  Ａｋｔｉｅｎｇｅｓｅｌｌｓｃｈａｆｔ）
Ｌｕｖｉｓｋｏｌ（登録商標）ＶＡ  ７３      ビニルピロリドン／酢酸ビニルコポリマー
Ｌｕｖｉｓｅｔ（登録商標）Ｃｌｅａｒ      Ｎ−ビニルピロリドン、メタクリルアミドおよびＮ−ビニルイミダゾールのコポリマー（ＢＡＳＦ  Ａｋｔｉｅｎｇｅｓｅｌｌｓｃｈａｆｔ）
ＭＡＡ      メタクリル酸
ＭａｌＡ      無水マレイン酸
ＭＭＡ      メタクリル酸メチル
Ｍｕｒｕｍｕｒｕ  Ｂｕｔｔｅｒ      アストロカリウムムルムル脂（パーム）皮膚軟化剤（Ｃｈｅｍｙｕｎｉｏｎ  Ｑｕｆｍｉｃａ  Ｌｔｄａ）
Ｎｅｏｂｅｅ（登録商標）Ｍ−５      トリカプリル酸／カプリル酸トリグリセリド（Ｓｔｅｐａｎ  Ｃｏｍｐａｎｙ）
Ｏａｍ      ｔ−オクチルアクリルアミド
Ｐａｎｔｈｅｎｏｌ      ｄｌ−パンテノール５０Ｗ（１−メチル−４（１，５−ジメチル−１−ヒドロキシヘキサ−４（５）−エニル）シクロヘキセン）５０％水溶液（ＢＡＳＦ  Ａｋｔｉｅｎｇｅｓｅｌｌｓｃｈａｆｔ）
Ｐｌａｎｔａｒｅｎ（登録商標）２０００      デシルグルコシド（Ｃｏｇｎｉｓ  Ｃａｒｅ  Ｃｈｅｍｉｃａｌｓ）
Ｐｒａｃｔｉｃｅ  Ｍａｎｎｅｑｕｉｎ  Ｈｅａｄ      ヒト毛髪１８〜２０インチ長を移植（Ｍａｒｉａｎｎａ  Ｉｎｄｕｓｔｒｉｅｓ製造；Ｓａｌｌｙ  Ｂｅａｕｔｙ  Ｃｏｍｐａｎｙ，  Ｉｎｃ．から購入）
Ｐｈｅｎｏｎｉｐ（登録商標）    メチルパラベン、エチルパラベン、プロピルパラベン、ブチルパラベンおよびイソブチルパラベンの抗菌性ブレンド（Ｃｌａｒｉａｎｔ−Ｎｉｐａ  Ｌａｂｏｒａｔｏｒｉｅｓ）
ＲＡＬ  ３０７        ランダムエトキシル化−３０／プロポキシル化−５  アリルエーテル
Ｓｃｈｅｒｃｅｍｏｌ（登録商標）ＤＩＳＦ      フマル酸ジイソステアリル（Ｎｏｖｅｏｎ，Ｉｎｃ．）
ＳｉｌＳｅｎｓｅ（登録商標）Ａ−２３      ＰＥＧ−７アモジメチコーン（Ｎｏｖｅｏｎ，Ｉｎｃ．）
ＳｉｌＳｅｎｓｅ（登録商標）Ｃｏｐｏｌｙｏｌ−１      ＰＥＧ−３３（および）ＰＥＧ−８ジメチコーン（および）ＰＥＧ−１４（Ｎｏｖｅｏｎ，Ｉｎｃ．）
ＳｉｌＳｅｎｓｅ（登録商標）Ｑ−Ｐｌｕｓ      シリコーンクアテルニウム−８（アルキルアミドジメチルアミンで四級化したジメチコーンコポリオール（Ｎｏｖｅｏｎ，Ｉｎｃ．）
Ｓｉｌｓｏｆｔ（登録商標）３０５      側鎖ジメチコーンコポリオール（ＰＥＧ−５／ＰＰＧ−３メチコーン），ＭＷ＝６００，ＣＡＳ  Ｎｏ．１３４１８０−７６−０（ＧＥ  Ｓｉｌｉｃｏｎｅｓ／ＯＳｉ  Ｓｐｅｃｉａｌｔｉｅｓ）
Ｓｉｌｓｏｆｔ（登録商標）４７５      側鎖ジメチコーンコポリオール（ＰＥＧ−２３／ＰＰＧ−６ジメチコーン），ＭＷ＝１９，０００，ＣＡＳ  Ｎｏ．６８９３７−５５−３（ＧＥ  Ｓｉｌｉｃｏｎｅｓ／ＯＳｉ  Ｓｐｅｃｉａｌｔｉｅｓ）
Ｓｉｌｓｏｆｔ（登録商標）８１０      直鎖ジメチコーンコポリオール（ＰＥＧ−８ジメチコーン），ＭＷ＝１，７００，ＣＡＳ  Ｎｏ．１０２７８３−０１−７（ＧＥ  Ｓｉｌｉｃｏｎｅｓ／ＯＳｉ  Ｓｐｅｃｉａｌｔｉｅｓ）
Ｓｉｌｓｏｆｔ（登録商標）８９５      側鎖ジメチコーンコポリオール（ＰＥＧ−１７ジメチコーン），ＭＷ＝５，０００，ＣＡＳ  Ｎｏ．６８９３７−５４−２（ＧＥ  Ｓｉｌｉｃｏｎｅｓ／ＯＳｉ  Ｓｐｅｃｉａｌｔｉｅｓ）
Ｓｉｐｏｍｅｒ（登録商標）ＷＡＭ  ＩＩ      メタクリルアミドエチル−Ｎ−エチレン尿素（Ｒｈｏｄｉａ，Ｉｎｃ．）
ＳＴＹ      スチレン
ＳｕｃＡ      無水コハク酸
ＴＥＧＤＭＡ      トリエチレングリコールジメタクリレート
Ｔｉｍｉｒｏｎ（登録商標）Ｓｐｌｅｎｄｉｄ  Ｇｏｌｄ      金マイカ化粧品用顔料（ＥＭＤ  Ｃｈｅｍｉｃａｌｓ  Ｉｎｃ．ＲＯＮＡ−Ｃｏｓｍｅｔｉｃ  Ｂｕｓｉｎｅｓｓ  Ｕｎｉｔ）
Ｔｉｍｉｒｏｎ（登録商標）Ｄｉａｍｏｎｄ  Ｃｌｕｓｔｅｒ  ＭＰ−１４９      マイカ／二酸化チタン灰白色のわずかに光る粉末（ＥＭＤ  Ｃｈｅｍｉｃａｌｓ  Ｉｎｃ．ＲＯＮＡ−Ｃｏｓｍｅｔｉｃ  Ｂｕｓｉｎｅｓｓ  Ｕｎｉｔ）
ＴＭＣＨＭＡ      トリメチルシクロヘキシルメタクリレート（Ｃｉｂａ  Ｓｐｅｃｉａｌｔｙ  Ｃｈｅｍｉｃａｌｓ）
ＴＭＰＥＯ１５ＴＡ      トリメチロールプロパン  ＰＥＧ−１５トリアクリレート
ＴＭＰＴＡ      トリメチロールプロパントリアクリレート
Ｕｌｔｒａｃａｓ（登録商標）Ｇ−２０      オクチルドデシルリシノレートガーベットエステル（Ｎｏｖｅｏｎ，Ｉｎｃ．）
Ｕｎｉｓｐｈｅｒｅｓ（登録商標）ＹＥ−５０１      酢酸トコフェリル（および）ラクトース、セルロース（および）ヒドロキシプロピルメチルセルロース（および）酸化鉄を含有する化粧品用ビーズ（Ｉｎｄｕｃｈｅｍ  ＡＧ）
Ｗｅｃｏｂｅｅ（登録商標）    水素化植物油（Ｓｔｅｐａｎ  Ｃｏｍｐａｎｙ）
Ｚｉｎｃ  Ｏｍａｄｉｎｅ（登録商標）    亜鉛ピリチオン（Ａｒｃｈ  Ｃｈｅｍｉｃａｌｓ，  Ｉｎｃ．）
（実施例ＳＭ１〜ＳＭ１１）
（Ａ．ジメチコーンコポリオールマクロマー合成（触媒なし））
式ＩＩＩ、ＩＩＩａ、ＩＶおよびＩＶａを有する、末端および側鎖にポリエーテル基を含有するジメチコーンコポリオールマクロマー（ＳＭ）を、表１Ａに記載の環状酸無水物とジメチコーンコポリオールとを反応させることによって合成する。
【０２６６】
２Ｌのガラス製反応容器に、メカニカルスターラー、窒素注入口、電気コントローラに接続した温度プローブ、および水コンデンサを取り付け、これにそれぞれのジメチコーンコポリオール（表１Ａ）を加える。攪拌しながら、コポリオールを８０〜１０５℃に加熱し、減圧下で１５分〜１時間揮散させる。反応容器を８０〜８５℃まで冷却し、Ｎ２で圧力を戻し、それぞれの環状酸無水物（表１Ａ）を反応容器に入れる。攪拌した混合物を８０〜８５℃で１〜３時間加熱する。次いで、混合物を減圧下で１５分間揮散させ、Ｎ２で圧力を戻し、５０℃まで冷却する。次いで、混合物を濾過して沈殿を除去する。各実施例において、１Ｈ  ＮＭＲ分光法によって分析し、それぞれのジメチコーンコポリオールカルボキシレートハーフエステルが生成していることを確認する。
【０２６７】
（Ｂ．ジメチコーンコポリオールマクロマー合成（触媒あり））
上述の触媒なしの合成方法と同様の設定を用い、ジメチコーンコポリオールおよび無水アルカリ金属酢酸塩（０．７ｇ、全成分の０．２％ｗ／ｗ）を減圧下、８０℃で１５分間加熱する。Ｎ２で満たした後、混合物を８０〜８２℃で１〜２時間、環状酸無水物と反応させる。１Ｈ  ＮＭＲ分光法によって分析し、それぞれのジメチコーンコポリオールカルボキシレートハーフエステル（表１Ｂ）が生成していることを確認する。
【０２６８】
【表１Ａ】
0005558721.tif 000016
【０２６９】
【表１Ｂ】
0005558721.tif 000017
実施例１および２は、本発明の２種のオレフィン性不飽和ジメチコーンコポリオールマクロマー（ＳＭ）のバルクホモポリマー合成を示す。１つめのマクロマーは、置換された環状酸無水物（すなわち無水イタコン酸）から誘導され、もう１つのマクロマーは、置換されていない環状酸無水物（すなわち無水マレイン酸）から誘導される。
【実施例】
【０２７０】
（実施例Ｉ）
マグネチックスターラー、熱電対を取り付けた１００ｍｌ三ッ口丸底フラスコに窒素を流す。このフラスコに、実施例ＳＭ１１のジメチコーンコポリオールマクロマー（表１Ｂ）３０ｇを入れる。過硫酸アンモニウム開始剤溶液（水２５ｇ中２．６ｇ）を４時間間隔で数回にわけて加える。８０〜８５℃で攪拌を続けながら反応を行った。マクロマーの約５０％がホモポリマーに変換するのに８時間かかり、マクロマーの約７０％がホモポリマーに変換するのに１６時間かかった。ポリマー生成物のＣＤＣｌ３抽出物の１Ｈ  ＮＭＲ分析から、生成物中に未反応の無水イタコン酸誘導体が存在することが示されている。
【０２７１】
（実施例ＩＩ）
Ｌｕｐｅｒｏｘ  １１Ｍ  ７５開始剤０．５％（モノマーの合計重量を基準とする）をモノマー混合物に加え、次いで６０℃まで加熱する以外は、実施例ＳＭ７のマクロマー（表１Ｂ）を用いて実施例Ｉを繰り返す。１０分の間に、発熱で７２℃まで到達した後、反応塊がゲル化する。ＤＭＣのマレイン酸誘導体は、実施例Ｉの三置換された（メチル）マレイン酸誘導体よりもかなり反応性が高い。ゲルのＣＤＣｌ３抽出物の１Ｈ  ＮＭＲ分析から、生成物中に未反応の無水マレイン酸誘導体がごく少量存在することが示されている。
【０２７２】
以下の実施例は、本発明のオレフィン性不飽和ジメチコーンコポリオールマクロマー（ＳＭ）と他のオレフィン性不飽和モノマー（例えば、ＡＭＰＳ、ＭＭＡ、ＭＡＡおよびＳＴＹ）を使用した溶液との共重合と、沈殿重合技術を示す。
【０２７３】
（実施例ＩＩＩ）
５００ｍｌのジャケット付反応容器に、コンデンサ、熱電対、メカニカルスターラー（半月型の羽）および窒素ブランケットを取り付け、これに実施例ＳＭ９のジメチコーンコポリオールマクロマー２部、ＩＰＡ２８．５部および蒸留水２８．５部を入れる。開始剤（ＩＰＡ１部中のＬｕｐｅｒｏｘ  １１Ｍ７５  ０．２部）を７２℃で反応容器に入れ、ＡＭＰＳ  ２４０５  モノマー１８部、ＩＰＡ９部および蒸留水９部の混合物を３時間かけて秤量する。促進用の開始剤（ＩＰＡ１部中のＬｕｐｅｒｏｘ  １１Ｍ７５  ０．０２部）を測定開始から１時間経過毎に加える。全ての反応剤が変換されたことが１Ｈ  ＮＭＲで確認されるまで、促進剤を加え続ける。希釈したＡＭＰ−９５で中和することによって透明生成物を得る。最終生成物は、ｐＨ４．５で合計固体含有量が２１．１５％であった。
【０２７４】
（実施例ＩＶ）
実施例ＩＩＩと同様に設定した５００ｍｌのジャケット付反応容器に、実施例ＳＭ９ａのジメチコーンコポリオールマクロマー１５部、蒸留水３８０部およびＩＰＡ１００部を入れる。開始剤（ＩＰＡ１部中のＬｕｐｅｒｏｘ  １１Ｍ７５  ０．４部）を８０℃で反応容器に入れ、ＭＭＡ４０部およびＭＡＡ２０部の混合物をシリンジポンプで反応容器に秤量する。ＡＭＰＳ  ２４０５モノマー２５部および水２５部の混合物を、別のシリンジポンプで３時間かけて反応容器に秤量する。促進用の開始剤（ＩＰＡ１部中のＬｕｐｅｒｏｘ  １１Ｍ７５  ０．０６部）を測定開始から１時間経過毎に加える。全ての反応剤が変換されたことが１Ｈ  ＮＭＲで確認されるまで、促進剤を加え続ける。最終生成物は、ｐＨ８．９で合計固体含有量が２１．９４％であり、ＩＰＡを蒸発させ、ＡＭＰ−９５で中和すると、半透明の液体になる。
【０２７５】
（実施例Ｖ）
実施例ＩＶと同様に設定した５００ｍｌのジャケット付反応容器に、実施例ＳＭ９のジメチコーンコポリオールマクロマー５部、蒸留水１９０部およびＩＰＡ１９０部を入れる。開始剤（ＩＰＡ１部中のＬｕｐｅｒｏｘ  １１Ｍ７５  ０．４部）を８０℃で反応容器に入れ、スチレン５５部およびＭＡＡ２０部の混合物をシリンジポンプで反応容器に秤量する。ＡＭＰＳ  ２４０５  ２０部／水１０部の混合物を、別のシリンジポンプで３時間かけて反応容器に秤量する。促進用の開始剤（ＩＰＡ１部中のＬｕｐｅｒｏｘ  １１Ｍ７５が合計０．７８部）を測定開始から１時間経過毎に加える。ポリマー固体を得て、これを濾過し、ＩＰＡ１００ｇで洗浄し、次いで、ＩＰＡ／水混合物５０ｇで洗浄し、乾燥する。最終生成物は白色粉末である。
【０２７６】
以下の実施例は、本発明のオレフィン性不飽和ジメチコーンコポリオールマクロマー（ＳＭ）と、異なる種類のモノマーとの、アニオン乳化重合による共重合を示す。
【０２７７】
（実施例ＶＩ〜ＶＩＩＩ）
表２に記載のモノマーから、以下に記載するようにエマルションポリマーを調製する。第１の反応容器に約９００ｒｐｍで回転する攪拌器を取り付け、窒素雰囲気下、ＭＡＡ１４８重量部、ＥＡ約２００重量部および実施例ＳＭ７で調製したマクロマー約４０．０重量部を、３０％ラウリル硫酸ナトリウム水溶液約１３．３重量部を含有する脱イオン水１９２重量部中で混合することによって、モノマー反応混合物を調製する。第２の反応容器に、混合攪拌器および窒素注入口および供給ポンプを取り付け、これに脱イオン水約５８０重量部および３０％ラウリル硫酸ナトリウム水溶液約１．２７重量部を入れる。第２の反応容器の内容物を約２００ｒｐｍで攪拌しながら窒素雰囲気下で加熱する。第２の反応容器の内容物の温度が約８５〜８８℃に到達したら、１．７３％過硫酸アンモニウム溶液（遊離ラジカル開始剤）約７．８４部を、第２の反応容器の加温した界面活性剤溶液に注入する。第１の反応容器のモノマー混合物の水性エマルションを、約８５〜８８℃の温度で約１８０分間かけて第２の反応容器に徐々にポンプで入れていく。同時に、開始剤の１．７％過硫酸アンモニウム溶液約６０重量部を第２の反応容器の反応混合物に秤量し、反応物の温度を約９０℃にさらに１時間半維持し、重合を完結させる。得られたエマルションを室温まで冷却し、反応容器から出し、集める。これらの３つのコポリマーをＣＤＣｌ３抽出物を用いた１Ｈ  ＮＭＲで分析する。
【０２７８】
【表２】
0005558721.tif 000018
比較例ＶＩＩのコポリマーは、未反応コハク酸ジメチコーンコポリオールエステルに対応する１Ｈ  ＮＭＲピークを示し、この物質は、コポリマーに組み込まれていないと考えられる。驚くべきことに、反応性二重結合を含有する実施例ＶＩおよびＶＩＩＩのコポリマーは、未反応マレイン酸エステル誘導体（ＳＭ７）またはジメチコーンコポリオールエステルの未反応イタコン酸誘導体（ＳＭ９）に関するエステル官能基のピークを示さなかった。これらの実験により、本発明のマクロマーは、エマルション共重合で容易に重合可能であることが示されている。
【０２７９】
（実施例１〜３）
実施例ＶＩ〜ＶＩＩＩと同様に、表３に記載のモノマーおよびマクロマーを用いてエマルションポリマーを調製する。実施例３では非反応性ジメチコーンコポリオール（Ｓｉｌｓｏｆｔ（登録商標）４７５）、実施例１ではマクロマーＳＭ９を用い、実施例２ではシリコーン添加剤を用いずに３種のポリマーを合成し、本発明のジメチコーンコポリオールマクロマーをコポリマー骨格に組み込むことにより、コポリマーの性質に影響を与えるか否かを観察した。
【０２８０】
それぞれのポリマーの粘度を、ＡＭＰ−９５でｐＨ７まで中和した１％および２％の固体粘液で測定した。Ｔｇに加えて、透明度および濁度（ＮＴＵ）の値を各ポリマーについて測定する。結果を表３Ａに記録している。
【０２８１】
【表３】
0005558721.tif 000019
【０２８２】
【表３Ａ】
0005558721.tif 000020
実施例１のポリマーの粘度効率は、本発明のジメチコーンコポリオールマクロマー１０ｗｔ％を用いた場合にも維持される。対照的に、官能化されていないジメチコーンコポリオール１０ｗｔ％を含有する実施例３のポリマー（米国特許第６，４０３，０７４  Ｂ１の教示に従って製造）は、１％および２％の粘液で低粘度である。官能化されていないジメチコーンコポリオール（Ｓｉｌｓｏｆｔ  ４７５）は、実施例３ａでは連鎖移動剤として作用し、得られた会合性ポリマーの粘度を低下させている。
【０２８３】
（実施例４〜６）
表４に記載のモノマーおよびマクロマーを用いて、実施例ＶＩ〜ＶＩＩＩと同様にエマルションポリマーを調製する。本発明のオレフィン性不飽和ジメチコーンコポリオールマクロマー存在下、実施例４および５のコモノマーを共重合させる。一方、非反応性モノマー（すなわち飽和ジメチコーンコポリオールカルボキシレート）存在下、比較例６のコモノマーを重合させる。これらのポリマーの相対粘度性能を比較する。
【０２８４】
【表４】
0005558721.tif 000021
各ポリマーゲルの性能を、ＡＭＰ−９５でｐＨ７に中和した１％および２％の固体粘液で測定する。不飽和官能化ジメチコーンコポリオールマクロマー（ＳＭ９およびＳＭ７）を会合性ポリマー骨格に共重合させると、このポリマーは、以下の表４Ａに示されるような飽和ジメチコーンコポリオール（ＳＭ６）を含有する会合性ポリマーによって示される、典型的な粘度低下事象を受けない。この粘液のガラス転移点および透明度値は維持されていた。
【０２８５】
【表４Ａ】
0005558721.tif 000022
（実施例７〜１０）
表５に記載のモノマーおよびマクロマーを用いて、実施例ＶＩ〜ＶＩＩＩと同様にエマルションポリマーを調製する。これらの実施例では、ジメチコーンコポリオールマクロマーの合成において、環状酸無水物をジメチコーンコポリオールに組み込んだ場合の最終コポリマー生成物のゲル性能に対する効果を決定し、表５Ａに報告している。
【０２８６】
【表５】
0005558721.tif 000023
【０２８７】
【表５Ａ】
0005558721.tif 000024
各ポリマーのゲル性能を、ＡＭＰ−９５でｐＨ７に中和した１％および２％の固体粘液で測定する。表５Ａのデータから、０．２５〜０．７５当量（ジメチコーンコポリオールのＯＨ数に基づく）のジメチコーンコポリオールを付加した酸無水物から合成したマクロマーを重合させたポリマーが、最適なゲル特性を与える。
【０２８８】
（実施例１１および１２）
実施例ＶＩ〜ＶＩＩＩと同様に、表６に記載のモノマーおよびマクロマーを用いてエマルションポリマーを調製する。表６に記載のモノマーおよびマクロマーを用いて、２種類のコポリマーを重合させた。異なる分子量のジメチコーンコポリオール（それぞれＭＷ＝２，５００および１９，０００）から、実施例ＳＭ５およびＳＭ７の反応性ジメチコーンコポリオールマクロマーを合成する。低分子量および高分子量のジメチコーンコポリオールマクロマーから合成したコポリマーは、良好な感覚的な特性およびゲル特性を与える。
【０２８９】
【表６】
0005558721.tif 000025
各ポリマーゲルの性能を、ＡＭＰ−９５でｐＨ７に中和した１％および２％の固体粘液で測定する。データを表６Ａに示す。
【０２９０】
【表６Ａ】
0005558721.tif 000026
（実施例１３〜２０）
表７に記載のモノマーおよびマクロマーを用いて、実施例ＶＩ〜ＶＩＩＩと同様にエマルションポリマーを調製する。不飽和カルボキシレート基（式ＩＩＩａではＲ＝Ｒ’＝環状酸無水物残基；式ＶＩａではｚ＝ｙ）で完全に官能化されているか、または不飽和カルボキシレート基（式ＩＩＩａではＲまたはＲ’のうち１個＝水素；式ＶＩａでは、ｚは、ｙ以下）で部分的に官能化されている、末端および側鎖にポリエーテル基を含有するジメチコーンコポリオールマクロマーを用いて、いくつかの非会合性コポリマーを合成する。それぞれのポリマーの粘度を、ＡＭＰ−９５でｐＨ７に中和した１％および２．５％の固体粘液で測定する。それぞれのポリマーについて、Ｔｇに加え、透明度および濁度（ＮＴＵ）の値を測定する。結果を表７Ａに報告している。
【０２９１】
【表７】
0005558721.tif 000027
【０２９２】
【表７Ａ】
0005558721.tif 000028
（実施例２１〜５４）
実施例ＶＩ〜ＶＩＩＩと同様に、表８に記載のモノマーおよびマクロマーを用いてエマルションポリマーを調製する。それぞれのポリマーの粘度を、ＡＭＰ−９５でｐＨ７に中和した２％、３％および５％の固体粘液で測定する。それぞれのポリマーについて、Ｔｇに加え、透明度および濁度（ＮＴＵ）の値を測定する。結果を表８Ａに報告している。
【０２９３】
【表８−１】
0005558721.tif 000029
【０２９４】
【表８−２】
0005558721.tif 000030
【０２９５】
【表８−３】
0005558721.tif 000031
１会合性モノマー
２半疎水性モノマー
【０２９６】
【表８Ａ】
0005558721.tif 000032
（実施例５５〜５９）
表９に記載のモノマーおよびマクロマーから、以下の手順に従って、カチオン性酸膨潤性会合性エマルションポリマーを重合する。
【０２９７】
反応容器に水約３４０重量部、Ｅｍｕｌｓｏｇｅｎ（登録商標）ＥＰＮ４０７非イオン性界面活性剤約５．５重量部およびラウリル硫酸ナトリウム（３０％）アニオン性界面活性剤約０．３重量部を入れ、これに表９のモノマーを加える（混合しながら）ことによって、モノマーエマルションを調製する。得られた混合物を、窒素雰囲気下、約２０〜約２５℃の温度でエマルションが得られるまで攪拌する（約４００ｒｐｍ）。攪拌しながら、このモノマーエマルションにＢｒｕｇｇｏｌｉｔｅ（登録商標）ＦＦ６（還元剤）約０．１２重量％の水約５．０重量％溶液を加え、重合反応を開始させる。攪拌しながら、このモノマーエマルションに過硫酸ナトリウム（酸化剤）約０．１６重量部の水約５．０重量％溶液を加え、重合反応を開始させる。開始剤を加えた後、反応混合物の温度を約６０〜約７０℃に約２．５時間維持する。反応開始約０．５時間後および約１．５時間後に開始剤をさらに加える（開始剤の添加量は、水約３．０重量部中、過硫酸ナトリウム約０．０８重量部）。
【０２９８】
得られたポリマーエマルションを、約４４〜約４６℃の温度まで約４５分間かけて冷却し、反応混合物に酸化溶液を１時間間隔で２回に分けて加える。それぞれの酸化（レドックス）溶液は、ｔ−ブチルヒドロペルオキシド（７０％）約０．１５重量部、ラウリル硫酸ナトリウム（３０％）約０．０１５重量部およびＢｒｕｇｇｏｌｉｔｅ（登録商標）ＦＦ６還元剤約０．１５重量部を水約９重量部中に含有していた。ポリマーエマルションを周囲温度まで冷却し、反応容器から取り出す。
【０２９９】
【表９】
0005558721.tif 000033
各ポリマーの粘度および透明度を、グリコール酸５０％溶液でｐＨ４に中和した２％の固体粘液で測定する。結果を表９Ａに報告している。
【０３００】
【表９Ａ】
0005558721.tif 000034
（実施例６０）
表１０に特定されているジメチコーンコポリオール含有ポリマー、カルボマーレオロジー改変剤および他の成分を用い、いくつかの毛髪固定ゲル組成物を配合する。
【０３０１】
【表１０】
0005558721.tif 000035
以下のようにゲル組成物を配合する。レオロジー改変剤を水に分散させ、混合して均一分散物を得る。レオロジー改変剤分散物をＡＭＰ−９５でｐＨ６になるまで部分的に中和する。これを十分に混合しながら、表１０Ａの例に従って合成したジメチコーンコポリオールポリマーエマルション（供給時５重量％またはポリマー固形分１．５重量％）をゆっくりと加え、最終的にｐＨ７になるまで中和する。次いで、中和した組成物に防腐剤を加える。各ゲルサンプルについて透明度および濁度を測定する。結果を以下の表に記録している。
【０３０２】
【表１０Ａ】
0005558721.tif 000036
（実施例６１）
実施例６０に記載のレオロジー改変剤以外の成分および手順を用いて、実施例２４のポリマー（ポリマー固形分２．０重量％）から毛髪固定祖生物を配合する。比較のために、市販の固定ポリマーであるＬｕｖｉｓｋｏｌ（登録商標）Ｋ９０ポリマーを同様に配合するが、中和は行わない（ポリマー固形分２．０重量％）。
【０３０３】
非常に湿度の高い状態で固定配合物がヘアスタイルを保持する能力を評価する。ヘアスタイルを整え、上に記載したＭａｎｎｅｑｕｉｎ  Ｈｅａｄ  Ｈａｉｒ  Ｓｔｙｌｅ  Ｓｃｒｅｅｎｉｎｇ  Ｔｅｓｔに従って評価する。２種類のマネキンの頭を試験に使用する。１つはアジア人の毛髪を移植したものであり、もう１つは白人の毛髪を移植したものである。アジア人の毛髪を移植したマネキンの頭の毛髪束を使用し、まっすぐ上に上がった部分とカール部分（ｃｕｒｌ）を、それぞれ長さ２．５インチおよび４インチでスタイリングする。白人の毛髪を移植したマネキンの頭の毛髪束を使用し、まっすぐ上に上がった部分とカール部分を、それぞれ長さ４インチおよび５インチでスタイリングする。まっすぐ上に上がった部分とカール部分とをスタイリングするのに使用した毛髪束は、アジア人の毛髪を移植したマネキンでは、実験の固定剤および市販の固定剤０．８ｇ／ふさで処理し、白人の毛髪を移植したマネキンでは、実験の固定剤および市販の固定剤０．５ｇ／ふさで処理している。アジア人の毛髪は、マネキンの頭部の単位面積あたり、通常は、多くて密度が高い。その結果、初期のスタイルを維持するのに多くの固定剤を使用する。
【０３０４】
乾燥時、両方のマネキン頭部のスタイリングした部分は、触ると硬く、固定されている（図１および１ａ）。両方のマネキン頭部を湿度室（３５℃、９５％Ｒ．Ｈ．）に３時間置く。１時間間隔で、それぞれのマネキン頭部を湿度室から取り出し、スタイリングの保持時間を評価し、写真撮影する（図１／１Ａ〜図４／４Ａ）。図２および図２Ａに示した写真から、市販の固定組成物は、高湿条件に１時間置いた後、白人の毛髪およびアジア人の毛髪の両方のカール部分がほどけており、アジア人の毛髪のまっすぐ上に上がった部分は垂れ下がり始めている。図３、３Ａ、４および４Ａに示されているように、本発明のポリマーを用いた場合、高湿条件下に２時間および３時間置いた後でも、アジア人の毛髪ではカール部分およびまっすぐ上に上がった部分が保持されており、白人の毛髪ではカール部分が保持されている。同じ放置時間で、市販の固定ポリマー組成物は、カール部分を保持しておらず、まっすぐ上に上がった部分は落ち始めている。
【０３０５】
湿度室に３時間放置した後、本発明のポリマーを使用したスタイルは、市販のポリマーを使用した場合よりも、硬く、しっかりと固定されている。このスタイルは、輝きが良好で、滑らかな感触を有していることが観察されている。
【０３０６】
（実施例６２）
実施例４、２１、２３、２５、３０、３５および４７で得たポリマーを、実施例６０の手順に従って、固定組成物に配合する。但し、ゲルの量は表１１に示すように異なっている。
【０３０７】
比較のために、市販の固定ポリマーであるＬｕｖｉｓｋｏｌ（登録商標）Ｋ９０  ＰＶＰをｐＨ７で同様に配合する。配合後、上述の（ＨＨＣＲ）試験を用いて、高湿でのカール部保持能について、固定組成物を再び評価する。結果を以下の表１１に示す。
【０３０８】
【表１１】
0005558721.tif 000037
（実施例６３）
実施例３５のポリマー（ポリマー固形分３重量％）から、実施例６０に概説した手順に従って固定ゲルを調製する。Ｃａｒｂｏｐｏｌ（登録商標）Ｕｌｔｒｅｚ  ２１  ポリマーをレオロジー改変剤として使用する。比較のために、市販の固定ポリマーであるＬｕｖｉｓｅｔ（登録商標）Ｃｌｅａｒ固定ポリマー（ポリマー固形分３重量％）をｐＨ７で同様に配合する。上述のＨＨＳＲプロトコルに従って、実験ゲルを調製し、試験し、評価する。結果を以下の表１２に示す。報告した剛性保持値（ＳＲ％）は、実験の固定剤と比較例のＰＶＰ固定ポリマーについて５回繰り返した平均値を表す。
【０３０９】
【表１２】
0005558721.tif 000038
（実施例６４）
実施例３５のポリマー（ポリマー固形分２重量％）から、実施例６０に概説した手順に従って固定ゲルを調製する。Ｃａｒｂｏｐｏｌ（登録商標）Ｕｌｔｒｅｚ  ２１  ポリマーをレオロジー改変剤として使用する。比較のために、市販の固定ポリマーであるＬｕｖｉｓｅｔ（登録商標）Ｃｌｅａｒ固定ポリマー（ポリマー固形分２重量％）およびＬｕｖｉｓｋｏｌ（登録商標）Ｋ９０  ＰＶＰ（ポリマー固形分２重量％）をｐＨ７で同様に配合する。上述のＨＨＳＲプロトコルに従って、実験ゲルを調製し、試験し、評価する。結果を以下の表１３に示す。らせん状カール部保持値（ＳＣＲ％）は、実験の固定剤と比較例のＰＶＰ固定ポリマーについて５回繰り返した平均値を報告したものである。
【０３１０】
【表１３】
0005558721.tif 000039
（実施例６５）
本発明のポリマーを含有する毛髪ゲル配合物を、実施例６０に記載したとおりに配合する。但し、使用した固定ポリマーの量は、表１４に示すように、１〜５重量％（ポリマー固形分）であり、レオロジー改変剤は使用していない。硬く保持する固定性能で知られる市販のポリマーも配合する。アジア人の毛髪束を準備し、処理し（固定組成物０．８ｇ／ふさ）、上述の機械的剛性試験法で、相対湿度５０％および９０％に放置した後の機械的剛性を評価する。各サンプルについて５回調製し、試験する。５回の平均ピーク力を算出し、記録する。
【０３１１】
【表１４−１】
0005558721.tif 000040
【０３１２】
【表１４−２】
0005558721.tif 000041
表１４のデータは、本発明の実施形態の固定性ポリマーが、相対湿度５０％での機械的剛性値が３〜１１．４ニュートンであることを示す（スタイリング性能はわずかに柔らかい保持〜特に硬い保持）。市販の固定ポリマー（例えば、Ｌｕｖｉｓｋｏｌ（登録商標）およびＬｕｖｉｓｅｔ（登録商標）Ｃｌｅａｒ固定剤）は、機械剛性値が６．５〜７．８ニュートンであり、スタイリング性能は硬い保持〜特に硬い保持に分類されているが、この値を得るには、ポリマー固形分の濃度が高い（例えば、５重量％）ことが必要である。ポリマー固形分濃度が低い（例えば、２重量％）と、これらの市販のポリマーは、本発明のポリマーよりもピーク力の低下がみられる。
【０３１３】
（実施例６６）
実施例６０に記載されるように、本発明のポリマーを含有する毛髪ゲル配合物を配合する。固定性ポリマーの量（ポリマー固形分の重量％）を表１５に示す。硬く保持する固定性能で知られる市販のポリマーも配合する。実験の固定ポリマーおよび市販の固定ポリマーをＣａｒｂｏｐｏｌ（登録商標）Ｕｌｔｒｅｚ  ２１レオロジー改変剤０．３重量％とともに配合する（配合成分の合計重量に基づく）。これに加え、市販の毛髪固定商品を使用して比較試験を行なう。アジア人の毛髪束を準備し、処理し（固定組成物０．８ｇ／ふさ）、上述の機械的剛性試験法で、相対湿度５０％および９０％に放置した後の機械的剛性を評価する。各サンプルについて５回調製し、試験する。５回の平均ピーク力を算出し、以下の表に記録する。
【０３１４】
【表１５−１】
0005558721.tif 000042
【０３１５】
【表１５−２】
0005558721.tif 000043
本発明のポリマーから得られた機械的剛性値（組成物の合計重量に基づいて、ポリマー固形分２重量％、Ｃａｒｂｏｐｏｌ（登録商標）Ｕｌｔｒｅｚ  ２１レオロジー改変剤０．３重量％で測定）は、５．８〜７．７ニュートン（平均曲げピーク力）の範囲である。実験ポリマーは、相対湿度５０％ではスタイリング性能が硬い保持〜特に硬い保持である。
【０３１６】
本発明のポリマーから得た機械的剛性（組成物の合計重量に基づいて、ポリマー固形分２重量％、Ｃａｒｂｏｐｏｌ（登録商標）Ｕｌｔｒｅｚ  ２１レオロジー改変剤０．３重量％で測定）は、５．４〜６．５ニュートン（平均曲げピーク力）の範囲であり、相対湿度９０％でもスタイリング性能が長期間継続し、硬い保持〜非常に硬い保持であり、優れた耐湿性を有する。
【０３１７】
レオロジー改変剤は、表１４の剛性データ（レオロジー改変剤なし）と、表１５の剛性データ（レオロジー改変剤あり）とを比較するとわかるように、全ての固定ポリマーについて機械的剛性を高めている。
【０３１８】
市販の固定ポリマーは、相対湿度５０％で、機械的剛性が３．２〜６．７ニュートン（平均ピーク力）の範囲であり、硬い保持〜特に硬い保持である。しかし、機械的剛性値は、相対湿度９０％では顕著に低下し（Ｎｏｖｅｏｎ製のＦｉｘａｔｅ（登録商標）ＰＬＵＳ、Ｆｉｘａｔｅ（登録商標）Ｇ  １００ポリマー、およびＲｏｈｍ  ａｎｄ  Ｈａａｓ製Ａｃｕｄｙｎｅ（登録商標）ＳＣＰを除く）、このことは、耐湿性が悪いことを示している。
【０３１９】
プロクター・アンド・ギャンブル、ロレアルおよびユニリーバから市販されている仕上げスタイリングゲル製品も、機械的剛性が硬い保持〜特に硬い保持に分類されている（ロレアルのＳｔｕｄｉｏ  ｌｉｎｅ  ｍｅｌｔｉｎｇ  ｇｅｌを除く）が、これらの市販製品は、ポリマー固形分が２．３重量％を超える量で固定ポリマーおよび他の固定成分を含み、ポリマー固形分が非常に高濃度であり、最適化されたものである。
【０３２０】
以下の実施例は、本発明の種々のヘアケア実施形態を配合するための本発明のポリマーの使用を示す。
【０３２１】
（実施例６７）
この実施例は、実施例４、１０、２０、２８、３５および４５で合成したポリマーの、表１６で示されるカール性を向上させるクリームヘアゲル組成物での使用を示す。
【０３２２】
【表１６】
0005558721.tif 000044
レオロジー改変剤を脱イオン水に均一に分散させ、ＡＭＰ−９５であらかじめ中和しておく。このあらかじめ中和した分散物に、実施例４、１０、２０、２８、３５および４５のポリマーをゆっくりと加え、十分に混合し、ＡＭＰ−９５でさらに中和する。パートＢ、Ｃ、ＤおよびＥの成分を別個に配合し、パートＡの分散物にアルファベット順に加え、混合する。得られたゲル配合物は、不透明な金色の外観を有しており、ｐＨは６．３を超えており、粘度は１５，０００ｍＰａ・ｓを超えている。
【０３２３】
（実施例６８）
この実施例は、実施例４、１０、２０、２８、３５および４５のポリマーを使用した、固形含量の高いサロン用成形ゲル配合物を示す。以下の成分を使用して、成形ゲルを配合する。
【０３２４】
【表１７】
0005558721.tif 000045
脱イオン水を容器に秤量し、均一分散物が得られるまで、混合しながら実験ポリマーをゆっくりと加える。成分３〜８を表に示された数字の順番に、混合しながらゆっくりと加える。均一分散物が得られたら、成分９を用いて配合物のｐＨを約６．５になるまで中和する。
【０３２５】
得られたゲル配合物は、透明な外観を有しており（透明度値（％Ｔ）が９０％を超えており）、粘度が１０，０００ｍＰ・ｓを超えている。このゲルは、滑らかな、絹のような感触の優れた流動性を有している。
【０３２６】
（実施例６９）
この実施例は、実施例４、１０、２０、２８、３５および４５のポリマーを使用した、透明な固形含量の低いサロン用成形ゲル配合物を示す。以下の成分を使用して、成形ゲルを配合する。
【０３２７】
【表１８】
0005558721.tif 000046
脱イオン水を容器に秤量し、レオロジー改変剤を容器にふりかけて水和させ、混合して均一分散物を得る。均一分散物が得られるまで、混合しながら本発明のポリマーをゆっくりと加える。成分３〜９を表に示された数字の順番に、混合しながらゆっくりと加える。均一分散物が得られたら、成分１０を用いて配合物のｐＨを約６．５になるまで中和する。
【０３２８】
得られたゲル配合物を、実施例６８の固形含量の高いゲル配合物と主観的に比較すると、同様に透明であるが、粘度が低めであることがわかった。
【０３２９】
（実施例７０）
実施例４、１０、２０、２８、３５および４５のポリマーを用いて、「独創的な（ｆｕｎｋｙ）」（着色しており、変形しやすい）毛髪ゲルを配合する。この組成物は、本発明のポリマーがエタノール、皮膚軟化剤および質感改変剤とともに配合できることを示す。以下の成分を使用してゲルを配合する。
【０３３０】
【表１９】
0005558721.tif 000047
脱イオン水を適切な容器に秤量し、レオロジー改変剤を脱イオン水に均一に分散させ、この分散物に実施例４、１０、２０、２８、３５および４５のポリマーを分散させる。パートＢの成分を表に示された順序でパートＡの分散物に加え、成分８を最後に加える。パートＣの成分を別個に配合し、次いでパートＡの分散物に攪拌速度を上げながら加える。ＡＭＰ−９５をさらに加え（必要な場合）、最終ｐＨ値を約６．５にする。得られたゲル配合物は青色の外観を有しており、粘度値が約２８，０００ｍＰａ・ｓであり、伸びがよく、糸を引く。
【０３３１】
（実施例７１）
以下の透明度が高い毛髪ゲルは、本発明のポリマーとレオロジー改変剤とを用い、滑らかで粘度の低いゲルを得る可能性を示す。実施例２０、３５および４５のポリマーを、以下の表に記載されるように配合Ａ、ＢおよびＣに従ってそれぞれ配合する（合計９配合物）。
【０３３２】
【表２０】
0005558721.tif 000048
各配合物を以下のように調製する。レオロジー改変剤を脱イオン水に分散させ、均一な分散物が得られるまで混合する。水性分散物をトリエタノールアミンで部分的に中和する。均一分散物が得られるまで、攪拌しながら成分４〜８をこの数字の順番にゆっくりと加える。トリエタノールをさらに加え、分散物のｐＨを約６．５に調整すると、滑らかな低粘度のゲルが得られる。全ての配合物は透明であり（Ｔ＞９０％）、粘度は２０，０００ｍＰａ・ｓ未満である。
【０３３３】
（実施例７２）
実施例２０、３５および４５のポリマーを用いて、毛髪ゲルを配合する。以下の表に記載されるように配合Ａ、ＢおよびＣに従って、各ポリマーを配合する（合計９配合物）と、透明で、粘度が中程度のゲルが得られる。実施例７１の配合手順を中粘度のゲルについて繰り返す。
【０３３４】
【表２１】
0005558721.tif 000049
全ての配合物は透明であり（Ｔ＞９０％）、粘度は４５，０００ｍＰａ・ｓ未満である。
【０３３５】
（実施例７３）
実施例２０、３５および４５のポリマーを用いて、毛髪ゲルを配合する。以下の表に記載されるように配合Ａ、ＢおよびＣに従って、各ポリマーを配合する（合計９配合物）と、ポリマー固形分の重量％を上げることによって、透明で、高粘度のゲルが得られる。実施例７１の配合手順を高粘度のゲルについて繰り返す。
【０３３６】
【表２２】
0005558721.tif 000050
全ての配合物は透明であり（Ｔ＞９０％）、粘度は４５，０００ｍＰａ・ｓより大きい。
【０３３７】
（実施例７４）
実施例２０、３５および４５のポリマーを用いて、毛髪ゲルを配合する。以下の表に記載されるように配合Ａ、ＢおよびＣに従って、各ポリマーを配合する（合計９配合物）。
【０３３８】
【表２３】
0005558721.tif 000051
各配合物を以下のように調製する。レオロジー改変剤を水に分散させ、均一な分散物が得られるまで混合する。水性分散物をＡＭＰ−９５で部分的に中和する。攪拌しながら成分４〜１０をこの数字の順番にゆっくりと加える。ＡＭＰ−９５をさらに加え、分散物のｐＨを約６．５に調整すると、滑らかな低粘度のゲルが得られる。
【０３３９】
（実施例７５）
この配合物は、実施例４、１０、２０、２８、３５および４５のポリマーと、油と、界面活性剤および乳化剤の混合物とを用い、ワックス配合物を作成する可能性を示す。以下の表に記載される成分を用いて、各ポリマーを配合する。
【０３４０】
【表２４】
0005558721.tif 000052
パートＡの成分を攪拌しながら混合し、７０℃に加熱する。別個の容器に、パートＢの成分を混合し、これも７０℃まで加熱する。パートＢをパートＡに合わせ、混合し、７０℃で５分間加熱する。各配合物のｐＨを約６．５に調整し、半固体ワックスゲルを得る。
【０３４１】
（実施例７６）
この実施例は、実施例４、１０、２０、２８、３５および４５のポリマーおよびｇｕｅｒｂｅｔエステルを輝き／潤い向上補助剤として用いた、カール性を向上させるクリームヘアゲル配当物を示す。以下の表に記載される成分を用いて、各ポリマーを配合する。
【０３４２】
【表２５】
0005558721.tif 000053
レオロジー改変剤を脱イオン水に均一に分散させる。均一な分散物が得られるまで、成分３〜６を表に示された数字の順番に、混合しながら加える。この分散物のｐＨを約６．５になるまで中和すると、クリーム状の白色ゲルが得られる。このゲルの粘度は約３３，０００ｍＰａ・ｓであり、輝く外観を有している。
【０３４３】
（実施例７７）
実施例ＩＶのポリマーを用いた２種の毛髪スプレー組成物を、以下の表に記載の成分を用いて、水性配合物および含水アルコール（噴射剤に適合性のもの）配合物で調製する。
【０３４４】
【表２６】
0005558721.tif 000054
以下に示す従来の混合技術を用いて毛髪スプレー組成物を調製する。
【０３４５】
配合Ａ：５％活性ポリマー溶液４００ｇバッチを、防腐剤０．２％を含有する脱イオン水に分散させ、粘度、透明度および濁度を評価する。
【０３４６】
配合Ｂ：５％活性ポリマー２００ｇサンプルをエタノールに分散させ、粘度、透明度および濁度を評価する。
【０３４７】
水系スプレー配合物および溶媒系スプレー配合物は、両方とも噴霧可能な十分に低い粘度を有している。各配合物は、優れた保持力を有し、良好なスタイリング特性を有する。
【０３４８】
（実施例７８）
この実施例は、ヘアスタイリングムースを配合するための本発明のポリマーの使用を示す。実施例ＶＩ、３５および４５のポリマーをそれぞれ、以下の表に記載される成分とともに配合し、ヘアスタイリングムース組成物を配合する。
【０３４９】
【表２７】
0005558721.tif 000055
以下のようにポリマーを配合する。攪拌しながらパートＡを混合し、表に示された順序でパートＢの成分と混合した後、ｐＨ６になるまで中和する。ＡＢ組成物を適切な加圧容器（内側がポリマーで覆われたアルミニウム缶）に入れ、容器の上部に配置されたムースバルブを閉じる。この缶を減圧し、ヘッドスペースを排気する。次いで、バルブを所定の位置に押し付け、バルブ軸を通して、缶に噴射剤混合物（成分番号１０）を入れる。
【０３５０】
本発明の別の実施形態では、ジメチコーンコポリオールマクロマーを重合させた繰り返し単位を含有するポリマーを、洗い流すタイプの処理組成物（シャンプー、コンディショニングシャンプー、ツーインワンシャンプー、着色維持シャンプー、毛染め後シャンプーなど）で使用することができる。これらのシャンプーには、シャンプーの洗浄力および／またはコンディショニング力を妥協することなく、毛髪に対するスタイリング性および「身体」への利益が付与されている。「身体」への利益とは、毛根のリフトアップ、毛髪量、コシ、コントロールの増加（すなわち、スタイリング容易性）および扱いやすさ（すなわち、悪い感触なくスタイルを維持すること）が挙げられる。このような身体への特性は、きれいな髪または長い髪、かさのある髪のヒトには特に魅力的である。
【０３５１】
界面活性剤の洗浄用配合物、例えば、本発明のポリマーを組み込んだシャンプー（例えば、ツーインワンシャンプー、フケ防止シャンプー、浴室ゲル、ボディーソープなど）は、アニオン性界面活性剤、非イオン性界面活性剤、双性イオン性界面活性剤、両性界面活性剤またはこの混合物混合物；コンディショニングのためのモノクアットおよびポリマークアット；コンディショニングのためのシリコーン；レオロジー改変剤；増粘剤；懸濁剤；防腐剤；香料／香料可溶化剤；着色剤；顔料、中和剤またはｐＨ調整剤；植物性物質；ビタミン；キレート化剤；起泡剤；ビーズ；気泡；マイカ；有機および無機の真珠光沢付与剤；水；粘度低下剤；ヒドロトロピー剤；アルコール；フケ防止活性物質；これらの塩および組み合わせを含むことができる。
【０３５２】
（実施例７９）
懸濁ビーズを含む別個の透明浴室ゲル組成物を、実施例１３、２０ａ、２０ｂおよび２０ｃのポリマーを用いて配合する。成分および量を以下の表に示す。
【０３５３】
【表２８】
0005558721.tif 000056
それぞれの実施例のポリマーを脱イオン水に分散させることによって、各浴室ゲル組成物を配合する。この分散したポリマーに、穏やかに攪拌しながらナトリウムラウレスサルフェート界面活性剤を加える。パートＡ成分をＮａＯＨでｐＨ６．５になるまで中和する。パートＢ成分を、表に示された順序で混合しながらパートＡ混合物に加える。必要な場合、最終組成物のｐＨを６．５に調整する。粘度、降伏値および濁度および懸濁物安定性について、各浴室ゲル組成物を評価する。以下の表に記載した浴室ゲルの性質から、ゲルは、良好な透明性、レオロジーおよび懸濁物安定性（すなわち、固体粒子を長期間懸濁させておく能力）を示す。
【０３５４】
【表２９】
0005558721.tif 000057
（実施例８０）
以下の配合物は、実施例１３、２０ａ、２０ｂおよび２０ｃのポリマーを用いた、一時的な着色シャンプーまたは着色維持シャンプーの一例である。このシャンプーは、カチオン性染料を用い、安定な粘性を有し、改良した真珠光沢付与剤の懸濁性および安定性が優れており、レオロジーおよび感覚的な特性が優れた、一時的な毛髪着色組成物である。
【０３５５】
【表３０】
0005558721.tif 000058
パートＡ成分を合わせ、十分に混合する。別個の容器で、ＥＤＴＡ二ナトリウムを加熱した脱イオン水（約５０℃）に溶解させることによって、パートＢ成分を配合する。穏やかに攪拌しながら、残りのパートＢ成分（５〜９）を数字の順番どおりに加える。中程度に攪拌しながら、パートＢをパートＡにゆっくり加える。合わせた混合物のｐＨを７．０に調整する。別個の容器で、最初に染料（成分１１〜１３）を脱イオン水（約５０℃）に溶解させることによって、パートＣ成分を合わせる。次いで、染料溶液にジメチコーンコポリオールを加える。穏やかに攪拌しながら、パートＡＢにパートＣを合わせる。パートＤの成分１７をあらかじめ脱イオン水に分散させておき、成分１５とともにＡＢＣ組成物に合わせ、混合する。
【０３５６】
（実施例８１）
この実施例は、本発明の実施形態のポリマーを利用する、コンディショニングフケ防止シャンプーの配合を示す。本明細書に記載の「酸に戻す」技術によって、組成物を配合する。
【０３５７】
【表３１】
0005558721.tif 000059
実施例１３、２０ａ、２０ｂおよび２０ｃのポリマーを脱イオン水に分散させることによって、パートＡの成分を合わせる。できるだけ気泡が入り込まないように穏やかに攪拌しながら、界面活性剤（成分３および４）を分散物に加える。次いで、パートＡを成分５でｐＨ６．５になるまで中和する。別個の容器でパートＢ成分を合わせ、４５℃まで加熱し、コンディショナー成分７を溶解させやすくする。パートＢをパートＡに加え、混合する。次いで、パートＣの界面活性剤（成分９）をパートＡＢに加え、成分１０を用いて酸に戻し、ｐＨ５．５に調整する。得られたパートＣ成分１１〜１４を数字の順番で、増粘したパートＡＢＣ組成物に加える。塩化ナトリウム（成分１５）を加え、配合物の粘度を調節する。得られたフケ防止コンディショニングシャンプーは安定であり、沈降することなく、不溶性のフケ防止剤、亜鉛ピリチオンを懸濁させることができる。
【０３５８】
（実施例８２）
表面活性シリコーン部分を含有する本発明のポリマーを、種々の化粧用毛髪配合物（洗い流さないものおよび洗い流すもの）、例えば、ヘアトリートメント、ヘアローション、ヘアトニック、ヘアリンス、ヘアエマルション、ダメージを受けた先端部の処理液、パーマウェーブの等化剤、ホットオイル処理調製物、コンディショナーなどで使用することができる。以下の実施例は、上述のクアテルニウムモノマー化合物、脂肪アルコール乳化剤および皮膚軟化成分を含有するカチオン相溶性クリーム状コンディショナーの配合における、本発明の実施形態のポリマーの使用を示す。組成物の成分を以下の表に示す。
【０３５９】
【表３２】
0005558721.tif 000060
脱イオン水（成分１）を６５〜６７℃に加熱する。この加熱した水に、残りのパートＡ成分（２〜４）を加え、十分に混合する。別個の容器で、パートＢの成分を混合しながら合わせ、６５〜６７℃に加熱する。パートＢをパートＡに合わせ、均一分散物が得られるまで混合する。パートＡＢ分散物を４０℃まで冷却する。成分９を加え、混合を続ける。成分１０を用いてｐＨを４．０に調整する。組成物の粘度および外観特性を以下の表に示す。
【０３６０】
【表３３】
0005558721.tif 000061
（実施例８３）
この実施例は、実施形態のカチオン性ポリマーおよび以下の表に記載の成分を利用した、コンディショニングフケ防止シャンプーの配合を示す。各ポリマーを別個に配合する。
【０３６１】
【表３４】
0005558721.tif 000062
別個の容器で、攪拌しながらパートＡおよびＢを配合し、均一混合物を得る。パートＡを、混合しながらパートＢにゆっくりと合わせる。パートＣの成分（５〜１４）を数字の順番でパートＡＢ組成物に混合し、均一混合物が得られるまで混合する。成分１５を用いて、ＡＢＣ組成物のｐＨを４．９〜５．３に調整する。安定なシャンプー組成物が得られる。
【０３６２】
（実施例８４）
以下の配合物は、コンディショニング洗顔料の一例である。この配合物は、サリチル酸を用いた低ｐＨで安定な水性界面活性剤組成物を示す。それぞれのポリマーを以下の表に列挙した成分を用いて配合する。
【０３６３】
【表３５】
0005558721.tif 000063
混合容器に、パートＡの成分（１〜３）を表に示された順序で合わせ、均一に混合する。クエン酸で混合物をあらかじめ中和しておく。パートＢの成分を別個の容器で混合し、パートＡと合わせる。パートＣの成分（８〜１５）を示された順序でパートＡＢ混合物に加え、均一な組成物が得られるまで混合する。成分１５を用い、パートＡＢＣ配合物のｐＨを４．０になるまで調整する。安定な洗顔料が得られる。
【０３６４】
（実施例８５）
この実施例は、シリコーン、カチオン性物質および植物性物質の混合物を含有する、低ｐＨ透明コンディショニングシャンプー配合物の調製を示す。成分および配合手順を以下の表に記載する。
【０３６５】
【表３６】
0005558721.tif 000064
成分２を脱イオン水に加え、均一な分散物が得られるまで混合することによって、パートＡを配合する。成分３〜５を分散物に加え、混合する。パートＡをパートＢにゆっくりと合わせ、混合する。パートＣの成分７〜１８を示された順番で加え、均一混合物が得られるまで混合する。成分１９を用いて、ｐＨを５．０に調整する。安定で均一なシャンプーが得られる。
【０３６６】
（実施例８６）
この実施例は、実施例１３、２０ａ、２０ｂ、２０ｃおよび２０ｄのポリマーを用いたボディーローション組成物の配合を示す。組成物の成分を以下の表に記載する。
【０３６７】
【表３７】
0005558721.tif 000065
パートＡの成分を示された数字の順番にスズ容器に入れ、中程度に攪拌しながら６５〜７０℃で２０分間加熱する。混合物を６０℃まで冷却し、実施例１３、２０ａ、２０ｂ、２０ｃおよび２０ｄのポリマーを配合物に加える。成分９を用い、ｐＨを約６．８に調整し、配合物を５０℃まで冷却する。成分１０を混合しながら加え、配合物を４０℃まで冷却する。成分１１を加え、均一組成物が得られるまで混合する。
【０３６８】
（実施例８７）
この実施例は、コンディショニング毛髪ゲルの配合における、実施例５６〜６９のカチオン性ポリマーの使用を示す。成分および調製方法を以下に示す。
【０３６９】
【表３８】
0005558721.tif 000066
混合しながら、均一混合物が得られるまで、成分１を脱イオン水に分散させる。成分２〜６を数字の順番で加え、混合する。混合物のｐＨを約４．０に調整し、均一ゲルが得られるまで配合物を混合する。ゲル特性を以下の表に記載する。
【０３７０】
【表３９】
0005558721.tif 000067
毛髪束の高湿カール度保持率について、上述の（ＨＨＣＲ）試験によって固定組成物を評価する（９回繰り返し／組成物）。結果を以下の表に示す。
【０３７１】
【表４０】
0005558721.tif 000068
（実施例８８）
以下の表に記載の成分を用い、アルカリに戻す配合手順を利用し、透明浴室ゲルを配合する。
【０３７２】
【表４１】
0005558721.tif 000069
実施例５６〜５９のそれぞれのポリマーを脱イオン水（成分１）に分散させ、均一分散物が得られるまで混合する。成分２および３を混合しながら加える。成分６を分散物に加え、混合する。クエン酸（成分７）を用い、各配合物のｐＨをｐＨ６．０に調整すると、組成物の粘度が上昇する。各組成物のサンプルについて、粘度特性を試験し、記録する。各組成物のｐＨを、水酸化ナトリウム（成分８）を用いてアルカリに戻し、粘度特性を再び記録し、この値を以下の表に記載している。
【０３７３】
【表４２】
0005558721.tif 000070
本発明の例示的な実施形態は、
（Ｉ）以下のもの：
（ａ）上の式ＩＩＩ、ＩＩＩａ、ＩＶおよびＶＩａから選択されるシリコーン含有マクロマーと、必要に応じて、以下のもの
（ｂ）少なくとも１つの非イオン性ビニルモノマー；
（ｃ）少なくとも１つの酸性ビニルモノマー；
（ｄ）少なくとも１つのカチオン性ビニルモノマー；
（ｅ）少なくとも１つの会合性ビニルモノマー；
（ｆ）少なくとも１つの半疎水性ビニルモノマー；
（ｇ）少なくとも１つの架橋モノマー；およびこれらの混合物を含むモノマー混合物と組み合わせたモノマー混合物から重合させて得たポリマーと；
（ＩＩ）水、界面活性剤、レオロジー改変剤およびその混合物から選択される成分と、
必要に応じて、（ＩＩＩ）キレート化剤、コンディショナー、希釈剤、香料、顔料、着色剤、酸化防止剤、保湿剤、皮膚および毛髪のコンディショナー、潤滑剤、防湿剤および皮膚軟化剤、中和剤、乳白剤、医薬活性物質、防腐剤、溶媒、広がり補助剤、日焼け止め剤、界面活性剤、コンディショニングポリマー、ビタミン、粘度調整剤、粘度改変剤、中和剤、ｐＨ調整剤および乳化剤から選択される１つ以上の成分とを組み合わせて含む組成物に関する。
【０３７４】
本発明の別の例示的な実施形態では、シリコーン含有マクロマーは、式：
【０３７５】
【化２３】
0005558721.tif 000071
およびその異性体によって表され、式中、Ｒ’、Ｒ１、Ｒ２、Ｒ３、Ｒ４、Ｒ５、Ｒ６、ＥＯ（ＯＥ）、ＰＯ（ＯＰ）、ａ、ｂ、ｃ、ｎ、ｘ、ｙおよびｚは上に定義されるとおりである。
【０３７６】
（実施例８９）
洗える整髪ワックスを表４３に記載の成分を用いて配合する。
【０３７７】
【表４３】
0005558721.tif 000072
パートＡの成分を混合し、７５℃まで加熱する。パートＢの成分を混合し、７０℃〜８０℃の温度で、成分が完全に溶解して均一混合物が得られるまで、所定時間加熱する。３００〜５００ｒｐｍで連続的に混合し、温度を７０℃〜８０℃に維持しながら、パートＡをパートＢにゆっくりと加える。均一混合物が得られるまで、パートＡおよびＢの成分を混合する。パートＡＢ混合物を６０℃〜７０℃の温度まで冷却する。パートＣの成分を合わせ、混合物の温度を６０℃〜７０℃に維持しながら、パートＡＢ混合物に加える。パートＤの成分を合わせ、混合しながらパートＡＢＣ混合物に加え、均一混合物が得られるまで混合する。パートＡＢＣＤ混合物を５０℃まで冷却し、パートＥの成分を順番に混合物に加える。組成物のｐＨ値は７．４と決定される。混合物を４０℃〜４５℃の温度まで冷却し、容器に注ぎ、固化させると毛髪ワックス製品が得られる。この製品は、光沢があるオフホワイト色の外観を有している。生成物を２４時間放置し、この時点でのＢｒｏｏｋｆｉｅｌｄ粘度を４０℃、２０ｒｐｍで７番のスピンドルを用いて測定し、１５０，０００ｍＰａ・ｓであると決定される。
【０３７８】
（実施例９０）
透明なリンギング毛髪ワックス（ｒｉｎｇｉｎｇ  ｈａｉｒ  ｗａｘ）を表４４に記載の成分を用いて配合する。この配合物は、きっちりと固定されるが、成形しやすいヘアスタイルを提供し、べたつく感触がなく、毛髪に適用すると透明の外観を有する。
【０３７９】
【表４４】
0005558721.tif 000073
ＥＤＴＡ二ナトリウムをグリセリンに溶解し、残りのパートＡの成分をこの溶液に加える。ゆっくりと攪拌しながら、均一混合物が得られるまで、パートＡの混合物を８０℃まで加熱する。パートＡの混合物を攪拌しながら６０℃まで冷却する。パートＢをパートＡに加え、均一になるまで混合する。パートＡＢの混合物をパートＣで中和する。中程度に攪拌しながら、パートＤの成分を加え、均一になるまで混合する。ＡＢＣＤ組成物をゆっくりと攪拌し、冷却する。このバッチの温度が４０℃〜４５℃まで下がったら、広口容器に注ぎ、冷却する。透明のリンギング毛髪ワックス製品を２４時間放置し、この時点でのＢｒｏｏｋｆｉｅｌｄ粘度を２５℃、２０ｒｐｍで７番のスピンドルを用いて測定し、１５０，０００ｍＰａ・ｓであると決定される。
【０３８０】
（実施例９１）
色素、マイカおよび／またはグリッターを組み込んだヘアスタイリングバームを、表４５に記載の成分から配合する。この配合物は、洗い流しやすく、残分が残りにくく、長時間の保持力を有し、毛髪のべたべたする感触がない。さらに、この配合物が毛髪に適用されると、優れた剛性を示すとともに、今日市販されているワックス状毛髪製品に固有のバリバリした感じはなく、油分も過剰に残らない。
【０３８１】
【表４５】
0005558721.tif 000074
パートＡの成分を混合し、約７５℃まで加熱する。パートＢの成分を混合し、７０℃〜８０℃の範囲の温度で、成分が完全に溶解して均一混合物が得られるまで、所定時間加熱する。３００〜５００ｒｐｍで連続的に混合し、温度を７０℃〜８０℃に維持しながら、パートＢをパートＡにゆっくりと加える。均一混合物が得られるまで、パートＡおよびＢの成分を混合する。パートＡＢ混合物を６０℃〜７０℃の温度まで冷却する。パートＣの成分を合わせ、混合物の温度を６０℃〜７０℃に維持しながら、パートＡＢ混合物に加える。パートＤの成分を混合しながらパートＡＢＣ混合物に加え、均一混合物が得られるまで混合する。パートＡＢＣＤ混合物を６０℃まで冷却し、パートＥの成分およびパートＦの成分を混合しながら順番に加え、均一ブレンドを得る。組成物のｐＨ値は７．３と決定される。混合物を４０℃〜４５℃の温度まで冷却し、容器に注ぎ、固化させると毛髪ワックス製品が得られる。
【図面の簡単な説明】
【０３８２】
【図１】図１は、白人毛髪マネキンの頭部の写真であり、頭部の半分が、本発明のポリマーを含有する毛髪固定組成物でスタイリングされており、半分が、コントロール固定組成物でスタイリングされている。この写真は、湿度室に入れる前のものである。
【図１Ａ】図１Ａは、アジア人毛髪マネキンの頭部の写真であり、頭部の半分が、本発明のポリマーを含有する毛髪固定組成物でスタイリングされており、半分が、市販の固定組成物でスタイリングされている。この写真は、湿度室に入れる前のものである。
【図２】図２は、図１で示した白人毛髪マネキンの頭部を、３５℃、相対湿度９０％の湿度室に１時間置いた後の写真である。
【図２Ａ】図２Ａは、図１Ａで示したアジア人毛髪マネキンの頭部を、３５℃、相対湿度９０％の湿度室に１時間置いた後の写真である。
【図３】図３は、図１で示した白人毛髪マネキンの頭部を、３５℃、相対湿度９０％の湿度室に２時間置いた後の写真である。
【図３Ａ】図３Ａは、図１Ａで示したアジア人毛髪マネキンの頭部を、３５℃、相対湿度９０％の湿度室に２時間置いた後の写真である。
【図４】図４は、図１で示した白人毛髪マネキンの頭部を、３５℃、相対湿度９０％の湿度室に３時間置いた後の写真である。
【図４Ａ】図４Ａは、図１Ａで示したアジア人毛髪マネキンの頭部を、３５℃、相対湿度９０％の湿度室に３時間置いた後の写真である。
【図５】図５は、高湿剛性カール部保持試験（ＨＨＳＲ）で使用する測定装置の写真であり、背後に等間隔の測定目盛がついた毛髪見本取り付けスタンドを示す。
【図１】
0005558721.tif 000084
【図１Ａ】
0005558721.tif 000085
【図２】
0005558721.tif 000086
【図２Ａ】
0005558721.tif 000087
【図３】
0005558721.tif 000088
【図３Ａ】
0005558721.tif 000089
【図４】
0005558721.tif 000090
【図４Ａ】
0005558721.tif 000091
【図５】
0005558721.tif 000092